(57)【特許請求の範囲】
【請求項１】
遊技機前面部に設けられた貯留部に向けて遊技媒体を導く遊技媒体通路部と、
当該遊技媒体通路部を通じて前記貯留部に向けて遊技媒体を払い出す払出実行手段と、
前記遊技媒体通路部の途中位置に設定された媒体通過領域の遊技媒体の通過を検知する検知手段と、
を備え、当該検知手段の検知結果に基づいて遊技媒体の払い出しが特定される遊技機において、
前記遊技媒体通路部における前記媒体通過領域よりも下流側の下流側領域を区画形成する区画部は、臨む方向に遊技媒体の流下方向の下流側に向けた成分を含み流下方向の下流側から上流側に向けて挿入された異物が当接した場合に当該異物を前記媒体通過領域側とは異なる側に向けてガイドするガイド面を備えており、
当該ガイド面よりも遊技媒体の流下方向の下流側において遊技媒体の通過領域を区画する下流側の区画部を基準として当該通過領域の外側に形成され、当該通過領域の内側から外側に向けた下流側段差面を備えていることを特徴とする遊技機。
【発明の詳細な説明】
【技術分野】
【０００１】
本発明は、遊技機に関するものである。
【背景技術】
【０００２】
遊技機の一種であるパチンコ遊技機は、例えばパチンコ遊技機内部にて遊技球を貯留するための貯留タンクを備えている。貯留タンクに貯留されている遊技球は、誘導通路部を通じて、遊技機前面部の球受け皿へ誘導される。また、誘導通路部の途中位置には回転体などの払出実行手段が設けられており、誘導通路部により誘導される遊技球は払出実行手段により一旦停止される。
【０００３】
払出実行手段は制御装置と電気的に接続されている。そして、例えば遊技領域に設けられた入球部へ遊技球が入球したこと又はＣＲユニットといった貸球装置が設けられた構成においては当該貸球装置に対して貸出操作が行われたことに基づいて、制御装置に払出数情報が記憶され、払出動作を実行するように制御装置により払出実行手段が駆動制御されることで、上記一旦停止されていた遊技球は球受け皿に払い出される。
【０００４】
また、払出実行手段よりも下流側に払出球検知センサ（払出検知手段）が設けられており、払出実行手段の払出動作により下流側へ導出された遊技球は払出球検知センサにて検知される。制御装置では当該払出球検知センサの検知結果に基づいて、払い出された遊技球の個数を把握し、上記払出数情報に対応した数の遊技球が払い出された場合に払出実行手段の払出動作を終了させる（例えば、特許文献１参照）。
【特許文献１】特開２００７−１４６６０号公報
【発明の開示】
【発明が解決しようとする課題】
【０００５】
ここで、上記例示等のような遊技機においては、払出検知手段に不正を行うことで遊技媒体の払出を不正に受けようとする行為が想定され、当該不正行為に適切に対処可能な構成が求められている。
【０００６】
本発明は、上記例示した事情等に鑑みてなされたものであり、遊技媒体の払い出しを特定する検知手段に不正を行うことで遊技媒体の払出を不正に受けようとする行為に対して適切に対処可能な遊技機を提供することを目的とするものである。
【課題を解決するための手段】
【０００７】
上記課題を解決すべく請求項１記載の発明は、遊技機前面部に設けられた貯留部に向けて遊技媒体を導く遊技媒体通路部と、
当該遊技媒体通路部を通じて前記貯留部に向けて遊技媒体を払い出す払出実行手段と、
前記遊技媒体通路部の途中位置に設定された媒体通過領域の遊技媒体の通過を検知する検知手段と、
を備え、当該検知手段の検知結果に基づいて遊技媒体の払い出しが特定される遊技機において、
前記遊技媒体通路部における前記媒体通過領域よりも下流側の下流側領域を区画形成する区画部は、臨む方向に遊技媒体の流下方向の下流側に向けた成分を含み流下方向の下流側から上流側に向けて挿入された異物が当接した場合に当該異物を前記媒体通過領域側とは異なる側に向けてガイドするガイド面を備えており、
当該ガイド面よりも遊技媒体の流下方向の下流側において遊技媒体の通過領域を区画する下流側の区画部を基準として当該通過領域の外側に形成され、当該通過領域の内側から外側に向けた下流側段差面を備えていることを特徴とする。
【発明の効果】
【０００８】
本発明によれば、遊技媒体の払い出しを特定する検知手段に不正を行うことで遊技媒体の払出を不正に受けようとする行為に対して適切に対処することが可能となる。
【発明を実施するための最良の形態】
【０００９】
＜第１の実施の形態＞
以下、遊技機の一種であるパチンコ遊技機（以下、「パチンコ機」という）の第１の実施の形態を、図面に基づいて詳細に説明する。図１はパチンコ機１０の正面図、図２及び図３はパチンコ機１０の主要な構成を展開して示す斜視図である。なお、図２では便宜上パチンコ機１０の遊技領域内の構成を省略している。
【００１０】
パチンコ機１０は、当該パチンコ機１０の外殻を形成する外枠１１と、この外枠１１に対して前方に回動可能に取り付けられた遊技機本体１２とを有する。外枠１１は木製の板材を四辺に連結し構成されるものであって矩形枠状をなしている。パチンコ機１０は、外枠１１を島設備に取り付け固定することにより、遊技ホールに設置される。
【００１１】
外枠１１の側方には図１に示すように、球貸装置（例えばＣＲユニット）Ｙが設けられている。球貸装置Ｙの前面側にはカード挿入口Ｈが設けられ、そのカード挿入口Ｈへのカードの挿入によりカードに記憶された金額に相当する数の遊技球の貸し出しを受けることができるようになっている。なお、遊技球の貸し出しを受ける上で球貸装置Ｙに挿入されるものはカードに限定されることはなく、現金であってもよく、また現金情報が記憶されたコインであってもよい。
【００１２】
遊技機本体１２は、内枠１３と、その内枠１３の前方に配置される前扉枠１４と、内枠１３の後方に配置される裏パックユニット１５とを備えている。遊技機本体１２のうち内枠１３が外枠１１に対して回動可能に支持されている。詳細には、正面視で左側を回動基端側とし右側を回動先端側として内枠１３が前方へ回動可能とされている。
【００１３】
内枠１３には、図２に示すように、前扉枠１４が回動可能に支持されており、正面視で左側を回動基端側とし右側を回動先端側として前方へ回動可能とされている。また、内枠１３には、図３に示すように、裏パックユニット１５が回動可能に支持されており、正面視で左側を回動基端側とし右側を回動先端側として後方へ回動可能とされている。
【００１４】
なお、遊技機本体１２には、図３に示すように、その回動先端部に施錠装置１６が設けられており、遊技機本体１２を外枠１１に対して開放不能に施錠状態とする機能を有しているとともに、前扉枠１４を内枠１３に対して開放不能に施錠状態とする機能を有している。これらの各施錠状態は、パチンコ機１０前面にて露出させて設けられたシリンダ錠１７に対して解錠キーを用いて解錠操作を行うことにより、それぞれ解除される。
【００１５】
次に、遊技機本体１２の前面側の構成について説明する。
【００１６】
内枠１３は、外形が外枠１１とほぼ同一形状をなす樹脂ベース２１を主体に構成されている。樹脂ベース２１の上部には、図２に示すように、前扉枠１４が開放されているか否か（又は閉鎖されているか否か）を検知する前扉枠開放スイッチ（前面体開放検知手段）２２が設けられている。前扉枠開放スイッチ２２は、樹脂ベース２１の前面から出没可能なピンを有しており、内枠１３に対して前扉枠１４を閉じた状態ではピンが押し込まれて前扉枠１４の閉鎖が検知され、内枠１３に対して前扉枠１４を開いた状態ではピンが突出位置に戻って前扉枠１４の開放が検知されるようになっている。
【００１７】
ちなみに、前扉枠開放スイッチ２２は、前扉枠１４が開放状態の場合に後述する主制御装置９１に対して前扉枠開放信号としてＨＩレベル信号を出力し、前扉枠１４が閉鎖状態の場合にはＬＯＷレベル信号を出力する。但し、信号の出力態様はこれに限定されることはなく、ＨＩレベル信号とＬＯＷレベル信号との関係が逆であってもよい。
【００１８】
樹脂ベース２１の中央部には略楕円形状の窓孔２３が形成されている。樹脂ベース２１には遊技盤２４が着脱可能に取り付けられている。遊技盤２４は合板よりなり、遊技盤２４の前面に形成された遊技領域が樹脂ベース２１の窓孔２３を通じて内枠１３の前面側に露出した状態となっている。
【００１９】
ここで、遊技盤２４の構成を図４に基づいて説明する。遊技盤２４には、ルータ加工が施されることによって前後方向に貫通する大小複数の開口部が形成されている。各開口部には一般入賞口３１，可変入賞装置３２，上作動口３３，下作動口３４，スルーゲート３５及び可変表示ユニット３６等がそれぞれ設けられている。一般入賞口３１は、遊技盤２４の左側に２個及び遊技盤２４の右側に１個の合計３個設けられている。
【００２０】
一般入賞口３１、可変入賞装置３２及び作動口３３，３４に遊技球が入ると、それが遊技盤２４の背面側に配設された検知センサ（図示略）により検知され、その検知結果に基づいて所定数の賞球の払い出しが実行される。なお、遊技球は鋼球であり、直径が約１１ｍｍとなっている。
【００２１】
その他に、遊技盤２４の最下部にはアウト口３７が設けられており、各種入賞口等に入らなかった遊技球はアウト口３７を通って遊技領域から排出される。また、遊技盤２４には、遊技球の落下方向を適宜分散、調整等するために多数の釘３８が植設されていると共に、風車等の各種部材（役物）が配設されている。
【００２２】
可変表示ユニット３６には、作動口３３，３４への入賞をトリガとして図柄を可変表示する図柄表示装置４１が設けられている。また、可変表示ユニット３６には、図柄表示装置４１を囲むようにしてセンターフレーム４２が配設されている。センターフレーム４２の上部には、第１特定ランプ部４３及び第２特定ランプ部４４が設けられている。また、センターフレーム４２の上部及び下部にはそれぞれ保留ランプ部４５，４６が設けられている。下側の保留ランプ部４５は、図柄表示装置４１及び第１特定ランプ部４３に対応しており、遊技球が作動口３３，３４を通過した回数は最大４回まで保留され保留ランプ部４５の点灯によってその保留個数が表示されるようになっている。上側の保留ランプ部４６は、第２特定ランプ部４４に対応しており、遊技球がスルーゲート３５を通過した回数は最大４回まで保留され保留ランプ部４６の点灯によってその保留個数が表示されるようになっている。
【００２３】
図柄表示装置４１は、液晶ディスプレイを備えた液晶表示装置として構成されており、後述する表示制御装置により表示内容が制御される。図柄表示装置４１には、例えば左、中及び右に並べて図柄が表示され、これらの図柄が上下方向にスクロールされるようにして変動表示されるようになっている。そして、予め設定されている有効ライン上に所定の組み合わせの図柄が停止表示された場合には、特別遊技状態（以下、大当たりという）が発生することとなる。
【００２４】
第１特定ランプ部４３では、作動口３３，３４への入賞をトリガとして所定の順序で発光色の切り替えが行われ、予め定められた色で停止表示された場合には大当たりが発生する。また、第２特定ランプ部４４では、遊技球のスルーゲート３５への入賞をトリガとして所定の順序で発光色の切り替えが行われ、予め定められた色で停止表示された場合には下作動口３４に付随する電動役物３４ａが所定時間だけ開放状態となる。
【００２５】
可変入賞装置３２は、通常は遊技球が入賞できない又は入賞し難い閉状態になっており、大当たりの際に遊技球が入賞しやすい所定の開放状態に切り換えられるようになっている。可変入賞装置３２の開放態様としては、所定時間（例えば３０秒間）の経過又は所定個数（例えば１０個）の入賞を１ラウンドとして、複数ラウンド（例えば１５ラウンド）を上限として可変入賞装置３２が繰り返し開放されるものが一般的である。
【００２６】
遊技盤２４には、内レール部５１と外レール部５２とが取り付けられており、これら内レール部５１と外レール部５２とにより誘導レールが構成され、遊技球発射機構５３から発射された遊技球が遊技領域の上部に案内されるようになっている。遊技球発射機構５３は、図２に示すように、樹脂ベース２１における窓孔２３の下方に取り付けられており、前扉枠１４に設けられた発射ハンドル５４が操作されることにより遊技球の発射動作が行われる。
【００２７】
内枠１３の前面側全体を覆うようにして前扉枠１４が設けられている。前扉枠１４には、図１に示すように、遊技領域のほぼ全域を前方から視認することができるようにした窓部６１が形成されている。窓部６１は、略楕円形状をなし、透明性を有するガラス６２が嵌め込まれている。窓部６１の周囲には、各種ランプ等の発光手段が設けられている。当該各種ランプ部の一部としてエラー表示ランプ部６３が窓部６１の上方に設けられている。また、エラー表示ランプ部６３の左右両側には、遊技状態に応じた効果音などが出力されるスピーカ部６４が設けられている。
【００２８】
前扉枠１４における窓部６１の下方には、手前側へ膨出した上側膨出部６５と下側膨出部６６とが上下に並設されている。上側膨出部６５には、図１に示すように、球貸操作装置７１が配設されている。球貸操作装置７１には球貸ボタン７２と、返却ボタン７３と、度数表示部７４とが設けられている。球貸装置Ｙにカード等を挿入した状態で、球貸操作装置７１によって球貸し操作、カード返却操作及びカード度数の確認を行うことができる。すなわち、球貸ボタン７２は、カード等（記録媒体）に記録された情報に基づいて貸出球を得るために操作されるものであり、カード等に残額が存在する限りにおいて貸出球が払い出される。返却ボタン７３は、球貸装置Ｙに挿入されたカード等の返却を求める際に操作される。度数表示部７４はカード等の残額情報を表示するものである。
【００２９】
また、上側膨出部６５内側には上方に開口した上皿８１が設けられており、下側膨出部６６内側には同じく上方に開口した下皿８２が設けられている。上皿８１は、後述する払出装置より払い出された遊技球を一旦貯留し、一列に整列させながら遊技球発射機構５３側へ導くための機能を有する。また、下皿８２は、上皿８１内にて余剰となった遊技球を貯留する機能を有する。
【００３０】
ここで、本パチンコ機１０では、前扉枠１４に対して窓部６１、上皿８１、及び下皿８２が一体化されている。従来のパチンコ機においては、少なくとも窓部と下皿とがそれぞれ別ユニットとして設けられており、窓部が下皿に対して独立して回動可能となっていたため、パチンコ機の前面部には上記各ユニット間に境界が生じていた。この場合、当該境界から不正具などを挿入して行う不正行為が想定される。また、かかる不正行為を抑制すべく各ユニット間の境界に対して不正抑制構造を設けることもできるが、そうすると構成の複雑化を招いてしまう。さらに、パチンコ機の前面部において境界が生じるのは、デザイン上好ましくない。これに対して、上記のとおり前扉枠１４に対して窓部６１、上皿８１及び下皿８２が一体化されているので、窓部６１と下皿８２との間に境界が生じることはなく、上記不都合が抑制される。
【００３１】
上皿８１及び下皿８２には、裏パックユニット１５の払出装置１１４（図６参照）から払い出された遊技球が前扉枠１４の背面に設けられた通路形成ユニット８３を通じて排出される。通路形成ユニット８３は、図５に示すように、上皿８１に通じる前扉側上皿通路８４と、下皿８２に通じる前扉側下皿通路８５とが形成されている。
【００３２】
前扉側上皿通路８４及び前扉側下皿通路８５は、それぞれ内枠１３に設けられた各内枠側通路（図示略）に連通されている。また、これら各内枠側通路は、裏パックユニット１５に設けられた払出装置１１４に連通されている。この場合に、裏パックユニット１５において払出装置１１４の下流側には後述する遊技球分配部が設けられており、上皿８１が満タン状態となり遊技球分配部の位置から上皿８１の入口まで遊技球が充填された状態となった場合に、それ以降に払出装置１１４から払い出された遊技球が遊技球分配部にて下皿８２側に振り分けられる。
【００３３】
前扉枠１４を内枠１３に対して前方に回動させる場合には、前扉側上皿通路８４及び前扉側下皿通路８５が各内枠側通路から離間されることとなる。この場合に、各内枠側通路は内枠１３に設けられた開閉部材８６によって閉鎖される。開閉部材８６は、図２に示すように、その下端に設けられた支軸８７により前後方向に回動可能に支持されており、さらに各内枠側通路を閉鎖する前方位置に付勢する図示しない付勢部材が設けられている。したがって、前扉枠１４を内枠１３に対して開いた状態では開閉部材８６が図示の如く起き上がり、各内枠側通路を閉鎖する。なお、前扉枠１４を閉鎖した状態では、前扉枠１４の通路形成ユニット８３により開閉部材８６が付勢力に抗して押し開けられる。
【００３４】
通路形成ユニット８３には、図５に示すように、前扉側下皿通路８５を通る遊技球を検知するように満タン検知センサ８８が設けられている。満タン検知センサ８８は、磁気検知タイプの近接センサにて構成されており、検知範囲内を遊技球が通過する際の磁界（又は磁場）の変化が検知されて電気信号として出力される。なお、満タン検知センサ８８は磁気検知タイプの近接センサに限定されることはなく、遊技球を検知することができるのであれば任意であり、例えば、フォトセンサやリミットセンサなどを用いてもよい。
【００３５】
満タン検知センサ８８は裏パックユニット１５の払出制御装置１４１（図６参照）に対して電気信号を出力する。具体的には、遊技球を検知していない状態ではＬＯＷレベル信号を出力し、遊技球を検知している状態ではＨＩレベル信号を出力する。なお、これに限定されることはなく、遊技球を検知していない状態ではＨＩレベル信号を出力し、遊技球を検知している状態ではＬＯＷレベル信号を出力する構成としてもよく、また遊技球を検知している状態においてのみ電気信号を出力する構成としてもよい。
【００３６】
払出制御装置１４１では、満タン検知センサ８８の検知結果に基づいて下皿８２が満タン状態であるか否かを特定し、下皿８２が満タン状態であると特定した場合、払出装置１１４による遊技球の払出を停止する。これにより、下皿８２が満タン状態となり、前扉側下皿通路８５において満タン検知センサ８８の位置まで遊技球が連なった場合には、それ以上の遊技球の払出が停止される。
【００３７】
次に、遊技機本体１２の背面側の構成について説明する。なお、以下の説明では、図３に加え図６を適宜参照する。図６は裏パックユニット１５の正面図である。
【００３８】
図３に示すように、内枠１３（具体的には、遊技盤２４）の背面には、主制御装置９１及び音声ランプ制御装置９２が搭載されている。主制御装置９１は、遊技の主たる制御を司る機能（主制御回路）と、電源を監視する機能（停電監視回路）とを有する主制御基板を具備しており、当該主制御基板が透明樹脂材料等よりなる基板ボックス９３に収容されて構成されている。音声ランプ制御装置９２は、主制御装置９１からの指示に従い音声やランプ表示、及び図示しない表示制御装置の制御を司る音声ランプ制御基板を具備しており、音声ランプ制御基板が透明樹脂材料等よりなる基板ボックス９４に収容されて構成されている。
【００３９】
裏パックユニット１５は、図６に示すように、裏パック１０１を備えており、当該裏パック１０１に対して、払出機構部１０２及び制御装置集合ユニット１０３が取り付けられている。裏パック１０１は透明性を有する合成樹脂により形成されており、音声ランプ制御装置９２などを後方から覆うように、後方に突出し略直方体形状をなす保護カバー部１０４を有している。
【００４０】
払出機構部１０２は、保護カバー部１０４を迂回するようにして配設されている。払出機構部１０２には、裏パック１０１の最上部に配置され遊技ホールの島設備から供給される遊技球が逐次補給されるタンク１１１と、タンク１１１の下方から下流側に向けて緩やかに傾斜するタンクレール１１２と、タンクレール１１２の下流側に連結され上下方向に延びるケースレール１１３と、ケースレール１１３の最下流部に設けられた払出装置１１４と、を備えている。
【００４１】
ケースレール１１３には、当該ケースレール１１３内の通路を通じてタンク１１１から払出装置１１４まで連なった遊技球を検知するように球無検知センサ１１５が設けられている。球無検知センサ１１５は、磁気検知タイプの近接センサにて構成されており、検知範囲内を遊技球が通過する際の磁界の変化が検知されて電気信号として出力される。なお、球無検知センサ１１５は磁気検知タイプの近接センサに限定されることはなく、遊技球を検知することができるのであれば任意であり、例えば、フォトセンサやリミットセンサなどを用いてもよい。
【００４２】
球無検知センサ１１５は払出制御装置１４１に対して電気信号を出力する。具体的には、遊技球を検知していない状態ではＬＯＷレベル信号を出力し、遊技球を検知している状態ではＨＩレベル信号を出力する。なお、これに限定されることはなく、遊技球を検知していない状態ではＨＩレベル信号を出力し、遊技球を検知している状態ではＬＯＷレベル信号を出力する構成としてもよく、また遊技球を検知している状態においてのみ電気信号を出力する構成としてもよい。
【００４３】
払出制御装置１４１では、球無検知センサ１１５の検知結果に基づいてタンク１１１が球無状態であるか否かを特定し、タンク１１１が球無状態であると特定した場合、払出装置１１４による遊技球の払出を停止する。これにより、タンク１１１が球無状態であるにも関わらず、払出装置１１４が動作し続けることが防止される。
【００４４】
また、ケースレール１１３には、球抜き操作スイッチ１１６が設けられている。例えば、タンク１１１に貯留されている遊技球のパチンコ機１０外への排出に際して、ケースレール１１３にある遊技球も全て排出する場合に球抜き操作スイッチ１１６が押され、ケースレール１１３及びその下流側に貯留されている遊技球の排出が可能となる。
【００４５】
払出装置１１４では遊技球の払出が実行される。ここで、払出装置１１４の構成について図７を用いて説明する。図７は払出装置１１４内部に形成された通路構造を示す縦断面図である。
【００４６】
払出装置１１４は合成樹脂製のハウジング１２１を備えており、当該ハウジング１２１にはケースレール１１３から供給される遊技球が通過する払出通路１２２が形成されている。払出通路１２２の中間部分には通路幅が左右に広がった収容部１２３が設けられており、当該収容部１２３に回転体１２４が収容されている。回転体１２４はその中心が払出モータ１２５の出力軸１２５ａに固定されている。なお、払出通路１２２において少なくとも収容部１２３の上流側及び下流側は、通路壁によって周囲が区画されていることにより筒状（又は管状）をなしており、さらには中心軸線（又は通路方向）に対して直交する方向の断面は円形状となっている。
【００４７】
払出モータ１２５は、ステッピングモータにより構成されており、出力軸１２５ａは所定方向（図７で見て時計回り方向又は反時計回り方向）に回転駆動される。払出モータ１２５は、払出制御装置１４１内に設けられたモータドライバを通じて同じく払出制御装置１４１内に設けられたＭＰＵによって駆動制御される。具体的には、ＭＰＵからモータドライバに１パルスの駆動信号（励磁信号又は励磁パルスとも言う。以下同様）が与えられることにより、払出モータ１２５の励磁状態が切り換えられ、出力軸１２５ａが１ｓｔｅｐ進む。払出モータ１２５は、ＭＰＵから６０パルスの駆動信号が与えられることで出力軸１２５ａが６０ｓｔｅｐ進み、当該出力軸１２５ａが１回転するように設定されている。そして、出力軸１２５ａが１回転することで、すなわち払出制御装置１４１のＭＰＵから６０パルスの駆動信号が出力されることにより、回転体１２４が１回転する。
【００４８】
回転体１２４の周縁には、１８０°間隔で２箇所に、凹部１２４ａが形成されている。凹部１２４ａは、曲面状となっておりその曲率は遊技球の曲率と同程度となっている。また、回転体１２４の周縁における凹部１２４ａ間の部位と収容部１２３の通路壁との間の距離が遊技球の直径寸法よりも短くなっているのに対して、凹部１２４ａと収容部１２３の通路壁との間の距離は遊技球の直径寸法よりも長くなっている。これにより、払出通路１２２を流下してきた遊技球が回転体１２４の凹部１２４ａに到達すると、当該遊技球は回転体１２４の回転に伴って下流側に導出される。
【００４９】
ここで、上記のとおり払出制御装置１４１のＭＰＵから６０パルスの駆動信号が出力されることにより回転体１２４が１回転するため、回転体１２４に１８０°間隔で２箇所に凹部１２４ａが形成された構成においては、１個の遊技球が回転体１２４によって下流側に導出されてから払出モータ１２５に３０パルスの駆動信号を与えることにより、次の遊技球が下流側に導出される。なお、回転体１２４が１回転するのに必要な駆動信号のパルス数や、１個の遊技球が下流側に導出されてから次の遊技球が下流側に導出されるまでに要する駆動信号のパルス数は、上記のものに限定されることはなく任意である。
【００５０】
払出通路１２２には、収容部１２３よりも下流側の位置に略平板状をした払出球検知センサ１２６が設置されている。払出球検知センサ１２６は、周知の電磁誘導型の近接センサにて構成されており、検知部１２７の貫通孔１２７ａを遊技球が通過したことによる磁界の変化を電気信号に変換して出力する。払出球検知センサ１２６は払出制御装置１４１と電気的に接続されており、払出制御装置１４１は当該払出球検知センサ１２６により、回転体１２４の下流側へと導出された遊技球の数が確認できるようになっている。
【００５１】
払出装置１１４より払い出された遊技球は、裏パック１０１に設けられた遊技球分配部１２８に供給される。遊技球分配部１２８は、複数の開口部が左右方向に並設されており、内側の開口部が上述した前扉側上皿通路８４を介して上皿８１に通じており、外側の開口部が上述した前扉側下皿通路８５を介して下皿８２に通じている。かかる遊技球分配部１２８によって、払出装置１１４より払い出された遊技球は、上皿８１、下皿８２又は排出通路の何れかに分配される。
【００５２】
払出機構部１０２には、裏パック基板１３１が設置されている。裏パック基板１３１には、例えば交流２４ボルトの主電源が供給され、電源スイッチ１３２の切替操作により電源ＯＮ又は電源ＯＦＦとされるようになっている。
【００５３】
裏パック１０１には、その右上部に外部端子板１３３が設けられている。外部端子板１３３には各種の出力端子が設けられており、これらの出力端子を通じて遊技ホール側の管理制御装置に対して各種信号が出力される。
【００５４】
また、裏パック１０１には、外部端子板１３３よりも外側に、内枠１３が開放されているか否か（又は閉鎖されているか否か）を検知する内枠開放スイッチ１３４が設けられている。外枠１１に対して内枠１３を閉じた状態では当該スイッチ１３４の金属接点が閉じて内枠１３の閉鎖が検知され、外枠１１に対して内枠１３を開いた状態では金属接点が開いて内枠１３の開放が検知されるようになっている。
【００５５】
ちなみに、内枠開放スイッチ１３４は、内枠１３が開放状態の場合に主制御装置９１に対して内枠開放信号としてＨＩレベル信号を出力し、内枠１３が閉鎖状態の場合にはＬＯＷレベル信号を出力する。但し、信号の出力態様はこれに限定されることはなく、ＨＩレベル信号とＬＯＷレベル信号との関係が逆であってもよい。
【００５６】
裏パック１０１の下端に制御装置集合ユニット１０３が取り付けられている。制御装置集合ユニット１０３は、払出制御装置１４１と電源及び発射制御装置１４２と球貸用接続端子板１４３とを備えている。これら払出制御装置１４１と電源及び発射制御装置１４２と球貸用接続端子板１４３は、払出制御装置１４１及び球貸用接続端子板１４３がパチンコ機１０後方となり電源及び発射制御装置１４２がパチンコ機１０前方となるように前後に重ねて配置されている。なお、制御装置集合ユニット１０３には、上述した排出通路が形成されている。
【００５７】
払出制御装置１４１は、払出装置１１４を制御する払出制御基板が透明樹脂材料等よりなる基板ボックス１４４に収容されて構成されている。また、払出制御装置１４１には状態復帰スイッチ１４５が設けられている。例えば、払出装置１１４における球詰まり等、払出エラーの発生時において状態復帰スイッチ１４５が押されると、球詰まりの解消が図られるようになっている。また、払出制御基板には７セグ表示器１４６が搭載されており、内枠１３を外枠１１に対して開放することで、基板ボックス１４４を通じて７セグ表示器１４６の表示内容が視認可能となっている。
【００５８】
電源及び発射制御装置１４２は、各種制御装置等で要する所定の電力が生成されるとともに遊技者による発射ハンドル５４の操作に伴う遊技球の打ち出しの制御を行う電源及び発射制御基板が透明樹脂材料等よりなる基板ボックス１４７に収容されて構成されている。また、電源及び発射制御装置１４２にはＲＡＭ消去スイッチ１４８が設けられている。本パチンコ機１０は各種データの記憶保持機能を有しており、万一停電が発生した際でも停電時の状態を保持し、停電からの復帰の際には停電時の状態に復帰できるようになっている。したがって、例えば遊技ホールの営業終了の場合のように通常手順で電源を遮断すると遮断前の状態が記憶保持されるが、ＲＡＭ消去スイッチ１４８を押しながら電源を投入すると、ＲＡＭデータが初期化されるようになっている。
【００５９】
球貸用接続端子板１４３は、球貸装置Ｙ、払出制御装置１４１及びパチンコ機１０前面の球貸操作装置７１に電気的に接続され、主として遊技者による球貸し操作の指令を取り込んでそれを払出制御装置１４１に出力するものである。
【００６０】
次に、パチンコ機１０の電気的構成について、図８のブロック図に基づいて説明する。図８では、電力の供給ラインを二重線矢印で示し、信号ラインを実線矢印で示す。
【００６１】
主制御装置９１に設けられた主制御基板２０１には、主制御回路２０２と停電監視回路２０３（電断監視回路）とが内蔵されている。主制御回路２０２には、ＭＰＵ２１１が搭載されている。
【００６２】
ＭＰＵ２１１には、当該ＭＰＵ２１１により実行される各種の制御プログラムや固定値データを記憶したＲＯＭ２１２（不揮発性記憶手段）と、そのＲＯＭ２１２内に記憶される制御プログラムの実行に際して各種のデータ等を一時的に記憶するためのメモリであるＲＡＭ２１３（揮発性記憶手段）と、割込回路やタイマ回路、データ入出力回路などの各種回路が内蔵されている。なお、ＭＰＵ２１１、ＲＯＭ２１２及びＲＡＭ２１３の一部又は全部をそれぞれ別のチップとして設けてもよい。
【００６３】
ＲＡＭ２１３は、パチンコ機１０の電源の遮断後においても電源及び発射制御装置１４２に設けられた電源及び発射制御基板２２１から記憶保持用電力が供給されて情報が記憶保持される構成となっている。
【００６４】
ＭＰＵ２１１には、入力ポート及び出力ポートがそれぞれ設けられている。なお、入出力ポートを備え、ＭＰＵ２１１において入出力が適宜変更される構成としてもよい。これは、後述する他のＭＰＵにおいても同様である。
【００６５】
ＭＰＵ２１１の入力側には、主制御基板２０１に設けられた停電監視回路２０３、払出制御装置１４１に設けられた払出制御基板２２２及びその他図示しないセンサ群などが接続されている。この場合に、停電監視回路２０３には電源及び発射制御基板２２１が接続されており、ＭＰＵ２１１（主制御回路２０２）には停電監視回路２０３を介して電力が供給される。また、スイッチ群の一部として、作動口３３，３４及び可変入賞装置３２などといった入球部に設けられた複数の検知センサが接続されており、主制御装置９１のＭＰＵ２１１において入球部への入球判定が行われる。また、ＭＰＵ２１１では、入球部のうち、作動口３３，３４への入球に基づいて大当たり発生判定を実行する。
【００６６】
ここで、ＭＰＵ２１１にて大当たり発生判定を行う上での電気的な構成について図９を用いて説明する。
【００６７】
ＭＰＵ２１１は遊技に際し各種カウンタ情報を用いて、大当たり抽選、第１特定ランプ部４３の発光色の設定や、図柄表示装置４１の図柄表示の設定などを行うこととしており、具体的には、大当たりの抽選に使用する大当たり乱数カウンタＣ１と、確変大当たりや通常大当たり等の大当たり種別を判定する際に使用する大当たり種別カウンタＣ２と、図柄表示装置４１が外れ変動する際のリーチ抽選に使用するリーチ乱数カウンタＣ３と、大当たり乱数カウンタＣ１の初期値設定に使用する乱数初期値カウンタＣＩＮＩと、図柄表示装置４１の変動パターン選択に使用する第１変動種別カウンタＣＳ１と、第１特定ランプ部４３に表示される色の切り替えを行う期間及び図柄表示装置４１における図柄の変動表示時間を決定する第２変動種別カウンタＣＳ２と、外れ図柄の組み合わせの設定に使用する外れ図柄カウンタＣ４とを用いることとしている。
【００６８】
このうち、カウンタＣ１〜Ｃ３，ＣＩＮＩ，ＣＳ１，ＣＳ２は、その更新の都度前回値に１が加算され、最大値に達した後０に戻るループカウンタとなっている。また、外れ図柄カウンタＣ４は、ＭＰＵ２１１内のＲレジスタ（リフレッシュレジスタ）を用いてレジスタ値が加算され、結果的に数値がランダムに変化する構成となっている。各カウンタは短時間間隔で更新され、その更新値がＲＡＭ２１３の所定領域に設定されたカウンタ用バッファに適宜格納される。ＲＡＭ２１３には、１つの実行エリアと４つの保留エリア（保留第１〜第４エリア）とからなる保留球格納バッファが設けられており、これらの各エリアには、作動口３３，３４への遊技球の入球履歴に合わせて、大当たり乱数カウンタＣ１、大当たり種別カウンタＣ２及びリーチ乱数カウンタＣ３の各値が時系列的に格納されるようになっている。
【００６９】
各カウンタについて詳しくは、大当たり乱数カウンタＣ１は、例えば０〜６７６の範囲内で順に１ずつ加算され、最大値（つまり６７６）に達した後０に戻る構成となっている。特に大当たり乱数カウンタＣ１が１周した場合、その時点の乱数初期値カウンタＣＩＮＩの値が当該大当たり乱数カウンタＣ１の初期値として読み込まれる。なお、乱数初期値カウンタＣＩＮＩは、大当たり乱数カウンタＣ１と同様のループカウンタである（値＝０〜６７６）。大当たり乱数カウンタＣ１は定期的に更新され、遊技球が作動口３３，３４に入球したタイミングでＲＡＭ２１３の保留球格納バッファに格納される。
【００７０】
大当たり種別カウンタＣ２は、０〜４９の範囲内で順に１ずつ加算され、最大値（つまり４９）に達した後０に戻る構成となっている。そして、本実施の形態では、大当たり種別カウンタＣ２によって、大当たりが終了した後に、確変状態とするか通常状態とするかを決定することとしている。大当たり種別カウンタＣ２は定期的に更新され、遊技球が作動口３３，３４に入球したタイミングでＲＡＭ２１３の保留球格納バッファに格納される。
【００７１】
リーチ乱数カウンタＣ３は、例えば０〜２３８の範囲内で順に１ずつ加算され、最大値（つまり２３８）に達した後０に戻る構成となっている。リーチ乱数カウンタＣ３は定期的に更新され、遊技球が作動口３３，３４に入球したタイミングでＲＡＭ２１３の保留球格納バッファに格納される。
【００７２】
第１変動種別カウンタＣＳ１は、例えば０〜１９８の範囲内で順に１ずつ加算され、最大値（つまり１９８）に達した後０に戻る構成となっており、第２変動種別カウンタＣＳ２は、例えば０〜２４０の範囲内で順に１ずつ加算され、最大値（つまり２４０）に達した後０に戻る構成となっている。
【００７３】
第１変動種別カウンタＣＳ１によってリーチ種別やその他大まかな図柄変動態様といった図柄表示装置４１の表示態様が決定される。また、第２変動種別カウンタＣＳ２によって、第１特定ランプ部４３に表示される色の切り替えを行う期間としての切替表示時間が決定される。この切替表示時間は、図柄表示装置４１の図柄の変動表示時間に相当する。両変動種別カウンタＣＳ１，ＣＳ２は、後述する通常処理が１回実行される毎に１回更新され、当該通常処理内の残余時間内でも繰り返し更新される。そして、第１特定ランプ部４３に表示される色の切り替え開始時及び図柄表示装置４１による図柄の変動開始時における変動パターン決定に際して両変動種別カウンタＣＳ１，ＣＳ２のバッファ値が取得される。
【００７４】
外れ図柄カウンタＣ４は、大当たり抽選が外れとなった時に左列図柄、中列図柄、右列図柄の外れ停止図柄を決定するためのものであり、所定範囲のカウンタ値が用意されている。外れ図柄カウンタＣ４は通常処理内で更新され、外れ図柄カウンタＣ４の値が、ＲＡＭ２１３の前後外れリーチ図柄バッファ、前後外れ以外リーチ図柄バッファ及び完全外れ図柄バッファの何れかに格納される。そして、図柄の変動開始時における変動パターン決定に際し、リーチ乱数カウンタＣ３の値に応じて前後外れリーチ図柄バッファ、前後外れ以外リーチ図柄バッファ及び完全外れ図柄バッファの何れかのバッファ値が取得される。
【００７５】
図８の説明に戻り、ＭＰＵ２１１の出力側には、停電監視回路２０３、払出制御基板２２２及び中継端子板２２３が接続されている。払出制御基板２２２には、賞球コマンドなどといった各種コマンドが出力される。中継端子板２２３を介して主制御回路２０２から音声ランプ制御装置９２に設けられた音声ランプ制御基板２２４に対して各種コマンドなどが出力される。
【００７６】
停電監視回路２０３は、主制御回路２０２と電源及び発射制御基板２２１とを中継し、また電源及び発射制御基板２２１から出力される最大電圧である直流安定２４ボルトの電圧を監視する。そして、この電圧が２２ボルト未満になると電源遮断の発生と判断し、主制御回路２０２に停電信号を送信する。
【００７７】
払出制御基板２２２は、払出装置１１４により賞球などの払出制御を行うものである。演算装置であるＭＰＵ２３１は、そのＭＰＵ２３１により実行される制御プログラムや固定値データ等を記憶したＲＯＭ２３２と、ワークメモリ等として使用されるＲＡＭ２３３とを備えている。なお、ＭＰＵ２３１、ＲＯＭ２３２及びＲＡＭ２３３の一部又は全部をそれぞれ別のチップとして設けてもよい。
【００７８】
払出制御基板２２２のＭＰＵ２３１には、入力ポート及び出力ポートがそれぞれ設けられている。ＭＰＵ２３１の入力側には、主制御回路２０２、電源及び発射制御基板２２１、及び裏パック基板１３１が接続されている。また、ＭＰＵ２３１の出力側には、主制御回路２０２及び裏パック基板１３１が接続されている。
【００７９】
電源及び発射制御基板２２１は、電入時用電源部２２１ａと発射制御部２２１ｂとを備えている。電入時用電源部２２１ａは、例えば、遊技ホール等における商用電源（外部電源）に接続されている。そして、その商用電源から供給される外部電力に基づいて主制御回路２０２や払出制御基板２２２等に対して各々に必要な動作電力を生成するとともに、その生成した動作電力を二重線矢印で示す経路を通じて主制御回路２０２や払出制御基板２２２等に対して供給する。その概要としては、電入時用電源部２２１ａは、裏パック基板１３１を介して供給される交流２４ボルト電源を取り込み、各種センサやモータ等を駆動するための＋１２Ｖ電力、ロジック用の＋５Ｖ電力などを生成し、これら＋１２Ｖ電力、＋５Ｖ電力を主制御回路２０２や払出制御基板２２２等に対して供給する。
【００８０】
発射制御部２２１ｂは、遊技者による発射ハンドル５４の操作にしたがって遊技球発射機構５３の発射制御を担うものであり、遊技球発射機構５３は所定の発射条件が整っている場合に駆動される。
【００８１】
また、電源及び発射制御基板２２１には、電断時用電源部２２１ｃが搭載されている。電断時用電源部２２１ｃはコンデンサからなり、パチンコ機１０の電源がＯＮ状態の場合（外部電源からの電力供給が行われている場合）に電入時用電源部２２１ａから供給される電力により充電される。また、パチンコ機１０の電源がＯＦＦ状態の場合や商用電源における停電発生時といった電源遮断状態（外部電源からの電力供給が遮断されている場合）では、電断時用電源部２２１ｃから放電され主制御基板２０１のＲＡＭ２１３に対して記憶保持用電力が供給される。よって、かかる状況であっても、電断時用電源部２２１ｃから記憶保持用電力が供給されている間はＲＡＭ２１３に記憶された情報が消去されることなく記憶保持される。
【００８２】
ちなみに、電断時用電源部２２１ｃの容量は比較的大きく確保されており、電源遮断前にＲＡＭ２１３に記憶されていた情報は所定の期間内（例えば、１日や２日）保持される。また、電断時用電源部は、コンデンサに限定されることはなく、バッテリや非充電式電池などであってもよい。非充電式電池の場合、パチンコ機１０の電源がＯＮ状態の際に電断時用電源手段への蓄電を行う必要はないが、定期的に交換する必要が生じる。
【００８３】
また、電源及び発射制御基板２２１には、上記電断時用電源部２２１ｃとは異なる停電時処理用電源部が設けられている。電源及び発射制御基板２２１では、直流安定２４ボルトの電源が２２ボルト未満になった後においても、停電時処理用電源部から放電することにより、後述する停電時処理の実行に十分な時間の間、制御系の駆動電源である５ボルトの出力を正常値に維持するように構成されている。これにより、主制御回路２０２などは、停電時処理を正常に実行し完了することができる。
【００８４】
音声ランプ制御基板２２４は、エラー表示ランプ部６３やスピーカ部６４、及び表示制御装置２２５を制御するものである。演算装置であるＭＰＵ２４１は、そのＭＰＵ２４１により実行される制御プログラムや固定値データ等を記憶したＲＯＭ２４２と、ワークメモリ等として使用されるＲＡＭ２４３とを備えている。
【００８５】
音声ランプ制御基板２２４のＭＰＵ２４１には入力ポート及び出力ポートがそれぞれ設けられている。ＭＰＵ２４１の入力側には中継端子板２２３に中継されて主制御回路２０２が接続されており、主制御回路２０２から出力される各種コマンドに基づいて、エラー表示ランプ部６３、スピーカ部６４、及び表示制御装置２２５を制御する。表示制御装置２２５は、音声ランプ制御基板２２４から入力する表示コマンドに基づいて図柄表示装置４１を制御する。
【００８６】
次に、主制御基板２０１のＭＰＵ２１１により実行される各制御処理を図１０〜図１２のフローチャート等を参照しながら説明する。かかるＭＰＵ２１１の処理としては大別して、電源投入に伴い起動されるメイン処理と、定期的に（本実施形態では２ｍｓｅｃ周期で）起動されるタイマ割込み処理と、ＮＭＩ端子（ノンマスカブル端子）への停電信号の入力により起動されるＮＭＩ割込み処理とがあり、説明の便宜上、はじめにＮＭＩ割込み処理とタイマ割込み処理とを説明し、その後メイン処理を説明する。
【００８７】
図１０は、ＮＭＩ割込み処理であり、当該処理は、停電の発生等によるパチンコ機１０の電源遮断時に実行される。すなわち、停電の発生等によりパチンコ機１０の電源が遮断されると、停電信号が停電監視回路２０３からＭＰＵ２１１のＮＭＩ端子に出力され、ＭＰＵ２１１は実行中の制御を中断してＮＭＩ割込み処理を開始する。ＮＭＩ割込み処理では、ステップＳ１０１にてＲＡＭ２１３に設けられた停電フラグ格納エリアに停電フラグを格納し、本処理を終了する。その後、後述する通常処理にて停電フラグが格納されていることが確認されることで、停電時処理が実行される。
【００８８】
次に、タイマ割込み処理について図１１のフローチャートを用いて説明する。
【００８９】
先ずステップＳ２０１では、読み込み処理を実行する。読み込み処理では、一般入賞口３１、可変入賞装置３２、上作動口３３、下作動口３４及びスルーゲート３５に対して個別に設けられた球検知センサからの信号読み込み処理を実行し、その読み込み結果から各入球部への入球の有無を特定する。具体的には、当該読み込み処理では、任意の１回の処理にて遊技球を検知していないことに対応した信号（例えば、ＬＯＷレベル信号）を確認し、その後の２回の処理にて遊技球を検知していることに対応した信号（例えば、ＨＩレベル信号）を連続して確認した場合に、その検知センサに対応した入球部において遊技球の入球が発生したと特定する。
【００９０】
その後、ステップＳ２０２では、乱数初期値カウンタＣＩＮＩの更新を実行する。続くステップＳ２０３では、大当たり乱数カウンタＣ１、大当たり種別カウンタＣ２及びリーチ乱数カウンタＣ３の更新を実行する。その後、ステップＳ２０４にて始動入賞処理を実行する。
【００９１】
始動入賞処理では、図１２のフローチャートに示すように、先ずステップＳ３０１にて、ＲＡＭ２１３の作動口フラグ格納エリアに作動口フラグが格納されているか否かを判定することにより、遊技球が作動口３３，３４に入賞（始動入賞）したか否かを判定する。遊技球が作動口３３，３４に入賞したと判定すると、続くステップＳ３０２において、第１特定ランプ部４３及び図柄表示装置４１の作動保留球数Ｎが上限値（本実施の形態では４）未満であるか否かを判定する。作動口３３，３４への入賞があり、且つ作動保留球数Ｎ＜４であることを条件にステップＳ３０３に進み、作動保留球数Ｎを１加算する。なお、ステップＳ３０３の処理後に作動口フラグを消去する。続くステップＳ３０４では、前記ステップＳ２０３で更新した大当たり乱数カウンタＣ１、大当たり種別カウンタＣ２及びリーチ乱数カウンタＣ３の各値を、ＲＡＭ２１３の保留球格納エリアの空き記憶エリアのうち最初のエリアに格納する。そして、始動入賞処理の後、ＭＰＵ２１１は本タイマ割込み処理を一旦終了する。
【００９２】
次に、電源投入時のリセットに伴い起動されるメイン処理について、図１３のフローチャートを用いて説明する。
【００９３】
先ずステップＳ４０１では、電源投入に伴う立ち上げ処理を実行する。具体的には、従側の制御基板（払出制御基板２２２等）が動作可能な状態になるのを待つために例えば５００ｍｓｅｃ程度待機する。
【００９４】
続くステップＳ４０２では、ステップＳ４０１の立ち上げ処理後から許可禁止用期間である１ｓｅｃが経過したか否かを判定する。１ｓｅｃ経過していない場合にはステップＳ４０２の処理を再度実行する。この時間の測定は、ステップＳ４０２の処理回数をカウントすることにより行われる。例えば、ステップＳ４０２にて否定判定してから再度ステップＳ４０２の処理を実行するまでに要する時間が０．１ｍｓｅｃである場合には、カウント値が１００００回となることで、ステップＳ４０１の立ち上げ処理後から１ｓｅｃ経過したと判定する。なお、時間の測定の具体的な構成は任意であり、例えばリアルタイムクロックを用いて時間の測定を行うようにしてもよい。ステップＳ４０２にて１ｓｅｃ経過したと判定した場合には、ステップＳ４０３に進む。
【００９５】
ステップＳ４０３では、ＲＡＭ２１３のアクセスを許可する。その後、ステップＳ４０４では、電源及び発射制御装置１４２に設けたＲＡＭ消去スイッチ１４８がオンされているか否かを判定し、続くステップＳ４０５ではＲＡＭ２１３の停電フラグ格納エリアに停電フラグが格納されているか否かを判定する。また、ステップＳ４０６ではＲＡＭ判定値を算出し、続くステップＳ４０７では、そのＲＡＭ判定値が電源遮断時に保存したＲＡＭ判定値と一致するか否か、すなわち記憶保持されたデータの有効性を判定する。ＲＡＭ判定値は、例えばＲＡＭ２１３の作業領域アドレスにおけるチェックサム値である。なお、ＲＡＭ２１３の所定のエリアに書き込まれたキーワードが正しく保存されているか否かにより記憶保持されたデータの有効性を判断することも可能である。
【００９６】
上述したように、本パチンコ機１０では、例えばホールの営業開始時など、電源投入時にＲＡＭデータを初期化する場合にはＲＡＭ消去スイッチ１４８を押しながら電源が投入される。したがって、ＲＡＭ消去スイッチ１４８が押されていれば、ステップＳ４０８〜Ｓ４０９の処理に移行する。また、電源遮断の発生情報が設定されていない場合や、ＲＡＭ判定値（チェックサム値等）により記憶保持されたデータの異常が確認された場合も同様にステップＳ４０８〜Ｓ４０９の処理に移行する。
【００９７】
ステップＳ４０８では、ＲＡＭ２１３の使用領域を０にクリアし、ステップＳ４０９ではＲＡＭ２１３の初期化処理を実行する。その後、ステップＳ４１０にて払出制御基板２２２に初期コマンドを出力するとともに、ステップＳ４１１にて割込み許可を設定し、後述する通常処理に移行する。払出制御基板２２２のＭＰＵ２３１では主制御基板２０１から初期コマンドを入力することで、主制御基板２０１との通信が正常に行われていることを認識する。
【００９８】
一方、ＲＡＭ消去スイッチ１４８が押されていない場合には、停電フラグが格納されていること、及びＲＡＭ判定値（チェックサム値等）が正常であることを条件に、ステップＳ４１２にて停電フラグ格納エリアに格納されている停電フラグをクリアする。その後、ステップＳ４１０にて初期コマンドを出力するとともにステップＳ４１１にて割込み許可を設定し、後述する通常処理に移行する。これにより、電源遮断前の状態に復帰する。
【００９９】
次に、通常処理について、図１４のフローチャートを用いて説明する。この通常処理では遊技の主要な処理が実行される。その概要として、ステップＳ５０１〜Ｓ５１０の処理が４ｍｓｅｃ周期の定期処理として実行され、その残余時間でステップＳ５１１，Ｓ５１２のカウンタ更新処理が実行される構成となっている。
【０１００】
通常処理において、ステップＳ５０１では、両変動種別カウンタＣＳ１，ＣＳ２の更新を実行する。続くステップＳ５０２では、外れ図柄カウンタＣ４の更新を実行する。外れ図柄カウンタＣ４の更新処理では、先ず外れ図柄カウンタＣ４の更新を実行し、その更新した外れ図柄カウンタＣ４の値が、前後外れリーチとなる外れリーチ図柄の組み合わせ、前後外れ以外リーチ図柄の組み合わせ、リーチとならない完全外れ図柄の組み合わせのいずれであるかが判定され、それぞれに対応したバッファ内に格納される。
【０１０１】
外れ図柄カウンタＣ４の更新処理の後は、ステップＳ５０３にて第１特定ランプ部４３に表示される色の切り替えを行うための第１特定ランプ部制御処理を実行する。第１特定ランプ部制御処理では、大当たり判定や第１特定ランプ部４３に配設されたＬＥＤランプの光源スイッチのオンオフ制御などが行われる。また、第１特定ランプ部制御処理において、図柄表示装置４１による第１図柄の変動表示の設定も行われる。
【０１０２】
具体的には、大当たり乱数カウンタＣ１の値に基づいて大当たりか否かを判定し、さらに大当たり種別カウンタＣ２の値に基づいて大当たりの種類を決定する（いわゆる、確変大当たりか否かを決定する）。なお、この際、第１図柄における大当たり図柄の種類及び大当たり図柄の組み合わせの停止ラインも決定し、停止図柄コマンドとして設定する。また、大当たりが発生しないと判定された場合には、リーチ乱数カウンタＣ３の値に基づいて第１図柄における外れ図柄の組み合わせの態様を決定する。かかる場合に、上記外れ図柄カウンタ更新処理にて更新されエリア内に格納された図柄の組み合わせを停止図柄コマンドとして設定する。さらに、第２変動種別カウンタＣＳ２の値に基づいて、第１特定ランプ部４３に表示される色の切替表示時間、及び第１図柄の変動表示時間を決定する。さらに、第１変動種別カウンタＣＳ１の値に基づいて第１図柄におけるリーチ種別やその大まかな図柄変動態様を決定し、変動態様コマンドとして設定する。なお、当該第１特定ランプ部制御処理にて第１特定ランプ部４３のオンオフ制御が開始される毎に作動保留球数Ｎが１減算され、作動保留球数Ｎが０の場合にはオンオフ制御が開始されない。
【０１０３】
第１特定ランプ部制御処理の後は、ステップＳ５０４にて大入賞口開閉処理を実行する。大入賞口開閉処理では、大当たり状態である場合において可変入賞装置３２の大入賞口を開放又は閉鎖する。すなわち、大当たり状態のラウンド毎に大入賞口を開放し、大入賞口の最大開放時間が経過したか、又は大入賞口に遊技球が規定数だけ入賞したかを判定する。この規定数だけ入賞したか否かの判定は、大入賞口用カウンタを確認することにより行われる。そして、これら何れかの条件が成立すると大入賞口を閉鎖する。
【０１０４】
その後、ステップＳ５０５では、第２特定ランプ部４４に表示される色の切り替え処理を行うための第２特定ランプ部制御処理を実行する。第２特定ランプ部制御処理では、ゲート保留球数が１以上であることを条件に第２特定ランプ部４４における表示色の切り換えを開始する。この際、表示色の切り換え時間も設定する。また、既に取得されている第２特定ランプ乱数カウンタの値に基づいて停止表示する色を設定する。この停止表示される色として所定の色が設定された場合には、その色の停止表示後に、下作動口３４に付随する電動役物３４ａが所定時間開放される。
【０１０５】
ステップＳ５０５の後は、ステップＳ５０６にて、遊技球発射制御処理を実行する。遊技球発射制御処理では、電源及び発射制御基板２２１の発射制御部２２１ｂから発射許可信号を入力していることを条件として、所定期間（例えば、０．６ｓｅｃ）に１回、遊技球発射機構５３を動作させる。これにより、遊技球が遊技領域に向けて打ち出される。
【０１０６】
ステップＳ５０６の後は、ステップＳ５０７にて入力状態監視処理を実行し、ステップＳ５０８にて払出用出力処理を実行する。これらの処理については後に詳細に説明する。その後、ステップＳ５０９にて、ＲＡＭ２１３に設けられた停電フラグ格納エリアに停電フラグが格納されているか否かを判定する。停電フラグが格納されていない場合は、繰り返し実行される複数の処理の最後の処理が終了したこととなるので、ステップＳ５１０にて次の通常処理の実行タイミングに至ったか否か、すなわち前回の通常処理の開始から所定時間（本実施の形態では４ｍｓｅｃ）が経過したか否かを判定する。そして、次の通常処理の実行タイミングに至るまでの残余時間内において、乱数初期値カウンタＣＩＮＩ及び両変動種別カウンタＣＳ１，ＣＳ２の更新を繰り返し実行する。つまり、ステップＳ５１１では、乱数初期値カウンタＣＩＮＩの更新を実行する。具体的には、乱数初期値カウンタＣＩＮＩを１加算すると共に、そのカウンタ値が最大値（本実施の形態では６７６）に達した際０にクリアする。そして、乱数初期値カウンタＣＩＮＩの更新値を、ＲＡＭ２１３の該当するエリアに格納する。また、ステップＳ５１２では、両変動種別カウンタＣＳ１，ＣＳ２の更新を実行する。具体的には、両変動種別カウンタＣＳ１，ＣＳ２を１加算すると共に、それらのカウンタ値が最大値（本実施の形態では１９８，２４０）に達した際それぞれ０にクリアする。そして、両変動種別カウンタＣＳ１，ＣＳ２の更新値を、ＲＡＭ２１３の該当するエリアに格納する。
【０１０７】
一方、ステップＳ５０９にて、停電フラグが格納されていると判定した場合は、電源遮断が発生したことになるので、ステップＳ５１３以降の停電時処理を実行する。つまり、ステップＳ５１３では、タイマ割込み処理の発生を禁止し、その後、ステップＳ５１４にてＲＡＭ判定値を算出、保存し、ステップＳ５１５にてＲＡＭ２１３のアクセスを禁止した後に、電源が完全に遮断して処理が実行できなくなるまで無限ループを継続する。
【０１０８】
＜遊技球の払出に関する電気的構成＞
次に、遊技球の払出に関する電気的構成及び処理構成について詳細に説明する。先ず、電気的構成について、図１５のブロック図を参照しながら説明する。図１５では、電力の供給ラインを二重線矢印で示し、信号ラインを実線矢印で示す。
【０１０９】
主制御基板２０１と払出制御基板２２２とはハーネスなどの電気配線（信号線）を介して電気的に接続されており、主制御基板２０１から払出制御基板２２２に指令情報としてのコマンドが出力されるとともに、払出制御基板２２２から主制御基板２０１には各種の電気信号が出力される。
【０１１０】
主制御基板２０１のＭＰＵ２１１は入力ポート２１１ａを備えており、当該入力ポート２１１ａにおいて払出制御基板２２２から賞球許可信号を含めた各種の電気信号を入力するとともに各種センサ等からの電気信号を入力する。なお、賞球許可信号の詳細については後に説明する。また、ＭＰＵ２１１は入力ポート２１１ａにおいて、前扉枠開放スイッチ２２及び内枠開放スイッチ１３４からの電気信号などが入力される。
【０１１１】
なお、前扉枠開放スイッチ２２及び内枠開放スイッチ１３４から出力された電気信号は、電源及び発射制御基板２２１と払出制御基板２２２とに中継された後に主制御基板２０１に入力される。この場合、払出制御基板２２２においては、これら前扉枠開放スイッチ２２及び内枠開放スイッチ１３４からの電気信号を中継するだけであり、払出制御基板２２２のＭＰＵ２３１には入力されない。これは電源及び発射制御基板２２１についても同様である。
【０１１２】
主制御基板２０１のＲＡＭ２１３の構成について説明する。
【０１１３】
主制御基板２０１のＲＡＭ２１３には個別に情報を記憶する手段としての賞球用カウンタエリア２５１が設けられている。賞球用カウンタエリア２５１には、１５個賞球用カウンタエリアと、１０個賞球用カウンタエリアと、４個賞球用カウンタエリアと、３個賞球用カウンタエリアとが設けられている。
【０１１４】
ここで、本パチンコ機１０には既に説明したように、賞球用入球部（又は賞払出用通過部）として、一般入賞口３１、可変入賞装置３２、上作動口３３及び下作動口３４が設けられており、各賞球用入球部ごとに入球に対する賞球個数（払い出される遊技球の個数）が異なっている。具体的には、一般入賞口３１に入球した場合の賞球個数は１０個であり、可変入賞装置３２に入球した場合の賞球個数は１５個であり、上作動口３３に入球した場合の賞球個数は３個であり、下作動口３４に入球した場合の賞球個数は４個である。
【０１１５】
当該構成において、１５個賞球用カウンタエリアは可変入賞装置３２への入球に対する１５個賞球をあと何回行うかを記憶するものであり、１０個賞球用カウンタエリアは一般入賞口３１への入球に対する１０個賞球をあと何回行うかを記憶するものであり、４個賞球用カウンタエリアは下作動口３４への入球に対する４個賞球をあと何回行うかを記憶するものであり、３個賞球用カウンタエリアは上作動口３３への入球に対する３個賞球をあと何回行うかを記憶するものである。各賞球用カウンタエリアは、それぞれ１バイトで構成されており、賞球の未実施回数を最大で２５５回まで覚えることができる。
【０１１６】
なお、上記賞球個数パターンは一例であり、各個数は任意である。また、賞球数のパターンも上記の４種類に限定されることはなく、２種類、３種類又は５種類以上であってもよい。また、各賞球用カウンタエリアは１バイトに限定されることはなく、２バイト又は３バイト以上であってもよい。さらには各賞球用カウンタエリアに記憶可能な賞球の未実施回数は、最大で２５５回であることは必須ではなく、複数回が記憶可能であれば、２５５回よりも少なく又は多くてもよい。
【０１１７】
主制御基板２０１のＭＰＵ２１１では、賞球用カウンタエリア２５１に記憶されている情報（賞情報）に基づいて、入賞発生の有無を判定し、入賞発生有りと判定した場合にはその入賞の種類に対応した賞球コマンドを払出制御基板２２２に出力する。なお、賞球コマンドは、主制御基板２０１のＲＯＭ２１２のコマンド記憶エリア２１２ａに予め記憶されている。
【０１１８】
賞球コマンドとしては、１５個賞球コマンドと、１０個賞球コマンドと、４個賞球コマンドと、３個賞球コマンドとが設定されている。１５個賞球用カウンタエリアに記憶されている賞球情報に基づいて賞球コマンドが出力される場合には１５個賞球コマンドが出力され、１０個賞球用カウンタエリアに記憶されている賞球情報に基づいて賞球コマンドが出力される場合には１０個賞球コマンドが出力され、４個賞球用カウンタエリアに記憶されている賞球情報に基づいて賞球コマンドが出力される場合には４個賞球コマンドが出力され、３個賞球用カウンタエリアに記憶されている賞球情報に基づいて賞球コマンドが出力される場合には３個賞球コマンドが出力される。
【０１１９】
各賞球コマンドは２バイトで構成されている。すなわち、各賞球コマンドは上位情報と下位情報とを備えており、それら各情報はそれぞれ１バイトで構成されている。これら上位情報及び下位情報のうち、上位情報には払出制御基板２２２のＭＰＵ２３１において本コマンドが賞球コマンドであることを特定するための情報が設定されており、下位情報には払出制御基板２２２のＭＰＵ２３１において本賞球コマンドの賞球数の情報が設定されている。
【０１２０】
その他、主制御基板２０１のＲＡＭ２１３には、前扉枠カウンタエリア２５２、賞球許可カウンタエリア２５３及び各種フラグ格納エリア２５４が設けられている。前扉枠カウンタエリア２５２は、主制御基板２０１のＭＰＵ２１１において前扉枠１４の開閉の有無を判定する場合に用いられる。また、賞球許可カウンタエリア２５３は、主制御基板２０１のＭＰＵ２１１において賞球許可信号に関する処理を実行する上で用いられる。また、各種フラグ格納エリア２５４は、主制御基板２０１のＭＰＵ２１１において各種の制御処理を実行する上で用いられる。
【０１２１】
払出制御基板２２２は払出装置１１４と電気的に接続されており、払出制御基板２２２のＭＰＵ２３１は、払出モータ１２５に駆動信号を出力するとともに、払出球検知センサ１２６から遊技球の検知の有無を示す電気信号を入力する。また、払出制御基板２２２は球貸用接続端子板１４３を介して球貸装置Ｙと電気的に接続されており、払出制御基板２２２のＭＰＵ２３１は、球貸装置Ｙとの間で電気信号の入出力を行うことで貸球の制御を実行する。
【０１２２】
また、払出制御基板２２２のＭＰＵ２３１は、満タン検知センサ８８及び球無検知センサ１１５から電気信号を入力し、下皿８２が満タン状態となっているか否かの特定や、タンク１１１が球無状態となっているか否かの特定を行う。これら満タン検知センサ８８及び球無検知センサ１１５のうち満タン検知センサ８８から出力された電気信号は、電源及び発射制御基板２２１に中継された後に払出制御基板２２２に入力される。なお、払出制御基板２２２のＭＰＵ２３１は、下皿８２が満タン状態となっているか否かの特定結果を主制御基板２０１のＭＰＵ２１１に出力する。これにより、下皿８２が満タン状態となっているか否かを主制御基板２０１のＭＰＵ２１１において把握することができるようになっている。
【０１２３】
払出制御基板２２２のＲＡＭ２３３の構成について説明する。
【０１２４】
払出制御基板２２２のＲＡＭ２３３には満タンカウンタエリア２６１が設けられている。満タンカウンタエリア２６１は、払出制御基板２２２のＭＰＵ２３１において下皿８２が満タン状態であるか否かを特定する上で用いられる。また、払出制御基板２２２のＲＡＭ２３３には球無カウンタエリア２６２が設けられている。球無カウンタエリア２６２は、払出制御基板２２２のＭＰＵ２３１においてタンク１１１が球無状態であるか否かを特定する上で用いられる。また、払出制御基板２２２のＲＡＭ２３３にはコマンド格納エリア２６３が設けられている。コマンド格納エリア２６３は、主制御基板２０１のＭＰＵ２１１から入力した賞球コマンドを一時的に格納しておく上で用いられる。
【０１２５】
また、払出制御基板２２２のＲＡＭ２３３には賞球数記憶エリア２６４が設けられている。賞球数記憶エリア２６４は、複数のビット（８ビット）が列状に並べられてなる１バイトで構成されており、各ビットには「０」（データ０又は無情報）又は「１」（データ１又は有情報）が設定される。そして、賞球数記憶エリア２６４は、払出制御基板２２２のＭＰＵ２３１において賞球コマンドを解析することで特定した賞球数の情報を記憶しておくための機能を有している。この場合、賞球数の情報（賞球数情報又は賞払出数情報）は、所定の遊技媒体数の範囲内において各ビットのデータ１の設定パターンと遊技媒体数とが１対１で対応した情報である。具体的には、下位のビットから上位のビットに向けて予め定められた順序で各ビットに「１」（データ１又は有情報）が設定され、上位側のビットに「１」が設定されているほど対応する賞球数が大きい数となるように２進数で表される情報である。なお、賞球コマンドから賞球数の情報を特定する場合には、払出制御基板２２２のＲＯＭ２３２に設けられた賞球テーブル記憶エリア２３２ａが参照される。
【０１２６】
また、払出制御基板２２２のＲＡＭ２３３には貸球数記憶エリア２６５が設けられている。貸球数記憶エリア２６５は、１バイトで構成されており、払出制御基板２２２のＭＰＵ２３１において球貸装置Ｙから入力した貸球数の情報を記憶しておくための機能を有している。また、払出制御基板２２２のＲＡＭ２３３には払出個数カウンタエリア２６６が設けられている。払出個数カウンタエリア２６６は、１バイトで構成されており、払出制御基板２２２のＭＰＵ２３１において遊技球の払出を実行する上での実行エリアとしての機能を有する。
【０１２７】
なお、賞球数記憶エリア２６４、貸球数記憶エリア２６５及び払出個数カウンタエリア２６６は、１バイトに限定されることはなく、２バイト又は３バイト以上であってもよい。また、これら各エリア２６４〜２６６が同一のバイト数である必要はない。
【０１２８】
その他、払出制御基板２２２のＲＡＭ２３３には各種フラグ格納エリア２６７が設けられている。各種フラグ格納エリア２６７は、払出制御基板２２２のＭＰＵ２３１において各種の制御処理を実行する上で用いられる。
【０１２９】
なお、払出制御基板２２２のＲＡＭ２３３には、上記各エリア２６１〜２６７の他に、主制御基板２０１のＭＰＵ２１１からコマンドを入力した場合にそのコマンドを一時的に格納しておくためのリングバッファが設けられている。リングバッファは複数の記憶領域を備えているとともに、読み込みポインタと読み出しポインタとが設定されている。読み込みポインタに基づき各記憶領域にコマンドが順次読み込まれていくとともに、読み出しポインタに基づき各記憶領域に記憶されたコマンドが順次読み出されていく。
【０１３０】
電源及び発射制御基板２２１の電入時用電源部２２１ａからの電力は、主制御基板２０１のＭＰＵ２１１のＶＣＣ端子、及び払出制御基板２２２のＭＰＵ２３１のＶＣＣ端子に供給される。ＶＣＣ端子に供給された電力により、外部電源からの電力供給が行われている状況において、各ＭＰＵ２１１，３３１にて各種制御処理が実行されるとともに、各ＲＡＭ２１３，３３３にて情報の記憶保持が行われる。
【０１３１】
また、電源及び発射制御基板２２１の電断時用電源部２２１ｃからの電力は、主制御基板２０１のＭＰＵ２１１のＶＢＢ端子に供給される。つまり、電断時用電源部２２１ｃからの電力は、主制御基板２０１のＲＡＭ２１３に供給されるが、払出制御基板２２２のＲＡＭ２３３には供給されない。ＶＢＢ端子に供給された電力により、外部電源からの電力供給が遮断されている状況において、主制御基板２０１のＲＡＭ２１３にて情報の記憶保持が行われる。なお、既に説明したように、電入時用電源部２２１ａ及び電断時用電源部２２１ｃから主制御基板２０１のＭＰＵ２１１に供給される電力は、停電監視回路２０３にて中継される。また、払出制御基板２２２のＭＰＵ２３１のＶＢＢ端子（図示略）は、アースされている又はいずれの電気配線とも接続されていない。
【０１３２】
＜遊技球の払出に関する処理構成であって主制御基板２０１のＭＰＵ２１１における処理構成＞
次に、遊技球の払出に関する処理構成について説明する。なお、以下の説明では、主制御基板２０１のＭＰＵ２１１を主側ＭＰＵ２１１といい、払出制御基板２２２のＭＰＵ２３１を払出側ＭＰＵ２３１という。また、主制御基板２０１のＲＡＭ２１３を主側ＲＡＭ２１３といい、払出制御基板２２２のＲＡＭ２３３を払出側ＲＡＭ２３３という。
【０１３３】
先ず、主側ＭＰＵ２１１における処理構成について説明する。なお、以下の説明において、カウンタエリアの値とは、バイト単位で構成されたカウンタエリアの値を仮想的に１０進数で表現した値のことをいう。
【０１３４】
＜入力状態監視処理＞
先ず、通常処理（図１４）のステップＳ５０７にて実行される入力状態監視処理について、図１６のフローチャートを参照しながら説明する。
【０１３５】
入力状態監視処理では、先ずステップＳ６０１にて、入力ポート２１１ａから入力情報を取得する。具体的には、主側ＭＰＵ２１１に設けられた１バイト単位の汎用レジスタに、入力ポート２１１ａの入力情報を格納する。
【０１３６】
続くステップＳ６０２では、遊技球の払出に関して異常が発生しているか否かを特定するための払出異常信号監視処理を実行する。詳細には、払出異常信号監視処理では、払出制御基板２２２から異常信号を入力している旨の情報が汎用レジスタに格納されている場合に、払出異常の発生を主制御基板２０１の主側ＭＰＵ２１１において特定する。そして、払出異常の発生を特定した場合には、音声ランプ制御基板２２４に払出異常コマンド（払出異常情報）を出力し、異常報知を実行させる。
【０１３７】
続くステップＳ６０３では、下皿８２が満タン状態となっているか否かを特定するための満タン信号監視処理を実行する。詳細には、満タン信号監視処理では、払出制御基板２２２から満タン信号を入力している旨の情報が汎用レジスタに格納されている場合に、下皿８２が満タン状態であることを主制御基板２０１の主側ＭＰＵ２１１において特定する。そして、下皿８２が満タン状態であることを特定した場合には、音声ランプ制御基板２２４に満タン状態コマンド（満タン状態情報）を出力し、満タン報知を実行させる。
【０１３８】
続くステップＳ６０４では、内枠１３が開放状態となっているか否かを特定するための内枠開放信号監視処理を実行する。詳細には、内枠開放信号監視処理では、内枠開放スイッチ１３４から内枠開放信号を入力している旨の情報が汎用レジスタに格納されている場合に、内枠１３が開放状態であることを主制御基板２０１の主側ＭＰＵ２１１において特定する。そして、内枠１３が開放状態であることを特定した場合には、音声ランプ制御基板２２４に内枠開放状態コマンド（本体開放報知用情報）を出力し、本体開放報知を実行させる。
【０１３９】
その後、ステップＳ６０５にて前扉枠開放信号監視処理を実行するとともに、ステップＳ６０６にて賞球許可信号監視処理を実行した後に、本入力状態監視処理を終了する。
【０１４０】
＜前扉枠開放信号監視処理＞
次に、上記ステップＳ６０５の前扉枠開放信号監視処理について、図１７のフローチャートを参照しながら説明する。
【０１４１】
ここで、前扉枠開放信号監視処理は、（１）前扉枠１４が閉鎖状態であることが特定された後であって当該閉鎖状態が継続されている場合の処理、（２）前扉枠１４が閉鎖状態から開放状態となった場合であって開放状態であることが特定されるまでの処理、（３）前扉枠１４が開放状態であることが特定された後であって当該開放状態が継続されている場合の処理、（４）前扉枠１４が開放状態から閉鎖状態となった場合であって閉鎖状態であることが特定されるまでの処理、に大別される。そこで、これら状況の処理を個別に説明する。
【０１４２】
先ず、上記（１）の前扉枠１４が閉鎖状態であることが特定された後であって当該閉鎖状態が継続されている場合の処理について説明する。
【０１４３】
先ずステップＳ７０１では、前扉枠１４が開放状態であることを示す前扉枠開放信号を入力している旨の前扉枠開放情報が汎用レジスタに格納されているか否かを判定する。今回は前扉枠１４が閉鎖状態である場合であるため、ステップＳ７０１にて否定判定をし、ステップＳ７０２に進む。
【０１４４】
ステップＳ７０２では、主側ＲＡＭ２１３の前扉枠カウンタエリア２５２における第１前扉枠カウンタエリア（開放特定契機把握用手段）に、開放特定基準回数を格納する。具体的には、前扉枠カウンタエリア２５２に「３」を格納する。第１前扉枠カウンタエリアは、閉鎖状態の前扉枠１４が開放状態となった場合に、主側ＭＰＵ２１１において前扉枠１４が開放状態となったことを特定する場合に用いられるカウンタである。
【０１４５】
続くステップＳ７０３では、主側ＲＡＭ２１３の前扉枠カウンタエリア２５２における第２前扉枠カウンタエリア（閉鎖特定契機把握用手段）が「０」となっているか否かを判定する。第２前扉枠カウンタエリアは、開放状態の前扉枠１４が閉鎖状態となった場合に、主側ＭＰＵ２１１において前扉枠１４が閉鎖状態となったことを特定する場合に用いられるカウンタである。当該第２前扉枠カウンタエリアは、前扉枠１４が閉鎖状態となったことを特定した後は、「０」の状態で維持される。したがって、前扉枠１４が閉鎖状態であることが特定された後であって当該閉鎖状態が継続されている場合には、第２前扉枠カウンタエリアは「０」であり、ステップＳ７０３にて肯定判定をし、そのまま本前扉枠開放信号監視処理を終了する。
【０１４６】
次に、上記（２）の前扉枠１４が閉鎖状態から開放状態となった場合であって開放状態であることが特定されるまでの処理について説明する。
【０１４７】
今回は前扉枠１４が開放状態である場合であるため、ステップＳ７０１に肯定判定をし、ステップＳ７１１に進む。ステップＳ７１１では、主側ＲＡＭ２１３の第２前扉枠カウンタエリアに、閉鎖特定基準値情報を格納する。具体的には、第２前扉枠カウンタエリアに「２５０」を格納する。
【０１４８】
続くステップＳ７１２では、第１前扉枠カウンタエリアが「０」となっているか否かを判定する。今回は、前扉枠１４が閉鎖状態から開放状態となった場合であって開放状態であることが特定されるまでの処理であるため、前扉枠１４が閉鎖状態の場合にステップＳ７０２にて第１前扉枠カウンタエリアに格納された開放特定基準値情報が未だ「０」となっていない状態である。したがって、ステップＳ７１２にて否定判定をし、ステップＳ７１３に進む。
【０１４９】
ステップＳ７１３では、第１前扉枠カウンタエリアの値を１減算する。続くステップＳ７１４では、第１前扉枠カウンタエリアの値が「０」か否かを判定する。つまり、前扉枠１４が閉鎖状態から開放状態となった場合であって開放状態であることが特定されるまでは、前扉枠開放信号監視処理が実行される度に第１前扉枠カウンタエリアの値が１減算される。また、前扉枠開放信号監視処理は、通常処理の一部の処理として実行されるため、その実行周期は約４ｍｓｅｃである。また、前扉枠１４が閉鎖状態の場合には、ステップＳ７０２にて第１前扉枠カウンタエリアに「３」が格納される。したがって、ステップＳ７１４では、前扉枠１４が開放操作され閉鎖状態から開放状態となった時点（前扉枠開放スイッチ２２から前扉枠開放信号が出力された時点）から１２ｍｓｅｃが経過したか否かを判定していることとなる。
【０１５０】
第１前扉枠カウンタエリアの値が「０」でない場合には、ステップＳ７１４にて否定判定をし、そのまま本前扉枠開放信号監視処理を終了する。第１前扉枠カウンタエリアの値が「０」である場合には、ステップＳ７１４にて肯定判定をし、ステップＳ７１５に進む。ステップＳ７１５では、主側ＲＡＭ２１３の前扉枠開放フラグ格納エリアに前扉枠開放フラグが格納されているか否かを判定する。前扉枠開放フラグが格納されている場合には、そのまま本前扉枠開放信号監視処理を終了する。前扉枠開放フラグが格納されていない場合には、ステップＳ７１６に進む。
【０１５１】
ステップＳ７１６では、前扉枠開放フラグ格納エリア（前面体開放情報記憶手段）に前扉枠開放フラグ（前面体開放情報）を格納する。これにより、主側ＭＰＵ２１１において前扉枠１４が開放状態であることが特定される。続くステップＳ７１７では、主側ＲＡＭ２１３の前扉枠状態変化フラグ格納エリアに前扉枠状態変化フラグを格納する。これにより、主側ＭＰＵ２１１において前扉枠１４が開放状態であることを特定したタイミングであることが特定される。続くステップＳ７１８では、前扉枠開放コマンドをセットする。当該前扉枠開放コマンドは、後述する払出用出力処理にて払出制御基板２２２に出力され、払出側ＭＰＵ２３１では前扉枠開放コマンドを入力することで、前扉枠１４が開放状態であることを特定する。
【０１５２】
その後、ステップＳ７１０ではサブコマンド設定処理を実行する。サブコマンド設定処理では、音声ランプ制御基板２２４に前扉枠開放状態コマンド（前面体開放報知用情報）を出力し、前面体開放報知を実行させる。
【０１５３】
次に、上記（３）の前扉枠１４が開放状態であることが特定された後であって当該開放状態が継続されている場合の処理について説明する。
【０１５４】
今回は前扉枠１４が開放状態である場合であるため、ステップＳ７０１にて肯定判定をし、ステップＳ７１１に進み、主側ＲＡＭ２１３の第２前扉枠カウンタエリアに「２５０」を格納する。続くステップＳ７１２では、第１前扉枠カウンタエリアが「０」となっているか否かを判定する。今回は前扉枠１４が開放状態であることが特定された後であって当該開放状態が継続されている場合であるため、第１前扉枠カウンタエリアが「０」の状態が維持されている。したがって、ステップＳ７１２にて肯定判定をし、そのまま本前扉枠開放信号監視処理を終了する。
【０１５５】
次に、上記（４）の前扉枠１４が開放状態から閉鎖状態となった場合であって閉鎖状態であることが特定されるまでの処理について説明する。
【０１５６】
今回は前扉枠１４が閉鎖状態である場合であるため、ステップＳ７０１にて否定判定をし、ステップＳ７０２に進み、主側ＲＡＭ２１３の第１前扉枠カウンタエリアに「３」を格納する。
【０１５７】
続くステップＳ７０３では、主側ＲＡＭ２１３の第２前扉枠カウンタエリアが「０」となっているか否かを判定する。今回は、前扉枠１４が開放状態から閉鎖状態となった場合であって閉鎖状態が特定されるまでの処理であるため、前扉枠１４が開放状態の場合にステップＳ７１１にて第２前扉枠カウンタエリアに格納された閉鎖特定基準回数が未だ「０」となっていない状態である。したがって、ステップＳ７０３にて否定判定をし、ステップＳ７０４に進む。
【０１５８】
ステップＳ７０４では、第２前扉枠カウンタエリアの値を１減算する。続くステップＳ７０５では、第２前扉枠カウンタエリアの値が「０」か否かを判定する。つまり、前扉枠１４が開放状態から閉鎖状態となった場合であって閉鎖状態であることが特定されるまでは、前扉枠開放信号監視処理が実行される度に第２前扉枠カウンタエリアの値が１減算される。また、前扉枠開放信号監視処理は、通常処理の一部の処理として実行されるため、その実行周期は約４ｍｓｅｃである。また、前扉枠１４が開放状態の場合には、ステップＳ７１１にて第２前扉枠カウンタエリアに「２５０」が格納される。したがって、ステップＳ７０５では、前扉枠１４が閉鎖操作され開放状態から閉鎖状態となった時点（前扉枠開放スイッチ２２からの前扉枠開放信号の出力が停止された時点）から１ｓｅｃが経過したか否かを判定していることとなる。
【０１５９】
第２前扉枠カウンタエリアの値が「０」でない場合には、ステップＳ７０５にて否定判定をし、そのまま本前扉枠開放信号監視処理を終了する。第２前扉枠カウンタエリアの値が「０」である場合には、ステップＳ７０５にて肯定判定をし、ステップＳ７０６に進む。ステップＳ７０６では、主側ＲＡＭ２１３の前扉枠開放フラグ格納エリアに前扉枠開放フラグが格納されているか否かを判定する。前扉枠開放フラグが格納されていない場合には、そのまま本前扉枠開放信号監視処理を終了する。前扉枠開放フラグが格納されている場合には、ステップＳ７０７に進む。
【０１６０】
ステップＳ７０７では、前扉枠開放フラグ格納エリアに格納されている前扉枠開放フラグを消去する。これにより、主側ＭＰＵ２１１において前扉枠１４が閉鎖状態であることが特定される。続くステップＳ７０８では、主側ＲＡＭ２１３の前扉枠状態変化フラグ格納エリアに前扉枠状態変化フラグを格納する。これにより、主側ＭＰＵ２１１において前扉枠１４が閉鎖状態であることを特定したタイミングであることが特定される。続くステップＳ７０９では、前扉枠閉鎖コマンドをセットする。当該前扉枠閉鎖コマンドは、後述する払出用出力処理にて払出制御基板２２２に出力され、払出側ＭＰＵ２３１では前扉枠閉鎖コマンドを入力することで、前扉枠１４が閉鎖状態であることを特定する。
【０１６１】
その後、ステップＳ７１０ではサブコマンド設定処理を実行する。今回のサブコマンド設定処理では、音声ランプ制御基板２２４に前扉枠閉鎖状態コマンド（前面体閉鎖報知用情報）を出力し、前面体開放報知を終了させる。その後、本前扉枠開放信号監視処理を終了する。
【０１６２】
なお、ステップＳ６０４の内枠開放信号監視処理では、内枠１３の開放状態及び閉鎖状態の特定を行うための具体的な処理内容の説明を省略したが、基本的に前扉枠開放信号監視処理と同様の処理を実行する。
【０１６３】
＜賞球許可信号監視処理＞
次に、上記ステップＳ６０６の賞球許可信号監視処理について、図１８のフローチャートを参照しながら説明する。
【０１６４】
先ず賞球許可信号について説明する。
【０１６５】
本パチンコ機１０では、既に説明したように、電源及び発射制御基板２２１の電断時用電源部２２１ｃからの電力は、主側ＲＡＭ２１３に供給されるが、払出側ＲＡＭ２３３には供給されない。当該構成とすることにより、電断時用電源部２２１ｃの小容量化が図られ、それに伴ってパチンコ機１０のコストの削減が図られる。
【０１６６】
但し、当該構成においては、外部電源からのパチンコ機１０への電力供給が停止されると、払出側ＲＡＭ２３３に記憶されている情報は全て消去されてしまう（破壊されてしまう）。この場合、従来のパチンコ機のように未払出の賞球数の情報を全て払出側ＲＡＭ２３３に記憶しておく構成とすると、未払出の賞球数がある状況でパチンコ機１０への電力供給が停止された場合にはその未払出の賞球数の全てが払い出されることなく消去されてしまう。そうすると遊技者に多大な不利益を及ぼすこととなってしまう。
【０１６７】
これに対して、本パチンコ機１０では、未払出の賞球情報は基本的に主側ＲＡＭ２１３の賞球用カウンタエリア２５１に記憶し、主側ＭＰＵ２１１は払出側ＭＰＵ２３１から賞球許可信号を入力している場合に当該払出側ＭＰＵ２３１に対して賞球コマンドを出力する。そして、払出側ＭＰＵ２３１では、払出側ＲＡＭ２３３の賞球数記憶エリア２６４に記憶される賞球数の情報が、最大でも、１回の入賞に対する最大賞球数（１５個賞球）と、後述する許可基準数との和となるように賞球許可信号の出力開始タイミング及び出力停止タイミングを設定する。なお、この許可基準数は、１回の入賞に対する最小賞球数又はそれ未満となっている。これにより、未払出の賞球数が多数残っている状況でパチンコ機１０への電力供給が停止されたとしても、その際に消去される賞球数を極力少なくすることが可能となる。つまり、賞球許可信号とは、主側ＭＰＵ２１１において賞球コマンドの出力タイミングを特定するために、払出側ＭＰＵ２３１から主側ＭＰＵ２１１に出力される情報である。
【０１６８】
さて、賞球許可信号監視処理では先ずステップＳ８０１にて、賞球許可信号を入力している旨の賞球許可情報が入力ポート２１１ａに格納されているか否かを判定する。なお、賞球許可信号監視処理に際して、入力ポート２１１ａの情報を主側ＭＰＵ２１１の汎用レジスタや専用レジスタに格納する構成としてもよく、この場合、そのレジスタに賞球許可情報が格納されているか否かを判定する構成とする。
【０１６９】
賞球許可情報が格納されている場合には、ステップＳ８０２にて、主制御基板２０１のＲＡＭ２１３の賞球許可カウンタエリア（許可契機把握用手段）２５３に格納されている値が「５」であるか否かを判定する。賞球許可カウンタエリア２５３とは、入力ポート２１１ａに賞球許可情報が格納されている場合に、それが払出制御基板２２２から実際に賞球許可信号が出力されていることに起因して格納されたものか、ノイズなどの原因により格納されたものかを主側ＭＰＵ２１１において特定するためのものである。
【０１７０】
賞球許可カウンタエリア２５３の値が「５」以上の場合には、ステップＳ８０２にて肯定判定をし、そのまま本賞球許可信号監視処理を終了する。一方、賞球許可カウンタエリア２５３の値が「５」未満の場合には、ステップＳ８０２にて否定判定をし、ステップＳ８０３に進む。ステップＳ８０３では、賞球許可カウンタエリア２５３の値を１加算した後に、本賞球許可信号監視処理を終了する。
【０１７１】
ここで、賞球許可信号監視処理は、通常処理の一部の処理として実行されるため、その実行周期は約４ｍｓｅｃである。したがって、払出制御基板２２２から賞球許可信号が出力されており、且つ賞球許可カウンタエリア２５３の値が「５」未満の場合には、約４ｍｓｅｃ周期で賞球許可カウンタエリア２５３の値が１加算される。また、ステップＳ８０２の処理が実行されることにより、払出制御基板２２２からの賞球許可信号の出力が継続されている状況であっても賞球許可カウンタエリア２５３の値が「５」以上となった場合には、当該賞球許可カウンタエリア２５３の値の加算処理は実行しない。
【０１７２】
また、ステップＳ８０２にて、賞球許可情報が格納されていないと判定した場合には、ステップＳ８０４にて賞球許可カウンタエリア２５３の値を「０」クリアした後に、本賞球許可信号監視処理を終了する。つまり、払出制御基板２２２から賞球許可信号が出力されていない状況では、賞球許可カウンタエリア２５３の値は「０」に維持される。
【０１７３】
＜払出用出力処理＞
次に、通常処理（図１４）のステップＳ５０８にて実行される払出用出力処理について、図１９のフローチャートを参照しながら説明する。払出用出力処理とは、主制御基板２０１のＭＰＵ２１１から払出制御基板２２２のＭＰＵ２３１に各種コマンドを出力するための処理である。
【０１７４】
払出用出力処理では、先ずステップＳ９０１にて、主側ＲＡＭ２１３の前扉枠状態変化フラグ格納エリアに前扉枠状態変化フラグが格納されているか否かを判定する。前扉枠状態変化フラグが格納されている場合には、ステップＳ９０２にて前扉枠状態変化フラグを消去するとともに、ステップＳ９０３にて前扉枠開放コマンド又は前扉枠閉鎖コマンドを払出制御基板２２２に出力した後に本払出用出力処理を終了する。
【０１７５】
一方、ステップＳ９０１において、主側ＲＡＭ２１３の前扉枠状態変化フラグ格納エリアに前扉枠状態変化フラグが格納されていない場合には否定判定をし、ステップＳ９０４に進む。ステップＳ９０４では、主側ＲＡＭ２１３の前扉枠開放フラグ格納エリアに前扉枠開放フラグが格納されているか否かを判定する。前扉枠開放フラグが格納されている場合には、そのまま払出用出力処理を終了する。
【０１７６】
前扉枠開放フラグが格納されていない場合には、ステップＳ９０５にて、主側ＲＡＭ２１３の賞球許可カウンタエリア２５３の値が出力許可基準回数としての「５」となっているか否かを判定する。ここで、上記のとおり、賞球許可カウンタエリア２５３の値は、払出側ＭＰＵ２３１から賞球許可信号が出力されており、且つ賞球許可カウンタエリア２５３の値が「５」未満の場合には、約４ｍｓｅｃ周期で１加算される。また、賞球許可カウンタエリア２５３の値は、払出側ＭＰＵ２３１からの賞球許可信号の出力が停止された場合には「０」クリアされる。したがって、ステップＳ９０５では、払出側ＭＰＵ２３１からの賞球許可信号の出力が継続して出力許可継続期間としての２０ｍｓｅｃとなったか否かを判定している。
【０１７７】
賞球許可カウンタエリア２５３の値が「５」でない場合には、そのまま本払出用出力処理を終了する。賞球許可カウンタエリア２５３の値が「５」である場合には、ステップＳ９０６にて、主側ＲＡＭ２１３の賞球用カウンタエリア２５１における各種カウンタエリアのいずれかに賞球情報が記憶されているか否かを判定する。いずれにも賞球情報が記憶されていない場合には、そのまま本払出用出力処理を終了する。
【０１７８】
各種賞球用カウンタエリアのいずれかに賞球情報が記憶されている場合には、ステップＳ９０７にて賞球許可カウンタエリア２５３の値を「０」クリアする。その後、ステップＳ９０８にて賞球コマンド出力処理を実行し、本払出用出力処理を終了する。
【０１７９】
ここで、賞球コマンド出力処理について、図２０のフローチャートを参照しながら説明する。
【０１８０】
先ずステップＳ１００１では、主側ＲＡＭ２１３の１５個賞球用カウンタエリアの値が「０」か否かを判定する。「０」でない場合には、１５個賞球について賞球の未実施情報が記憶されていることを意味するため、ステップＳ１００２にて、１５個賞球コマンドを払出側ＭＰＵ２３１に出力するとともに、１５個賞球用カウンタエリアの値を１減算する。その後、本賞球コマンド出力処理を終了する。
【０１８１】
ステップＳ１００１において、１５個賞球用カウンタエリアの値が「０」である場合には、ステップＳ１００３に進む。ステップＳ１００３では、主側ＲＡＭ２１３の４個賞球用カウンタエリアの値が「０」か否かを判定する。「０」でない場合には、４個賞球について賞球の未実施情報が記憶されていることを意味するため、ステップＳ１００４にて、４個賞球コマンドを払出側ＭＰＵ２３１に出力するとともに、４個賞球用カウンタエリアの値を１減算する。その後、本賞球コマンド出力処理を終了する。
【０１８２】
ステップＳ１００３において、４個賞球用カウンタエリアの値が「０」である場合には、ステップＳ１００５に進む。ステップＳ１００５では、主側ＲＡＭ２１３の３個賞球用カウンタエリアの値が「０」か否かを判定する。「０」でない場合には、３個賞球について賞球の未実施情報が記憶されていることを意味するため、ステップＳ１００６にて、３個賞球コマンドを払出側ＭＰＵ２３１に出力するとともに、３個賞球用カウンタエリアの値を１減算する。その後、本賞球コマンド出力処理を終了する。
【０１８３】
ステップＳ１００５において、３個賞球用カウンタエリアの値が「０」である場合には、ステップＳ１００７に進む。ステップＳ１００７では、１０個賞球コマンドを払出側ＭＰＵ２３１に出力するとともに、１０個賞球用カウンタエリアの値を１減算する。その後、本賞球コマンド出力処理を終了する。
【０１８４】
以上のように、主側ＭＰＵ２１１は、入力ポート２１１ａに賞球許可情報が格納されたとしても、払出制御基板２２２において賞球コマンドの出力が許可されたと即座に特定することはなく、複数回として設定された出力許可基準回数だけ連続して賞球許可情報が確認された場合、すなわち、出力許可基準期間である２０ｍｓｅｃに亘って賞球許可信号が出力されている状態が確認された場合に、賞球コマンドの出力が許可されたと特定する（出力許可状態であると特定する）。そして、賞球コマンドの出力が許可されたと特定することで、払出側ＭＰＵ２３１に１回の入賞に対応した１個の賞球コマンドを出力する。このように出力許可基準期間が設定されていることにより、既に説明したように、入力ポート２１１ａに賞球許可情報が格納されている場合に、それが払出制御基板２２２から賞球許可信号が出力されていることに起因して格納されたものか、ノイズなどの原因により格納されたものかを主側ＭＰＵ２１１において特定することができる。よって、ノイズなどの原因で賞球許可情報が格納された場合に、それに対して賞球コマンドが出力されてしまうことを阻止することができる。
【０１８５】
特に、後述するように払出側ＲＡＭ２３３の賞球数記憶エリア２６４には、予め定められた最大基準数を超える賞球数を記憶することができないようになっている。この場合に、ノイズなどの原因で賞球許可情報が格納され、それに対して賞球コマンドが出力されてしまうと、その賞球コマンドに対応した賞球数は実際に払い出されることなく消去されてしまう。そうすると、遊技者に不利益を及ぼすこととなってしまう。これに対して、本構成によれば、このような不都合の発生を防止することができる。
【０１８６】
また、払出用出力処理（図１９）においてステップＳ９０４の処理が実行されることにより、前扉枠１４が開放状態の場合には賞球許可信号を入力している期間が出力許可基準期間に達しているとしても賞球コマンドは出力されない。本パチンコ機１０では、前扉枠１４が開放状態である場合には遊技球の払出は停止される。この場合、前扉枠１４が開放状態である場合に賞球コマンドを出力しないようにすることで、遊技球の払出が停止されている状況において新たに賞球コマンドが出力されないようにすることが可能となる。
【０１８７】
本パチンコ機１０では外部電源からの電力供給が停止されると払出側ＲＡＭ２３３に記憶されている情報は消去されてしまうため、遊技球の払出が停止されている状況において賞球コマンドが出力されると、前扉枠１４を開放状態としたまま電力供給が停止された場合にはその賞球コマンドに対応した賞球は払い出されることなく消去されてしまう。これに対して本構成によれば、このような不都合の発生を阻止することができる。なお、前扉枠１４が開放状態の場合に賞球コマンドの出力を禁止することは必須の構成ではなく、前扉枠１４が開放状態の場合に賞球コマンドを出力するようにしてもよい。
【０１８８】
＜払出制御基板２２２のＭＰＵ２３１における処理構成＞
次に、払出側ＭＰＵ２３１における処理構成について説明する。かかる払出側ＭＰＵ２３１の処理としては大別して、主側ＭＰＵ２１１からのコマンドの入力により起動される入力時割込み処理と、電源投入に伴い起動されるメイン処理と、定期的に（本実施の形態では２ｍｓｅｃ周期で）起動されるタイマ割込み処理とがある。入力時割込み処理では、払出側ＲＡＭ２３３に設けられたリングバッファにおける読み込みポインタに対応した記憶領域に対して、今回入力したコマンドを記憶させる。以下、メイン処理及びタイマ割込み処理について説明する。
【０１８９】
＜メイン処理＞
メイン処理について、図２１のフローチャートを参照しながら説明する。このメイン処理は、電源投入時のリセットに伴い起動される。
【０１９０】
先ず、ステップＳ１１０１では、電源投入に伴う初期設定を実行する。続くステップＳ１１０２では、初期表示処理を実行する。初期表示処理では、払出制御基板２２２に設けられた７セグ表示器１４６に初期表示として「０」を表示させる。
【０１９１】
続くステップＳ１１０３では、ＲＡＭアクセスを許可すると共に、ステップＳ１１０４で外部割込みベクタの設定を行う。その後、ステップＳ１１０５にて払出側ＲＡＭ２３３の全領域を「０」にクリアし、ステップＳ１１０６にてＭＰＵ周辺デバイスの初期設定を行う。続くステップＳ１１０７では割込みを許可する。以上のステップＳ１１０１〜ステップＳ１１０７の一連の処理が払出側ＭＰＵ２３１における立ち上げ処理に該当し、当該立ち上げ処理が完了するまでに、例えば３００ｍｓｅｃを要する。なお、この立ち上げ処理に要する時間は３００ｍｓｅｃに限定されることはなく、主側ＭＰＵ２１１において立ち上げ処理に要する時間よりも短いのであれば任意である。
【０１９２】
その後、電源が完全に遮断して処理が実行できなくなるまで、ステップＳ１１０７の処理を繰り返し実行する。なお、このようにステップＳ１１０７の割込み許可の設定処理を繰り返し実行することで、仮にノイズ等の影響で割込み許可の設定が解除されて不許可の設定となったとしても、割込み許可の状態に再度設定しなおすことができる。
【０１９３】
＜タイマ割込み処理＞
次に、払出側ＭＰＵ２３１により例えば２ｍｓｅｃ毎に起動されるタイマ割込み処理について、図２２のフローチャートを参照しながら説明する。
【０１９４】
先ずステップＳ１２０１にて状態復帰スイッチ１４５をチェックして、状態復帰動作開始と判定した場合に状態復帰動作を実行する。その後、ステップＳ１２０２にてコマンド判定処理を実行し、ステップＳ１２０３にて下皿８２の満タン状態に関する処理として満タン用処理を実行し、ステップＳ１２０４にてタンク１１１の球無状態に関する処理として球無用処理を実行し、ステップＳ１２０５にて賞球数の設定に関する処理として賞球設定処理を実行し、ステップＳ１２０６にて貸球の設定に関する処理として貸球設定処理を実行し、ステップＳ１２０７にて払出個数の設定に関する処理として払出個数設定処理を実行し、ステップＳ１２０８にて遊技球の払出に関する処理として払出制御処理を実行し、ステップＳ１２０９にて賞球許可信号の設定に関する処理として賞球許可信号設定処理を実行した後に、本タイマ割込み処理を終了する。
【０１９５】
以下、ステップＳ１２０２のコマンド判定処理、ステップＳ１２０３の満タン用処理、ステップＳ１２０４の球無用処理、ステップＳ１２０５の賞球設定処理、ステップＳ１２０６の貸球設定処理、ステップＳ１２０７の払出個数設定処理、ステップＳ１２０８の払出制御処理及びステップＳ１２０９の賞球許可信号設定処理を詳細に説明する。
【０１９６】
＜コマンド判定処理＞
先ずステップＳ１２０２のコマンド判定処理について、図２３のフローチャートを参照しながら説明する。ここで、上記のとおり主側ＭＰＵ２１１から入力したコマンドは入力時割込み処理が実行されることにより、払出側ＲＡＭ２３３に設けられたリングバッファに一時的に記憶されている。コマンド判定処理では、リングバッファの各記憶領域のうちから今回の読み出しポインタに対応した記憶領域に記憶されている情報を読み出し、その読み出した情報に対応した処理を実行する。
【０１９７】
さて、コマンド判定処理では、先ずステップＳ１３０１にて読み出した情報が初期コマンドか否かを判定する。初期コマンドである場合には、ステップＳ１３０２にて初期表示解除処理を実行した後に、本コマンド判定処理を終了する。初期表示解除処理では、７セグ表示器１４６における初期表示を終了させる。
【０１９８】
読み出した情報が初期コマンドでない場合には、ステップＳ１３０３にて賞球コマンドか否かを判定する。賞球コマンドである場合には、ステップＳ１３０４にてコマンド格納処理を実行した後に、本コマンド判定処理を終了する。コマンド格納処理では、払出側ＲＡＭ２３３のコマンド格納エリア２６３に、賞球コマンドを格納する。
【０１９９】
読み出した情報が賞球コマンドでない場合には、ステップＳ１３０５にて前扉枠開放コマンドか否かを判定する。前扉枠開放コマンドである場合には、ステップＳ１３０６にて払出側ＲＡＭ２３３の前扉枠開放フラグ格納エリア（払出側の前面体開放情報記憶手段）に前扉枠開放フラグ（払出側の前面体開放情報）を格納した後に、本コマンド判定処理を終了する。
【０２００】
読み出した情報が前扉枠開放コマンドでない場合には、ステップＳ１３０７にて前扉枠閉鎖コマンドか否かを判定する。前扉枠閉鎖コマンドである場合には、ステップＳ１３０８にて払出側ＲＡＭ２３３の前扉枠開放フラグ格納エリアから前扉枠開放フラグを消去した後に、本コマンド判定処理を終了する。前扉枠開放コマンドでない場合には、そのまま本コマンド判定処理を終了する。
【０２０１】
＜満タン用処理＞
次に、ステップＳ１２０３の満タン用処理について、図２４のフローチャートを参照しながら説明する。満タン用処理では、下皿８２への前扉側下皿通路８５に設けられた満タン検知センサ８８の検知結果に基づいて下皿８２が満タン状態か否かが判定され各種処理が実行される。そして、満タン検知センサ８８にて遊技球が検知されていない場合にはステップＳ１４０２以降の処理が実行され、遊技球が検知されている場合にはステップＳ１４０９以降の処理が実行される。以下の説明では、便宜上、ステップＳ１４０９以降の処理を説明した後にステップＳ１４０２以降の処理を説明する。
【０２０２】
満タン用処理において先ずステップＳ１４０１では、満タン検知センサ８８から満タン検知信号を入力しているか否かを判定する。具体的には、払出側ＭＰＵ２３１の入力ポートに満タン検知信号を入力している旨を示す満タン検知情報が格納されているか否かを判定する。
【０２０３】
満タン検知信号を入力している場合には、ステップＳ１４０９にて、払出側ＲＡＭ２３３の満タンカウンタエリア２６１における第２満タンカウンタエリアを「０」クリアする。第２満タンカウンタエリアは、満タン検知センサ８８から満タン検知信号を継続して入力していない期間を計測するためのカウンタである。その後、ステップＳ１４１０にて、満タンカウンタエリア２６１における第１満タンカウンタエリアの値を１加算する。第１満タンカウンタエリアは、満タン検知センサ８８から満タン検知信号を継続して入力している期間を計測するためのカウンタである。
【０２０４】
ステップＳ１４１０の後は、ステップＳ１４１１にて第１満タンカウンタエリアが第１満タン特定基準期間に対応したカウント値としての「８５０」となっているか否かを特定する。ここで、本満タン用処理はタイマ割込み処理の一部の処理として実行され、タイマ割込み処理は上記のとおり２ｍｓｅｃ周期で起動される。よって、満タン検知センサ８８から満タン検知信号を入力している場合には第１満タンカウンタエリアは約２ｍｓｅｃ周期で１加算されるため、ステップＳ１４１１では満タン検知信号を約１．７ｓｅｃ（第１満タン特定基準期間）に亘って継続しているか否かを判定している。
【０２０５】
第１満タンカウンタエリアが「８５０」の場合には、下皿８２が満タン状態であると特定しステップＳ１４１２に進む。つまり、下皿８２が満タン状態である場合には前扉側下皿通路８５内にて遊技球が並ぶため、満タン検知センサ８８によって遊技球が継続して検知され満タン検知信号の出力が継続される。そして、この状態で約１．７ｓｅｃが継続することにより、下皿８２が満タン状態であると特定される。このように、下皿８２が満タン状態であると特定される期間を１．７ｓｅｃと設定したのは、当該期間が極端に長いと払出装置１１４の位置まで遊技球が連なり払出モータ１２５などが故障してしまうおそれがあるからであり、当該期間が極端に短いと下皿８２が満タン状態でないにも関わらず満タン状態であると特定されるおそれがあるからである。
【０２０６】
ステップＳ１４１２では、払出側ＲＡＭ２３３の満タンフラグ格納エリア（満タン状態情報記憶手段）に満タンフラグ（満タン状態情報）が格納されているか否かを判定する。満タンフラグが格納されている場合には、そのまま本満タン用処理を終了する。満タンフラグが格納されていない場合には、ステップＳ１４１３にて満タンフラグを格納するとともに満タン状態に設定した後に本満タン用処理を終了する。満タン状態が設定されることにより、払出側ＭＰＵ２３１から主側ＭＰＵ２１１に満タン信号の出力が開始されるとともに、満タン状態が設定されている間は満タン信号の出力状態が維持される。
【０２０７】
一方、ステップＳ１４１１にて、第１満タンカウンタエリアの値が「８５０」でない場合には、ステップＳ１４１４にて第１満タンカウンタエリアが第２満タン特定基準期間に対応したカウント値としての「４００」となっているか否かを判定する。上述したとおり、第１満タンカウンタエリアは約２ｍｓｅｃ周期で１加算されるため、ステップＳ１４１４では満タン検知信号を継続して約０．８ｓｅｃ（第２満タン特定基準期間）入力しているか否かを判定している。
【０２０８】
第１満タンカウンタエリアが「４００」でない場合にはそのまま本満タン用処理を終了する。第１満タンカウンタエリアが「４００」の場合には、下皿８２が満タン状態であるおそれがあると特定し、ステップＳ１４１５に進む。ステップＳ１４１５では、払出側ＲＡＭ２３３の満タン低速フラグ格納エリア（満タン低速情報記憶手段）に満タン低速フラグ（満タン低速情報）を格納する。その後、本満タン用処理を終了する。
【０２０９】
満タン低速フラグが格納されることにより、払出側ＭＰＵ２３１では後述するように払出モータ１２５の払出速度の設定を、それまでの通常周期（具体的には、６０ｍｓｅｃ間隔で遊技球を払い出す）から低速周期（具体的には、６００ｍｓｅｃ間隔で遊技球を払い出す）に変更する。
【０２１０】
このように払出モータ１２５の払出速度を低速周期に切り換えるのは以下の理由による。すなわち、満タン検知センサ８８は遊技球を検知している間は継続して満タン検知信号を出力する構成であるため、連続して払い出される遊技球の間隔が狭くなると、満タン検知センサ８８から見ると、１の遊技球の検知期間の終期が次の遊技球の検知期間の始期よりも後となる。そうすると、下皿８２が満タン状態となっていないにも関わらず満タン検知センサ８８から継続して満タン検知信号が出力されることとなる。そして、この状態が継続すると下皿８２が満タン状態であると特定されてしまう。
【０２１１】
これに対して、上記のとおり、払出モータ１２５の払出速度を低速周期に切り換えることで、前扉側下皿通路８５内を連続して通過する各遊技球の間隔が広くなる。より詳細には、この間隔は満タン検知センサ８８の検知範囲を越える間隔となる。よって、継続されていた満タン検知信号の出力が途切れるため、下皿８２が満タン状態となっていないにも関わらず満タン状態となっていると特定されることを防止することができる。
【０２１２】
満タン用処理の説明に戻り、ステップＳ１４０１にて満タン検知センサ８８から満タン検知信号を入力していない場合には、ステップＳ１４０２にて第１満タンカウンタエリアを「０」クリアする。その後、ステップＳ１４０３にて、払出側ＲＡＭ２３３の満タン低速フラグ格納エリアに満タン低速フラグが格納されているか否かを判定する。満タン低速フラグが格納されていない場合には、そのままステップＳ１４０５に進み、満タン低速フラグが格納されている場合には、ステップＳ１４０４にて満タン低速フラグを消去した後にステップＳ１４０５に進む。
【０２１３】
満タン低速フラグが消去されることにより、払出側ＭＰＵ２３１では基本的に払出モータ１２５の払出速度の設定を、低速周期から通常周期に変更する。つまり、満タン検知センサ８８から継続して満タン検知信号が出力されている状況下において払出モータ１２５の払出速度を低速周期に変更することで満タン検知信号の出力が途切れた場合には、即座に払出速度が通常周期に復帰する。これにより、払出モータ１２５の払出速度を必要に応じて低速周期に変更するようにした構成において、遊技球の払出に要する時間が極端に長くなることが防止される。
【０２１４】
続くステップＳ１４０５では、第２満タンカウンタエリアを１加算する。その後、ステップＳ１４０６にて第２満タンカウンタエリアが「２５０」となっているか否かを判定する。ここで、第２満タンカウンタエリアは、満タン検知センサ８８から満タン検知信号を入力していない場合には約２ｍｓｅｃ周期で１加算される。よって、ステップＳ１４０６では満タン検知信号を入力していない状態が継続して約０．５ｓｅｃとなっているか否かを判定している。
【０２１５】
第２満タンカウンタエリアが「２５０」でない場合にはそのまま本満タン用処理を終了する。一方、第２満タンカウンタエリアが「２５０」である場合には、ステップＳ１４０７にて払出側ＲＡＭ２３３の満タンフラグ格納エリアに満タンフラグが格納されているか否かを判定する。満タンフラグが格納されていない場合にはそのまま本満タン用処理を終了する。満タンフラグが格納されている場合には、ステップＳ１４０８にて満タンフラグを消去するとともに満タン解除状態を設定した後に本満タン用処理を終了する。満タン解除状態が設定されることにより、払出側ＭＰＵ２３１から主側ＭＰＵ２１１への満タン信号の出力が停止されるとともに、満タン解除状態が設定されている間は満タン信号の出力停止状態が維持される。
【０２１６】
ここで、ステップＳ１４０６にて満タン検知センサ８８からの満タン検知信号の出力が停止されてから約０．５ｓｅｃ経過するのを待ってステップＳ１４０８の処理を実行するようにしたことで、ノイズなどの影響で実際には満タン検知センサ８８の検知範囲に遊技球が待機しているのに満タン状態が解除されたと判定されないようにことができる。
【０２１７】
なお、ステップＳ１４０６、ステップＳ１４１１及びステップＳ１４１４において、それぞれ判定値以上であるか否かを判定する構成としてもよい。
【０２１８】
＜球無用処理＞
次に、ステップＳ１２０４の球無用処理について説明する。球無用処理では、ケースレール１１３に設けられた球無検知センサ１１５の検知結果に基づいてタンク１１１に遊技球が貯留されていない状態か否かが判定され各種処理が実行される。
【０２１９】
ここで、球無用処理では満タン用処理と類似した処理を実行する。具体的には、球無検知センサ１１５からの球無検知信号を約１０ｓｅｃ（第１球無特定基準期間）に亘って継続して入力している場合に、タンク１１１に遊技球が貯留されていない状態であると特定する。遊技球が貯留されていない状態であると特定した場合には、払出側ＲＡＭ２３３の球無フラグ格納エリア（球無状態情報記憶手段）に球無フラグ（球無状態情報）を格納するとともに球無状態に設定する。球無状態が設定されることにより、払出側ＭＰＵ２３１から主側ＭＰＵ２１１に払出異常信号の出力が開始されるとともに、球無状態が設定されている間は払出異常信号の出力状態が維持される。
【０２２０】
また、球無検知センサ１１５からの球無検知信号を約１０ｓｅｃ未満であって、約１．０ｓｅｃ（第２球無特定基準期間）に亘って継続して入力している場合に、タンク１１１が球無となるおそれがあると特定し、払出側ＲＡＭ２３３の球無低速フラグ格納エリア（球無低速情報記憶手段）に球無低速フラグ（球無低速情報）を格納する。
【０２２１】
球無低速フラグが格納されることにより、払出側ＭＰＵ２３１では後述するように払出モータ１２５の払出速度の設定を、それまでの通常周期（具体的には、６０ｍｓｅｃ間隔で遊技球を払い出す）から低速周期（具体的には、６００ｍｓｅｃ間隔で遊技球を払い出す）に変更する。
【０２２２】
このように払出モータ１２５の払出速度を低速周期に切り換えるのは以下の理由による。すなわち、タンク１１１においては球詰まりが発生することがある。これに対して、タンク１１１には、上記球詰まりが発生した際に当該球詰まりを解消すべく、タンク１１１を振動させるための振動モータが設けられている。球詰まりが重度のものでなければ、振動モータによりタンク１１１を振動させることで当該球詰まりは解消する。そして、この球詰まりの解消は１０ｓｅｃ以内に完了するものと考えられる。
【０２２３】
当該事情において、球無検知センサ１１５にて遊技球を検知していない期間が第１球無特定基準期間である約１．０ｓｅｃが経過した時点で、払出モータ１２５の払出速度を低速周期に切り換えることで、払出装置１１４の回転体１２４よりも上流側に待機している遊技球が全てなくなってしまう前のタイミングで球詰まりが解消される可能性が高められる。払出装置１１４の回転体１２４よりも上流側に待機している遊技球が全てなくなってしまうと、再度、タンク１１１側から回転体１２４に向けて遊技球が補充された際に、その遊技球がケースレール１１３を通じて落下し回転体１２４に直接衝突することとなり、回転体１２４の故障の発生等が懸念される。これに対して、上記のように払出速度を低速周期に切り換えることで、このような不都合が発生する可能性が低減される。
【０２２４】
一方、球無検知センサ１１５から球無検知信号を入力しておらず、その状態が約３．０ｓｅｃに亘って継続した場合、払出側ＲＡＭ２３３の球無低速フラグ格納エリアに球無低速フラグが格納されている状況においては当該球無低速フラグを消去する。球無低速フラグが消去されることにより、払出側ＭＰＵ２３１では基本的に払出モータ１２５の払出速度の設定を、低速周期から通常周期に変更する。また、球無フラグが格納されている場合には、当該球無フラグを消去するとともに球無解除状態を設定する。球無解除状態が設定されることにより、払出側ＭＰＵ２３１から主側ＭＰＵ２１１への払出異常信号の出力が停止されるとともに、球無解除状態が設定されている間は払出異常信号の出力停止状態が維持される。
【０２２５】
＜賞球設定処理＞
次に、ステップＳ１２０５の賞球設定処理について、図２５のフローチャートを参照しながら説明する。賞球設定処理では、主側ＭＰＵ２１１から入力した賞球コマンドから賞球数を特定し、その特定した賞球数を払出側ＲＡＭ２３３の賞球数記憶エリア２６４に加算する処理が実行される。
【０２２６】
賞球設定処理では先ずステップＳ１５０１にて、払出側ＲＡＭ２３３のコマンド格納エリア２６３に賞球コマンドが格納されているか否かを判定する。賞球コマンドが格納されていない場合には、そのまま本賞球設定処理を終了する。賞球コマンドが格納されている場合には、ステップＳ１５０２に進む。
【０２２７】
ステップＳ１５０２では、賞球数特定処理を実行する。具体的には、ＲＯＭ２３２の賞球テーブル記憶エリア２３２ａに記憶されている情報に基づいて、今回入力した賞球コマンドがいずれの賞球数に対応しているかを特定する。この場合、賞球コマンドの下位情報と賞球テーブル記憶エリア２３２ａとが照らし合わされ、賞球数の特定が行われる。ここで特定された賞球数は、賞球コマンドの情報に代えて、払出側ＭＰＵ２３１の汎用レジスタに格納される。続くステップＳ１５０３では、コマンド格納エリア２６３に格納されている賞球コマンドを消去する。
【０２２８】
続くステップＳ１５０４では、賞球数の加算処理を実行する。当該加算処理では、ステップＳ１５０２にて特定した賞球数の情報を、賞球数記憶エリア２６４に記憶されている賞球数の情報に加算する。続くステップＳ１５０５では、払出側ＲＡＭ２３３の賞球低速フラグ格納エリア（賞球低速情報記憶手段）に賞球低速フラグ（賞球低速情報）が格納されているか否かを判定する。賞球低速フラグとは、賞球数記憶エリア２６４に記憶されている賞球数の情報が、払出制御基板２２２のＲＯＭ２３２に予め記憶された切換基準数（具体的には、「２」）となった場合に格納され、切換基準数を超えることにより消去されるフラグである。
【０２２９】
ここで、本パチンコ機１０は、賞球数記憶エリア２６４に記憶されている賞球数の情報が切換基準数となった場合には、払出モータ１２５の払出速度の設定をそれまでの通常周期から低速周期に変更するように構成されている。これは以下の理由による。つまり、賞球数記憶エリア２６４に賞球数の情報が記憶されていない状況では、払出モータ１２５の駆動は停止される。この場合に、単発的な入賞が所定の間隔を置いて繰り返し発生すると、払出モータ１２５の駆動開始及び駆動停止を繰り返し行う必要が生じる。払出モータ１２５の駆動開始には払出モータ１２５の駆動状態を維持する場合よりも大きな駆動力を必要とするため、上記のように払出モータ１２５の駆動開始及び駆動停止が繰り返し行われることは好ましくない。これに対して、賞球数記憶エリア２６４に記憶されている賞球数の情報が切換基準数となった場合に、払出モータ１２５の払出速度を低速周期に切り換えることで、単発的な入賞が所定の間隔を置いて繰り返し発生したとしても、切換基準数の賞球を低速周期で実行している間に次の入賞が発生する可能性が高まり、払出モータ１２５の駆動開始及び駆動停止が繰り返し行われてしまう可能性が低減される。
【０２３０】
なお、払出モータ１２５の払出速度を常に低速とする構成も考えられるが、この場合、遊技球の払出速度が慢性的に遅くなり、遊技者にとっては入賞が発生したにも関わらずそれに対する賞球を受けるのに相当な時間を要することとなり好ましくない。
【０２３１】
ステップＳ１５０５にて、賞球低速フラグ格納エリアに賞球低速フラグが格納されていない場合には、そのままステップＳ１５０７に進む。一方、賞球低速フラグが格納されている場合には、ステップＳ１５０６にて賞球低速フラグ格納エリアから賞球低速フラグを消去した後に、ステップＳ１５０７に進む。賞球低速フラグが消去されることで、賞球数記憶エリア２６４に記憶されている賞球数の情報が切換基準数となることで低速周期に設定された払出モータ１２５の払出速度が通常周期に復帰することとなる。
【０２３２】
ステップＳ１５０７では、エラーフラグの消去処理を実行する。エラーフラグは、例えば、主側ＭＰＵ２１１から解析不能なコマンドを入力した場合等に格納されるフラグである。当該エラーフラグは、賞球コマンドを正常に入力し、その賞球コマンドに対する賞球設定処理が実行されることで、ステップＳ１５０７にて消去される。ステップＳ１５０７にてエラーフラグの消去処理を実行した後は本賞球設定処理を終了する。
【０２３３】
＜貸球設定処理＞
次に、ステップＳ１２０６の貸球設定処理について、図２６のフローチャートを参照しながら説明する。貸球設定処理では、球貸用接続端子板１４３を通じて球貸装置Ｙから入力した貸球要求信号に基づいて貸球数を特定し、その特定した貸球数を払出側ＲＡＭ２３３の貸球数記憶エリア２６５に加算する処理が実行される。
【０２３４】
貸球設定処理では先ずステップＳ１６０１にて、払出側ＲＡＭ２３３の貸球状態フラグ格納エリア（貸球状態情報記憶手段）に貸球状態フラグ（貸球状態情報）が格納されているか否かを判定する。貸球状態フラグは、払出側ＭＰＵ２３１において、球貸装置Ｙからの貸球要求信号の入力待機状態であるか否かを特定する上で用いられるフラグであり、入力待機状態となることで格納され、貸球要求信号を受ける必要がなくなった場合に消去される。
【０２３５】
貸球状態フラグが格納されていない場合には、ステップＳ１６０２〜ステップＳ１６０６の貸球状態設定用処理を実行し、貸球状態フラグが格納されている場合には、ステップＳ１６０７〜ステップＳ１６１１の貸球状態中処理を実行する。
【０２３６】
貸球状態設定用処理では、先ずステップＳ１６０２にて、球貸装置Ｙから接続確認用信号及び貸球待機信号を入力しているか否かを判定する。接続確認用信号は、球貸装置Ｙにおいて払出制御基板２２２との間で通信可能な状態を示す信号である。また、貸球待機信号は、球貸装置Ｙに未払出の貸球の情報が保持されている（具体的には、未払出の貸球の情報が記憶保持されたカードが球貸装置Ｙに挿入されている）状況において、球貸操作装置７１の球貸ボタン７２が操作されていることを、払出制御基板２２２にて把握させるための信号である。なお、接続確認用信号を不具備としてもよい。
【０２３７】
接続確認用信号及び貸球待機信号のいずれか一方でも入力していない場合には、そのまま本貸球設定処理を終了する。一方、接続確認用信号及び貸球待機信号の両方を入力している場合には、ステップＳ１６０３にて、払出エラー状態か否かを判定する。払出エラー状態とは、前扉枠開放状態、下皿満タン状態、タンク球無状態又は払出装置異常状態のいずれかに該当している状態のことである。
【０２３８】
当該判定は、前扉枠開放状態については払出側ＲＡＭ２３３の前扉枠開放フラグ格納エリアに前扉枠開放フラグが格納されているか否かを判定することで行われ、下皿満タン状態については払出側ＲＡＭ２３３の満タンフラグ格納エリアに満タンフラグが格納されているか否かを判定することで行われ、タンク球無状態については払出側ＲＡＭ２３３の球無フラグ格納エリアに球無フラグが格納されているか否かを判定することで行われ、払出装置異常状態については払出側ＲＡＭ２３３の払出装置異常フラグ格納エリアに払出装置異常フラグが格納されているか否かを判定することで行われる。
【０２３９】
払出エラー状態である場合には、そのまま本貸球設定処理を終了する。払出エラー状態でない場合には、ステップＳ１６０４にて払出動作中か否かを判定する。具体的には、払出モータ１２５が停止中か否かを判定する。貸球状態フラグが格納されていない状況であって払出モータ１２５が動作中である状況は、賞球の払出が実行されている状況であること又は既に１回の貸球操作に基づく貸球の払出が実行されている状況であることを意味する。つまり、ステップＳ１６０４では賞球動作中又は１回の貸球操作に基づく貸球動作中であるか否かを判定していると言える。
【０２４０】
払出動作中である場合には、そのまま本貸球設定処理を終了する。払出動作中でない場合には、ステップＳ１６０５にて貸球許可信号の出力状態を設定する。これにより、払出側ＭＰＵ２３１から球貸装置Ｙに貸球許可信号の出力が開始され、球貸装置Ｙでは貸球許可信号を入力することで、球貸ボタン７２の１回の操作に基づく貸球要求信号の出力を行う。その後、ステップＳ１６０６にて払出側ＲＡＭ２３３の貸球状態フラグ格納エリアに貸球状態フラグを格納した後に、本貸球設定処理を終了する。なお、球貸装置Ｙは、貸球待機信号を出力した後に所定の期間（例えば、２ｓｅｃ）に亘って貸球許可信号を入力しなかった場合には、球貸ボタン７２の操作がなかったものとして扱う。
【０２４１】
ステップＳ１６０７〜ステップＳ１６１１の貸球状態中処理では、先ずステップＳ１６０７にて、球貸装置Ｙから貸球要求信号を入力しているか否かを判定する。貸球要求信号は球貸装置Ｙから貸球の払出を要求する場合に出力される信号である。貸球要求信号を入力していない場合には、そのままステップＳ１６０９に進む。貸球要求信号を入力している場合には、ステップＳ１６０８にて、払出側ＲＡＭ２３３の貸球数記憶エリア２６５への加算処理を実行した後に、ステップＳ１６０９に進む。当該加算処理では、１００円分に相当する２５個に相当する貸球数の情報を貸球数記憶エリア２６５に加算する。つまり、球貸装置Ｙは、貸球状態においては球貸操作に応じて貸球要求信号を定期的に出力し、払出側ＭＰＵ２３１は貸球要求信号を入力するごとに予め定められた単位数に相当する貸球数の情報を貸球数記憶エリア２６５に加算する。
【０２４２】
ステップＳ１６０９では、球貸装置Ｙから終了信号を入力しているか否かを判定する。終了信号は、一の球貸操作が行われ貸球要求信号が５回出力された場合に出力される信号であり、一の球貸操作に対する貸球要求信号の出力が終了したことを払出側ＭＰＵ２３１において認識させるための信号である。終了信号を入力していない場合には、そのまま本貸球設定処理を終了する。終了信号を入力している場合には、ステップＳ１６１０にて払出側ＲＡＭ２３３の貸球状態フラグ格納エリアから貸球状態フラグを消去するとともに、ステップＳ１６１１にて貸球許可信号の出力停止状態を設定した後に、本貸球設定処理を終了する。
【０２４３】
以上のように、払出側ＭＰＵ２３１は、球貸装置Ｙから貸球待機信号を入力している状況において、払出エラー状態でなく且つ払出動作中でない場合に、貸球状態に設定される。特に、払出動作中においては貸球状態への設定が行われないようにすることで、賞球の払出が実行されている間は仮に球貸操作装置７１において球貸操作が行われたとしても賞球の払出を優先させることができる。
【０２４４】
賞球の払出が実行されている状況で球貸操作が行われた場合に当該球貸を優先させる構成を想定すると、払出側ＲＡＭ２３３の賞球数記憶エリア２６４に賞球数の情報が記憶されているにも関わらず、賞球の払出を停止させる必要が生じる。この場合に、パチンコ機１０が電源遮断状態となると、既に説明したように払出側ＲＡＭ２３３に電断時用電力が供給されないことに伴って、賞球数の情報は消去されてしまう。その一方、球貸装置Ｙは独自に情報の電断時保持機能を有している（すなわち、未払出の貸球の情報はカードにて記憶保持される）ため、賞球の払出が実行されている状況では球貸装置Ｙから貸球要求信号を入力しないようにすることで、貸球数の情報は球貸装置Ｙにて保持され、パチンコ機１０が電源遮断状態となったとしても貸球数の情報が消去されることはない。上記事情において、賞球の払出が実行されている状況で球貸操作が行われたとしても賞球の払出を優先させることで、賞球数の情報が実際に払い出されないまま消去されてしまうことが防止される。
【０２４５】
＜払出個数設定処理＞
次に、ステップＳ１２０７の払出個数設定処理について、図２７のフローチャートを参照しながら説明する。払出個数設定処理では、払出側ＲＡＭ２３３の賞球数記憶エリア２６４又は貸球数記憶エリア２６５に記憶されている情報を、遊技球の払出に際しての実行エリアである払出側ＲＡＭ２３３の払出個数カウンタエリアに格納する処理が実行される。
【０２４６】
払出個数設定処理では先ずステップＳ１７０１にて、球抜き動作中か否かを判定する。球抜き動作とは、タンク１１１に貯留されている遊技球をパチンコ機１０外部に排出するための動作のことをいう。
【０２４７】
ここで、球抜き動作の手順について説明する。先ず島設備からタンク１１１への補給を止める。その後、前扉枠１４を開放状態とし、可変入賞装置３２内に多数の遊技球を手で入れる。その後、前扉枠１４を閉鎖状態とすることで、払出側ＭＰＵ２３１から主側ＭＰＵ２１１に賞球許可信号が出力されるのに応じて主側ＭＰＵ２１１から払出側ＭＰＵ２３１に賞球コマンドが出力され、払出装置１１４による遊技球の払出が実行される。
【０２４８】
その後、タンク１１１に貯留されている遊技球が無くなることで、球無検知センサ１１５から球無検知信号が出力され、払出装置１１４による遊技球の払出が停止される。この場合に、ケースレール１１３に設けられた球抜き操作スイッチ１１６を操作することで、払出側ＭＰＵ２３１において球抜き状態に設定される。具体的には、払出側ＲＡＭ２３３の球抜き状態フラグ格納エリアに球抜き状態フラグを格納する。これにより、球無検知センサ１１５から球無検知信号が出力されている状況であっても払出装置１１４による遊技球の払出が再開され、球抜き操作スイッチ１１６よりも下流側であって払出装置１１４の払出モータ１２５の位置まで連なっている遊技球の排出が行われる。そして、当該遊技球の排出が行われることで、タンク１１１の球抜きが完了する。この際、球抜き状態の設定が解除される。すなわち、払出側ＲＡＭ２３３の球抜き状態フラグ格納エリアに格納されている球抜き状態フラグが消去される。
【０２４９】
ステップＳ１７０１では、上記球抜き状態が設定されているか否かを判定する。球抜き状態が設定されていない場合には、ステップＳ１７０２にて、払出エラー状態か否かを判定する。払出エラー状態については既に説明したとおりである。払出エラー状態である場合には、そのまま本払出個数設定処理を終了する。これにより、払出エラー状態において遊技球の払出が実行されることが阻止される。
【０２５０】
払出エラー状態でない場合には、ステップＳ１７０３にてリトライ動作中か否かを判定する。リトライ動作とは、払出装置１１４において遊技球の球詰まりが発生した場合などにおいて回転体１２４を通常とは逆に回転させたりする処理である。リトライ動作中である場合にはそのまま本払出個数設定処理を終了し、リトライ動作中でない場合にはステップＳ１７０４に進む。
【０２５１】
ステップＳ１７０４では、貸球動作中か否かを判定する。貸球動作中とは、払出側ＲＡＭ２３３の貸球状態フラグ格納エリアに貸球状態フラグが格納されている状態、又は払出側ＲＡＭ２３３の貸球数記憶エリア２６５に貸球数の情報が記憶されている状態のことをいう。貸球状態フラグが格納されている又は貸球数記憶エリア２６５に貸球数の情報が記憶されている場合には、ステップＳ１７０５にて、貸球数記憶エリア２６５の情報を払出側ＲＡＭ２３３の払出個数カウンタエリア２６６に更新した後に、本払出個数設定処理を終了する。
【０２５２】
一方、貸球状態フラグが格納されておらず且つ貸球数記憶エリア２６５に貸球数の情報が記憶されていない場合には、ステップＳ１７０６にて、払出側ＲＡＭ２３３の賞球数記憶エリア２６４の情報を払出側ＲＡＭ２３３の払出個数カウンタエリア２６６に更新した後に、本払出個数設定処理を終了する。また、ステップＳ１７０１において、球抜き状態が設定されている場合にも、ステップＳ１７０６にて、払出側ＲＡＭ２３３の賞球数記憶エリア２６４の情報を払出側ＲＡＭ２３３の払出個数カウンタエリア２６６に更新した後に、本払出個数設定処理を終了する。
【０２５３】
＜払出制御処理＞
次に、ステップＳ１２０８の払出制御処理について、図２８のフローチャートを参照しながら説明する。払出制御処理では、払出側ＲＡＭ２３３の払出個数カウンタエリア２６６に記憶されている情報に基づいて遊技球の払出を行う処理が実行される。
【０２５４】
払出制御処理では先ずステップＳ１８０１にて、払出状態設定処理を実行するとともに、続くステップＳ１８０２にて、駆動信号出力処理を実行する。ここで、払出状態設定処理及び駆動信号出力処理について説明する。先ず、払出状態設定処理について、図２９のフローチャートを参照しながら説明する。
【０２５５】
払出状態設定処理では、先ずステップＳ１９０１にて、払出エラー状態か否かを判定する。払出エラー状態については既に説明したとおりである。払出エラー状態である場合には、ステップＳ１９０７にて、払出モータ１２５の払出動作を停止させるべく、停止状態の設定を行った後に、本払出状態設定処理を終了する。当該停止状態の設定は、払出側ＲＡＭ２３３の停止状態フラグ格納エリアに停止状態フラグを格納するとともに、払出側ＲＡＭ２３３の通常状態フラグ格納エリア、低速状態フラグ格納エリア及びリトライ状態フラグ格納エリアのいずれかに対応するフラグが格納されている場合にそのフラグを消去することにより行われる。通常状態フラグ及び低速状態フラグについては後に説明する。なお、既に停止状態に設定されている場合にはその状態が維持される。
【０２５６】
ステップＳ１９０１にて、払出エラー状態でない場合には、ステップＳ１９０２にて、ＲＡＭ２３３の払出個数カウンタエリア２６６の値が「０」か否かを判定する。払出個数カウンタエリア２６６の値が「０」である場合には、払出を実行すべき遊技球が存在しないことを意味するため、ステップＳ１９０７にて払出モータ１２５を停止状態に設定した後に、本払出状態設定処理を終了する。
【０２５７】
ステップＳ１９０２にて、払出個数カウンタエリア２６６の値が「０」でない場合には、ステップＳ１９０３にて、リトライ状態か否かを判定する。リトライ状態である場合には、払出モータ１２５にてリトライ専用の動作が実行されるため、それ以降の処理を実行することなく本払出状態設定処理を終了する。リトライ状態でない場合には、ステップＳ１９０４にて、払出側ＲＡＭ２３３のいずれかの低速フラグ格納エリアに低速フラグが格納されているか否かを判定する。すなわち、満タン低速フラグ格納エリアに満タン低速フラグが格納されているか否かを判定し、球無低速フラグ格納エリアに球無低速フラグが格納されているか否かを判定し、賞球低速フラグ格納エリアに賞球低速フラグが格納されているか否かを判定する。
【０２５８】
いずれの低速フラグも格納されていない場合には、ステップＳ１９０６にて、払出モータ１２５の払出速度を通常周期とすべく、通常状態の設定を行った後に、本払出状態設定処理を終了する。当該通常状態の設定は、払出側ＲＡＭ２３３の通常状態フラグ格納エリアに通常状態フラグを格納するとともに、払出側ＲＡＭ２３３の停止状態フラグ格納エリア及び低速状態フラグ格納エリアのいずれかに対応するフラグが格納されている場合にそのフラグを消去することにより行われる。なお、既に通常周期に設定されている場合にはその状態が維持される。
【０２５９】
一方、いずれかの低速フラグが格納されている場合には、ステップＳ１９０５にて、払出モータ１２５の払出速度を低速周期とすべく、低速状態の設定を行った後に、本払出状態設定処理を終了する。当該低速状態の設定は、払出側ＲＡＭ２３３の低速状態フラグ格納エリアに低速状態フラグを格納するとともに、払出側ＲＡＭ２３３の停止状態フラグ格納エリア及び通常状態フラグ格納エリアのいずれかに対応するフラグが格納されている場合にそのフラグを消去することにより行われる。なお、既に低速周期に設定されている場合にはその状態が維持される。
【０２６０】
次に、駆動信号出力処理について、図３０のフローチャートを参照しながら説明する。駆動信号出力処理は、上記払出状態設定処理の結果に基づいて、払出側ＭＰＵ２３１からモータドライバに１パルスの駆動信号を出力し、払出モータ１２５を駆動制御する処理である。
【０２６１】
駆動信号出力処理では、先ずステップＳ２００１にて、停止状態か否かを判定する。停止状態である場合には、そのまま本駆動信号出力処理を終了する。停止状態でない場合には、ステップＳ２００２にて、リトライ状態か否かを判定する。リトライ状態でない場合には、ステップＳ２００３にて、通常状態か否かを判定する。
【０２６２】
通常状態である場合には、ステップＳ２００４にて１パルスの駆動信号をモータドライバに出力する。ここで、駆動信号出力処理を有する払出制御処理は、タイマ割込み処理（図２２）の一部の処理として実行され、当該タイマ割込み処理は２ｍｓｅｃ周期で起動されるため、駆動信号出力処理における各処理も約２ｍｓｅｃ周期で起動される。したがって、通常状態に設定されている場合には、１パルスの駆動信号は約２ｍｓｅｃ周期で出力される。
【０２６３】
既に説明したとおり、払出側ＣＰＵ２３１から６０パルスの駆動信号が出力されることにより回転体１２４が６０ｓｔｅｐ進んで１回転し、当該回転体１２４が１回転することにより２個の遊技球が下流側へ導出される。つまり、３０パルスの駆動信号が出力されることで１個の遊技球が払い出される。通常状態では、上記のとおり１パルスの駆動信号が約２ｍｓｅｃ周期で出力されるため、払出装置１１４からは６０ｍｓｅｃ周期で１個の遊技球が払い出されることとなる。
【０２６４】
なお、通常状態における駆動信号の出力周期は２ｍｓｅｃに限定されることはなく任意である。この場合に、例えば当該出力周期を６ｍｓｅｃといったように２ｍｓｅｃよりも遅い周期に設定した場合には、ステップＳ２００３にて肯定判定した後に、通常状態用の出力タイミングか否かを判定する構成とするとよい。
【０２６５】
ステップＳ２００４にて、１パルスの駆動信号を出力した後は、ステップＳ２００５に進み、払出側ＲＡＭ２３３の駆動カウンタエリアの情報を更新する。具体的には、駆動カウンタエリアの値を１加算する。その後、本駆動信号出力処理を終了する。
【０２６６】
ステップＳ２００３において、通常状態でない場合には、ステップＳ２００６にて、低速状態用の出力タイミングか否かを判定する。低速状態用の出力タイミングでない場合には、そのまま本駆動信号出力処理を終了し、低速状態用の出力タイミングである場合には、ステップＳ２００４にて１パルスの駆動信号をモータドライバに出力する。
【０２６７】
この場合、低速状態用の出力タイミングであるか否かは、低速状態の設定が行われた後に、当該ステップＳ２００６にて否定判定が１０回行われたか否かを判定することにより行われる。上記のとおり駆動信号出力処理における各処理は約２ｍｓｅｃ周期で起動されるため、ステップＳ２００６では実質的に２０ｍｓｅｃ経過したか否かを判定しており、１パルスの駆動信号は約２０ｍｓｅｃ周期で出力される。
【０２６８】
既に説明したとおり、払出側ＭＰＵ２３１から３０パルスの駆動信号が出力されることで１個の遊技球が払い出される。低速状態では、上記のとおり１パルスの駆動信号が約２０ｍｓｅｃ周期で出力されるため、払出装置１１４からは６００ｍｓｅｃ周期で１個の遊技球が払い出されることとなる。
【０２６９】
ステップＳ２００４にて、１パルスの駆動信号を出力した後は、上記のとおりステップＳ２００５に進み、払出側ＲＡＭ２３３の駆動カウンタエリアの情報を更新する。その後、本駆動信号出力処理を終了する。
【０２７０】
ステップＳ２００２において、リトライ状態である場合には、ステップＳ２００７にてリトライ動作用処理を実行した後に、本駆動信号出力処理を終了する。リトライ動作用処理では、リトライ状態の設定後において、２５ｓｔｅｐ／ｓｅｃの速度での逆回転と、５０ｓｔｅｐ／ｓｅｃの速度での正回転とが、１ｓｅｃずつ交互に行われることを１セットとして、これが３セット行われるように、払出モータ１２５に駆動信号を出力する。
【０２７１】
払出制御処理（図２８）の説明に戻り、ステップＳ１８０２にて駆動信号出力処理を実行した後は、ステップＳ１８０３に進み、球検知処理を実行する。球検知処理では、払出側ＲＡＭ２３３の払出特定用カウンタエリアを用いて、遊技球が払い出されたか否かを判定する。
【０２７２】
球検知処理について、以下に具体的に説明する。払出球検知センサ１２６の検知部１２７を遊技球が通っていない場合には払出側ＭＰＵ２３１の入力ポートには「０」の情報（払出非検知情報）が格納され、遊技球が通っている場合には払出側ＣＰＵ２３１の入力ポートには「１」の情報（払出検知情報）が格納される。そして、１個の遊技球が検知部１２７を通過する場合、「０」の情報が格納された状態から「１」の情報が格納された状態に切り換わり、当該「１」の情報が格納された状態が所定期間に亘って継続した後に、「０」の情報が格納された状態に復帰する。
【０２７３】
球検知処理では、「０」の情報が格納された状態から「１」の情報が格納された状態への切り換わりを監視する。そして、「１」の情報が格納された状態へ切り換わったことを特定し、それに基づいて１個の遊技球が払い出されたことを特定する。つまり、払出側ＭＰＵ２３１は、払出球検知センサ１２６において遊技球の検知が開始されたことに基づいて、１個の遊技球が払い出されたことを特定する。
【０２７４】
この場合に、球検知処理では、「１」の情報が格納された状態への切り換わりを確認した際に即座に１個の遊技球が払い出されたと特定するのではなく、「１」の情報が格納された状態に切り換わり、さらに「１」の情報が格納された状態を予め定められた所定の回数に亘って確認した場合に１個の遊技球が払い出されたと特定する。具体的には、「０」の情報が格納された状態が確認された後に、「１」の情報が格納された状態が連続して２回確認された場合に、１個の遊技球が払い出されたと特定する。これにより、ノイズなどにより払出側ＣＰＵ２３１の入力ポートに払出検知情報が格納された場合、払出側ＭＰＵ２３１において１個の遊技球が払い出されたと特定してしまうことが防止される。球検知処理にて１個の遊技球が払い出されたことを特定した場合、払出側ＲＡＭ２３３の払出特定フラグ格納エリアに払出特定フラグを格納する。
【０２７５】
なお、通常周期においては、「１」の情報が格納された状態から「０」の情報が格納された状態が確認されるまでに、前者の状態が連続して３回以上、具体的には１０回確認される。また、低速周期においては、「１」の情報が格納された状態から「０」の情報が格納された状態が確認されるまでに、前者の状態が連続して３回以上、具体的には２０回確認される。
【０２７６】
球検知処理を実行した後は、ステップＳ１８０４にて、球検知処理の処理結果が１個の遊技球の払出を特定した旨の処理結果であるか否かを判定する。具体的には、払出側ＲＡＭ２３３に払出特定フラグ（払出特定情報）が格納されているか否かを判定する。払出特定フラグが格納されていない場合には、そのまま本払出制御処理を終了する。
【０２７７】
払出特定フラグが格納されている場合には、ステップＳ１８０５に進む。なお、ステップＳ１８０４にて肯定判定した場合に払出特定フラグを消去する。ステップＳ１８０５では、貸球動作中か否かを判定する。貸球動作中でない場合には、ステップＳ１８０６〜ステップＳ１８１０の賞球用減算処理を実行した後に、本払出制御処理を終了する。一方、貸球動作中である場合には、ステップＳ１８１１〜ステップＳ１８１２の貸球用減算処理を実行した後に、本払出制御処理を終了する。
【０２７８】
賞球用減算処理では、先ずステップＳ１８０６にて、払出側ＲＡＭ２３３の賞球数記憶エリア２６４の値を１減算し、続くステップＳ１８０７にて、払出側ＲＡＭ２３３の払出個数カウンタエリア２６６の値を１減算する。その後、ステップＳ１８０８では、賞球数記憶エリア２６４の値が「２」以下か否かを判定する。「２」以下でない場合には、そのまま本払出制御処理を終了する。「２」以下である場合には、ステップＳ１８０９にて、払出側ＲＡＭ２３３の賞球低速フラグ格納エリアに賞球低速フラグが格納されているか否かを判定する。賞球低速フラグが格納されている場合にはそのまま本払出制御処理を終了し、賞球低速フラグが格納されていない場合にはステップＳ１８１０にて賞球低速フラグ格納エリアに賞球低速フラグを格納した後に本払出制御処理を終了する。
【０２７９】
また、貸球用減算処理では、先ずステップＳ１８１１にて、払出側ＲＡＭ２３３の貸球数記憶エリア２６５の値を１減算し、続くステップＳ１８１２にて、払出側ＲＡＭ２３３の払出個数カウンタエリア２６６の値を１減算した後に、本払出制御処理を終了する。
【０２８０】
＜賞球許可信号設定処理＞
次に、ステップＳ１２０９の賞球許可信号設定処理について、図３１のフローチャートを参照しながら説明する。賞球許可信号設定処理では、払出側ＭＰＵ２３１から主側ＭＰＵ２１１への賞球許可信号の出力停止及び出力開始の設定を行う処理が実行される。
【０２８１】
賞球許可信号設定処理では、先ずステップＳ２１０１にて、払出側ＲＡＭ２３３の賞球数記憶エリア２６４に記憶されている賞球数の情報が許可基準数である３個以下か否かを判定する。４個以上である場合には、ステップＳ２１０７にて賞球不許可状態（出力不許可状態）の設定をした後に、本賞球許可信号設定処理を終了する。
【０２８２】
賞球不許可状態の設定について具体的には、払出側ＲＡＭ２３３の賞球許可状態フラグ格納エリア（賞球許可情報記憶手段又は出力許可情報記憶手段）に賞球許可状態フラグ（賞球許可情報又は出力許可情報）が格納されている場合に、その賞球許可状態フラグを消去して、賞球許可信号の出力を停止する（賞球許可信号を出力するための出力手段からの賞球許可信号の出力を停止させる）。賞球許可状態フラグが消去されている状態では、払出側ＭＰＵ２３１から主側ＭＰＵ２１１への賞球許可信号の出力が停止され、その状態が維持される。
【０２８３】
なお、本パチンコ機１０では、賞球許可信号が出力されている状態がＨＩレベル信号の出力状態であるため、賞球許可信号の出力が停止されている状態はＬＯＷレベル信号の出力状態となる。但し、賞球許可信号が出力されている状態がＬＯＷレベル信号の出力状態とした場合には、賞球許可信号の出力が停止されている状態をＨＩレベル信号の出力状態としてもよい。さらには、賞球許可信号の出力が停止されている状態を、当該信号経路について何ら信号が出力されていない状態としてもよい。
【０２８４】
一方、ステップＳ２１０１にて、賞球数記憶エリア２６４に記憶されている賞球数の情報が許可基準数である３個以下である場合には、ステップＳ２１０２にて、球抜き動作中か否かを判定する。球抜き動作中でない場合には、ステップＳ２１０３にて、払出エラー状態か否かを判定する。
【０２８５】
払出エラー状態である場合には、ステップＳ２１０７にて賞球不許可状態を設定した後に本賞球許可信号設定処理を終了する。このように払出エラー状態である場合に賞球不許可状態を設定することで、払出エラー状態では賞球許可信号の出力が停止され、賞球コマンドの出力が禁止される。
【０２８６】
既に説明したように、払出エラー状態では遊技球の払出が停止される。また、本パチンコ機１０では外部電源からの電力供給が停止されると払出側ＲＡＭ２３３に記憶されている情報は消去されてしまう。したがって、払出エラー状態において賞球コマンドが出力されると、払出エラー状態が継続されたまま電力供給が停止された場合にはその賞球コマンドに対応した賞球は払い出されることなく消去されてしまう。つまり、払出エラー状態において賞球コマンドが出力される構成では、それだけ賞球コマンドに対応した賞球が払い出されることなく消去されてしまう可能性が高くなる。これに対して、本構成によれば、このような不都合の発生を阻止することができる。
【０２８７】
ステップＳ２１０３において、払出エラー状態でない場合には、ステップＳ２１０４にて、払出側ＲＡＭ２３３の満タン低速フラグ格納エリアに満タン低速フラグが格納されているか否かを判定する。また、ステップＳ２１０５では、払出側ＲＡＭ２３３の球無低速フラグ格納エリアに球無低速フラグが格納されているか否かを判定する。
【０２８８】
満タン低速フラグ又は球無低速フラグのいずれかが格納されている場合には、ステップＳ２１０７にて賞球不許可状態を設定した後に、本賞球許可信号設定処理を終了する。このように満タン低速状態又は球無低速状態である場合に賞球不許可状態を設定することで、満タン低速状態又は球無低速状態では賞球許可信号の出力が停止され、賞球コマンドの出力が禁止される。
【０２８９】
既に説明したように、満タン低速状態又は球無低速状態は、その後、払出エラー状態となる可能性が高い場合にその前段階として設定される状態である。そして、払出エラー状態では遊技球の払出が停止される。また、本パチンコ機１０では外部電源からの電力供給が停止されると払出側ＲＡＭ２３３に記憶されている情報は消去されてしまう。したがって、払出エラー状態において賞球コマンドが出力されると、払出エラー状態が継続されたまま電力供給が停止された場合にはその賞球コマンドに対応した賞球は払い出されることなく消去されてしまう。つまり、払出エラー状態において賞球コマンドが出力される構成では、それだけ賞球コマンドに対応した賞球が払い出されることなく消去されてしまう可能性が高くなる。これに対して、本構成のように、払出エラー状態となる可能性が高いと判定した段階で、賞球許可信号の出力を停止して賞球コマンドの出力を禁止することで、払出エラー状態となる前に賞球コマンドの出力を禁止することができ、上記のような不都合が発生する可能性が飛躍的に低減される。
【０２９０】
ステップＳ２１０４にて満タン低速フラグが格納されておらず、さらにはステップＳ２１０５にて球無低速フラグが格納されていない場合には、ステップＳ２１０６にて賞球許可状態（出力許可状態）を設定した後に、本賞球許可信号設定処理を終了する。また、ステップＳ２１０３にて球抜き動作中である場合にも、ステップＳ２１０６にて賞球許可状態を設定した後に、本賞球許可信号設定処理を終了する。
【０２９１】
賞球許可状態の設定について具体的には、払出側ＲＡＭ２３３の賞球許可状態フラグ格納エリアに賞球許可状態フラグが格納されていない場合に、賞球許可状態フラグを格納し、賞球許可信号の出力を開始する（賞球許可信号を出力するための出力手段からの賞球許可信号の出力を開始させる）。賞球許可状態フラグが格納されている状態では、払出側ＭＰＵ２３１から主側ＭＰＵ２１１への賞球許可信号の出力が開始され、その状態が維持される。つまり、球抜き動作中でない状態においては、払出側ＲＡＭ２３３の賞球数記憶エリア２６４に記憶されている賞球数の情報が許可基準数である３個以下であり、さらには払出エラー状態、満タン低速状態及び球無低速状態でない場合に、賞球許可信号の出力が継続される。
【０２９２】
＜賞球許可信号に対する賞球コマンドの出力の様子について＞
次に、賞球許可信号に対する賞球コマンドの出力の様子について、図３２のタイムチャートを参照して説明する。なお、図３２を用いた説明においては、説明の便宜上、複数種ある入賞のうち４個賞球に対応した入賞のみが発生するものとする。
【０２９３】
先ず、単発的に入賞が発生する場合について説明する。
【０２９４】
払出側ＭＰＵ２３１から主側ＭＰＵ２１１に既に賞球許可信号が出力されている状況において、ｔ１のタイミングで入賞が発生することにより、主側ＭＰＵ２１１から払出側ＭＰＵ２３１に４個賞球コマンドが出力される。これにより、払出側ＲＡＭ２３３に４個の賞球数の情報が記憶されて許可基準数を超えること（不許可基準数に達すること）により賞球許可信号の出力が停止されるとともに、遊技球の払出が開始される。
【０２９５】
その後、ｔ２のタイミングで１個の遊技球の払出が実行されることにより、払出側ＲＡＭ２３３に記憶されている賞球数の情報は許可基準数の３個となる。これにより、賞球許可信号の出力が開始される。その後、ｔ３のタイミングで１個の遊技球の払出がさらに実行されることにより、払出側ＲＡＭ２３３に記憶されている賞球数の情報は切換基準数の２個となる。これにより、払出モータ１２５の払出速度がそれまでの通常周期から低速周期に切り換えられる。その後、ｔ４のタイミングまでに２個の遊技球の払出が実行されることにより、払出側ＲＡＭ２３３に記憶されている賞球数の情報は０個となる。これにより、払出モータ１２５への駆動信号の出力が停止され、賞球の払出が終了される。
【０２９６】
次に、単発的な入賞が発生した後に、払出モータ１２５の払出速度が低速周期である状況で再度、入賞が発生する場合について説明する。
【０２９７】
払出側ＭＰＵ２３１から主側ＭＰＵ２１１に既に賞球許可信号が出力されている状況において、ｔ５のタイミングで入賞が発生することにより、主側ＭＰＵ２１１から払出側ＭＰＵ２３１に４個賞球コマンドが出力される。これにより、払出側ＲＡＭ２３３に４個の賞球数の情報が記憶されて許可基準数を超えることにより賞球許可信号の出力が停止されるとともに、遊技球の払出が開始される。
【０２９８】
その後、ｔ６のタイミングで１個の遊技球の払出が実行されることにより、払出側ＲＡＭ２３３に記憶されている賞球数の情報は許可基準数の３個となる。これにより、賞球許可信号の出力が開始される。その後、ｔ７のタイミングで１個の遊技球の払出がさらに実行されることにより、払出側ＲＡＭ２３３に記憶されている賞球数の情報は切換基準数の２個となる。これにより、払出モータ１２５の払出速度がそれまでの通常周期から低速周期に切り換えられる。
【０２９９】
その後、払出側ＲＡＭ２３３に記憶されている賞球数の情報が０個とならない範囲内であるｔ８のタイミングで、新たな入賞が発生することにより、主側ＭＰＵ２１１から払出側ＭＰＵ２３１に４個賞球コマンドが出力される。これにより、払出側ＲＡＭ２３３に４個の賞球数の情報が記憶されて許可基準数を超えることにより賞球許可信号の出力が停止されるとともに、切換基準数を超えることにより払出モータ１２５の払出速度が低速周期から通常周期に復帰される。
【０３００】
次に、入賞が連続して発生した場合について説明する。
【０３０１】
上記のようにｔ８のタイミングで、新たな入賞が発生することにより、主側ＭＰＵ２１１から払出側ＭＰＵ２３１に４個賞球コマンドが出力される。これにより、払出側ＲＡＭ２３３に記憶されている賞球数の情報は、それまで記憶されていた賞球数に対して新たな賞球数が加算されることで５個となる。
【０３０２】
その後、ｔ９のタイミングまでに２個の遊技球の払出が実行されることにより、払出側ＲＡＭ２３３に記憶されている賞球数の情報は許可基準数の３個となる。これにより、賞球許可信号の出力が開始される。この場合に、ｔ９のタイミングまでに入賞が連続して発生しており、主側ＲＡＭ２１３には４個賞球の情報が複数記憶されている。その後、新たな遊技球の払出が実行される前のタイミングであるｔ１０のタイミングで、主側ＭＰＵ２１１から払出側ＭＰＵ２３１に４個賞球コマンドが出力される。また、ｔ１１のタイミングで払出側ＲＡＭ２３３に記憶されている賞球数の情報は許可基準数の３個となり、賞球許可信号の出力が開始される。その後、新たな遊技球の払出が実行される前のタイミングであるｔ１２のタイミングで、主側ＭＰＵ２１１から払出側ＭＰＵ２３１に４個賞球コマンドが出力される。
【０３０３】
つまり、主側ＲＡＭ２１３に既に賞球情報が記憶されている状況において、払出側ＲＡＭ２３３に記憶されている賞球数の情報が許可基準数となり賞球許可信号の出力が開始された場合には、新たな遊技球の払出が実行される前のタイミングで主側ＭＰＵ２１１から払出側ＭＰＵ２３１に賞球コマンドが出力され、払出側ＲＡＭ２３３に記憶されている賞球数の情報は許可基準数を超えることとなる。
【０３０４】
これは以下の理由による。払出モータ１２５の通常周期による払出速度は６０ｍｓｅｃ間隔で１個の遊技球の払出が実行されるように設定されている。これに対して、払出側ＭＰＵ２３１において、払出側ＲＡＭ２３３に記憶されている賞球数の情報が許可基準数となり賞球許可信号の出力が開始されるまでに要する時間は、タイマ割込み処理の実行時間の範囲内である２ｍｓｅｃの範囲内である。また、主側ＭＰＵ２１１において、賞球許可信号の入力に基づいて賞球コマンドの出力が許可されていると特定される賞球コマンドが出力されるまでに要する時間は２０ｍｓｅｃ〜２４ｍｓｅｃの範囲内である。また、払出側ＭＰＵ２３１において、主側ＭＰＵ２１１から賞球コマンドを入力し、その賞球コマンドに対応した賞球数の情報が払出側ＲＡＭ２３３に加算されるまでに要する時間は、タイマ割込み処理の実行時間の範囲内である２ｍｓｅｃの範囲内である。その他、賞球許可信号及び賞球コマンドの伝送に要する時間や処理時間の誤差等を含めても、払出側ＲＡＭ２３３に記憶されている賞球数の情報が許可基準数となってから、その後の賞球コマンドの入力により払出側ＲＡＭ２３３に記憶されている賞球数の情報が許可基準数を超えるまでに要する時間は最大でも４０ｍｓｅｃ程度である。これは１個の遊技球の払出が実行されるまでに要する時間である６０ｍｓｅｃよりも短い。すなわち、主側ＲＡＭ２１３に既に賞球情報が記憶されている状況において賞球許可信号の出力が開始された場合には、新たな遊技球の払出が実行される前のタイミングで賞球コマンドが出力され払出側ＲＡＭ２３３に記憶されている賞球数の情報が許可基準数を超えるように、主側ＭＰＵ２１１及び払出側ＭＰＵ２３１における賞球に関する処理時間が設定されている。
【０３０５】
また、以上のような構成において、払出側ＭＰＵ２３１から主側ＭＰＵ２１１への賞球許可信号の出力開始契機となる許可基準数は、払出モータ１２５の払出速度を通常周期から低速周期へ切り換える契機となる切換基準数よりも、遊技球１個分多く設定されている。これにより、主側ＲＡＭ２１３に賞球情報が複数記憶されている状況においては、それら賞球情報に対応した各賞球コマンドの出力が全て実行されるまでは、払出側ＲＡＭ２３３に記憶されている賞球数の情報が切換基準数に達することはない。よって、払出側ＭＰＵ２３１から主側ＭＰＵ２１１へ賞球許可信号を出力するとともに、それに対して主側ＭＰＵ２１１から払出側ＭＰＵ２３１へ１回の入賞に対応した１個の賞球コマンドのみを出力するようにした構成において、主側ＲＡＭ２１３に賞球情報が記憶されているにも関わらず払出モータ１２５の払出速度が通常周期から低速周期に切り換えられてしまうことを防止することができ、遊技球の払出を円滑に行うことができる。
【０３０６】
図３２の説明に戻り、その後、ｔ１３のタイミングで払出側ＲＡＭ２３３に記憶されている賞球数の情報は許可基準数の３個となり、賞球許可信号の出力が開始される。また、ｔ１４のタイミングで１個の遊技球の払出がさらに実行されることにより、払出側ＲＡＭ２３３に記憶されている賞球数の情報は切換基準数の２個となり、払出モータ１２５の払出速度がそれまでの通常周期から低速周期に切り換えられる。その後、ｔ１５のタイミングで払出側ＲＡＭ２３３に記憶されている賞球数の情報は０個となり、払出モータ１２５への駆動信号の出力が停止され、賞球の払出が終了される。
【０３０７】
＜満タン状態で電力供給が開始された場合の賞球情報の取り扱いについて＞
次に、下皿８２が満タン状態で外部電源からパチンコ機１０へ電力供給が開始された場合の賞球情報の取り扱いについて、図３３のタイムチャートを参照して説明する。
【０３０８】
先ず、主側ＭＰＵ２１１において立ち上げ処理後の待機処理がある場合について、図３３（ａ）を参照して説明する。
【０３０９】
ｔ１のタイミングで、外部電源からパチンコ機１０へ電力供給が開始されることで、主側ＭＰＵ２１１及び払出側ＭＰＵ２３１のそれぞれにおいて立ち上げ処理が開始される。その後、ｔ２のタイミングで、払出側ＭＰＵ２３１の立ち上げ処理が完了する。この場合、下皿８２が満タン状態で外部電源からパチンコ機１０へ電力供給が開始されているため、満タン検知センサ８８から満タン検知信号を入力していることが払出側ＭＰＵ２３１において特定される。但し、この時点では、満タン検知信号を入力していることを払出側ＭＰＵ２３１において特定した段階であるため、賞球許可信号の出力が開始される。
【０３１０】
その後、ｔ３のタイミングで、主側ＭＰＵ２１１の立ち上げ処理が完了する。但し、主側ＭＰＵ２１１ではこの時点から１ｓｅｃ経過するまで各種処理の実行を開始することなく待機する。その後、主側ＭＰＵ２１１において各種処理の実行を開始することなく待機している状況であるｔ４のタイミングで、払出側ＭＰＵ２３１において満タン検知信号の出力継続期間が第２満タン特定基準期間である約０．８ｓｅｃに達することで、賞球許可信号の出力が停止される。
【０３１１】
その後、ｔ５のタイミングで、主側ＭＰＵ２１１において立ち上げ処理後から１ｓｅｃ経過することで、各種処理の実行を開始する。但し、既に賞球許可信号の出力が停止されているため、主側ＲＡＭ２１３に賞球情報が記憶されていたとしても、賞球コマンドの出力は行われず、払出側ＲＡＭ２３３への賞球数の情報の記憶は行われない。その後、ｔ６のタイミングで、電源が遮断状態となる。
【０３１２】
上記のとおり、本構成によれば、下皿８２が満タン状態で電源が投入され、その後の比較的早い段階で電源が遮断されたとしても、賞球コマンドの出力は行われないため、実際に遊技球の払出が実行されないまま賞球情報が消去されてしまうという不都合が発生することが防止される。これは、主側ＭＰＵ２１１において立ち上げ処理後から１ｓｅｃ経過するまで各種処理の実行を開始することなく待機するようにしたことによる。なお、下皿８２が満タン状態で電源が投入され、その後の比較的早い段階で電源が遮断される場合や、それが繰り返される場合としては、電源スイッチのＯＮ・ＯＦＦ操作が繰り返し行われる場合や、ノイズにより上記状態が擬似的に発生する場合が考えられる。また、本構成においては、主側ＭＰＵ２１１において立ち上げ処理が完了するタイミングを払出側ＭＰＵ２３１において立ち上げ処理が開始するタイミングと同一としてもよく、０．２ｓｅｃの範囲内において主側ＭＰＵ２１１の方が早く完了する構成としてもよい。
【０３１３】
ここで、主側ＭＰＵ２１１において上記のような待機処理がない場合について、図３３（ｂ）を参照して説明する。
【０３１４】
ｔ１１のタイミングで、外部電源からパチンコ機１０へ電力供給が開始されることで、主側ＭＰＵ２１１及び払出側ＭＰＵ２３１のそれぞれにおいて立ち上げ処理が開始される。その後、ｔ１２のタイミングで、払出側ＭＰＵ２３１の立ち上げ処理が完了する。この場合、下皿８２が満タン状態で外部電源からパチンコ機１０へ電力供給が開始されているため、満タン検知センサ８８から満タン検知信号を入力していることが払出側ＭＰＵ２３１において特定される。但し、この時点では、満タン検知信号を入力していることを払出側ＭＰＵ２３１において特定した段階であるため、賞球許可信号の出力が開始される。
【０３１５】
その後、ｔ１３のタイミングで、主側ＭＰＵ２１１の立ち上げ処理が完了する。この場合、主側ＭＰＵ２１１において各種処理の実行が開始される。そして、主側ＲＡＭ２１３に賞球情報が記憶されている状況において払出側ＭＰＵ２３１から賞球許可信号を入力していることにより、ｔ１４のタイミングで、主側ＭＰＵ２１１から払出側ＭＰＵ２３１に賞球コマンドが出力される。これにより、払出側ＭＰＵ２３１では、賞球許可信号の出力を停止するとともに、払出側ＲＡＭ２３３に賞球数の情報を記憶させる。
【０３１６】
その後、ｔ１５のタイミングで、払出側ＲＡＭ２３３に賞球数の情報が記憶されている状況において電源が遮断状態となる。そうすると、払出側ＲＡＭ２３３には電断時用電力が供給されないため、払出側ＲＡＭ２３３に記憶されていた賞球数の情報は実際に遊技球の払出が実行されることなく消去される。そして、ｔ１６のタイミングからｔ１７のタイミングのように、ｔ１１のタイミングからｔ１５のタイミングの動作が繰り返されることにより、主側ＲＡＭ２１３に記憶されていた賞球情報は実際に遊技球の払出が実行されることなく繰り返し消去されていく。この場合、遊技者に多大な不利益を及ぼしてしまう。これに対して、本パチンコ機１０では、既に説明したように図３３（ａ）に示す態様であるため、上記のような不都合が発生することが防止されている。
【０３１７】
なお、実際に遊技球の払出が実行されることなく賞球情報が繰り返し消去されていってしまうことは、タンク１１１が球無状態で外部電源からパチンコ機１０へ電力供給が開始された場合においても同様に懸念される。これに対して、本パチンコ機１０では、主側ＭＰＵ２１１において各種処理の実行を開始することなく待機している状況で、払出側ＭＰＵ２３１において球無検知信号の出力継続期間が第２球無特定基準期間である約１．０ｓｅｃに達することで、賞球許可信号の出力が停止される。よって、上記のような不都合の発生が防止される。
【０３１８】
＜前扉枠１４が開放状態で電力供給が開始された場合の賞球情報の取り扱いについて＞
次に、前扉枠１４が開放状態で外部電源からパチンコ機１０へ電力供給が開始された場合の賞球情報の取り扱いについて、図３４のタイムチャートを参照して説明する。
【０３１９】
先ず、主側ＭＰＵ２１１において、払出側ＭＰＵ２３１の賞球許可信号を入力してから賞球コマンドの出力が許可されていると特定するまでの期間（出力許可基準期間）が、前扉枠開放スイッチ２２の前扉枠開放信号を入力してから前扉枠１４が開放状態であると特定するまでの期間（開放特定基準期間）よりも長い場合について、図３４（ａ）を参照して説明する。
【０３２０】
ｔ１のタイミングで、外部電源からパチンコ機１０へ電力供給が開始されることで、主側ＭＰＵ２１１において立ち上げ処理が開始されるとともに立ち上げ処理後には待機処理が実行される。その後、ｔ２のタイミングで、主側ＭＰＵ２１１において立ち上げ処理後から１ｓｅｃ経過することで、各種処理の実行を開始する。この場合、払出側ＭＰＵ２３１から既に賞球許可信号が出力されているため、出力許可基準期間の計測が開始される。また、今回は前扉枠１４が開放状態で電源投入がなされているため、開放特定基準期間の計測が開始される。
【０３２１】
その後、ｔ３のタイミングで、出力許可基準期間及び開放特定基準期間のうち、開放特定基準期間の計測が完了することで、主側ＭＰＵ２１１において賞球コマンドの出力不可状態となる。その後、ｔ４のタイミングで、出力許可基準期間の計測が完了する。但し、既にｔ３のタイミングにおいて賞球コマンドの出力不可状態となっているため、主側ＲＡＭ２１３に賞球情報が記憶されていたとしても賞球コマンドの出力は行われず、払出側ＲＡＭ２３３への賞球数の情報の記憶は行われない。その後、ｔ５のタイミングで、電源が遮断状態となる。
【０３２２】
上記のとおり、本構成によれば、前扉枠１４が開放状態で電源が投入され、その後の比較的早い段階で電源が遮断されたとしても、賞球コマンドの出力は行われないため、実際に遊技球の払出が実行されないまま賞球情報が消去されてしまうという不都合が発生することが防止される。これは、出力許可基準期間を開放特定基準期間よりも長く設定したことによる。
【０３２３】
ここで、主側ＭＰＵ２１１において、出力許可基準期間が開放特定基準期間よりも短い場合について、図３４（ｂ）を参照して説明する。
【０３２４】
ｔ１１のタイミングで、外部電源からパチンコ機１０へ電力供給が開始されることで、主側ＭＰＵ２１１において立ち上げ処理が開始されるとともに立ち上げ処理後には待機処理が実行される。その後、ｔ１２のタイミングで、主側ＭＰＵ２１１において立ち上げ処理後から１ｓｅｃ経過することで、各種処理の実行が開始される。この場合、払出側ＭＰＵ２３１から既に賞球許可信号が出力されているため、出力許可基準期間の計測が開始される。また、今回は前扉枠１４が開放状態で電源投入がなされているため、開放特定基準期間の計測が開始される。
【０３２５】
その後、ｔ１３のタイミングで、出力許可基準期間及び開放特定基準期間のうち、出力許可基準期間の計測が完了することで、主側ＭＰＵ２１１から払出側ＭＰＵ２３１へ賞球コマンドが出力される。その後、ｔ１４のタイミングで、開放特定基準期間の計測が完了することで、主側ＭＰＵ２１１において賞球コマンドの出力不可状態となる。また、この場合、主側ＭＰＵ２１１から払出側ＭＰＵ２３１へ前扉枠開放コマンドが出力されることで、払出側ＭＰＵ２３１において遊技球の払出不可状態となる。したがって、ｔ１３のタイミングで出力された賞球コマンドに基づく遊技球の払出は停止され、払出側ＲＡＭ２３３において賞球数の情報が記憶された状態が維持される。
【０３２６】
その後、ｔ１５のタイミングで、払出側ＲＡＭ２３３に賞球数の情報が記憶されている状況において電源が遮断状態となる。そうすると、払出側ＲＡＭ２３３には電断時用電力が供給されないため、払出側ＲＡＭ２３３に記憶されていた賞球数の情報は実際に遊技球の払出が実行されることなく消去される。そして、ｔ１６のタイミングからｔ１７のタイミングのように、ｔ１１のタイミングからｔ１５のタイミングの動作が繰り返されることにより、主側ＲＡＭ２１３に記憶されていた賞球情報は払出側ＲＡＭ２３３に賞球数の情報として記憶され、実際に遊技球の払出が実行されることなく繰り返し消去されていく。この場合、遊技者に多大な不利益を及ぼしてしまう。これに対して、本パチンコ機１０では、既に説明したように図３４（ａ）に示す態様であるため、上記のような不都合が発生することが防止されている。
【０３２７】
＜払出装置１１４の下流側の通路構成について＞
次に、払出装置１１４の下流側の特徴的な通路構成について詳細に説明する。図３５（ａ）は払出装置１１４の下流側の通路構成を説明するための縦断面図、図３５（ｂ）は払出装置１１４に設けられた払出球検知センサ１２６の構成を示す平面図、図３５（ｃ）は払出装置１１４の下流側の通路におけるＡ―Ａ線部分の断面図、図３５（ｄ）は払出装置１１４の下流側の通路におけるＢ―Ｂ線部分の断面図である。なお、払出球検知センサ１２６、払出装置１１４の下流側の通路におけるＡ―Ａ線部分、払出装置１１４の下流側の通路におけるＢ―Ｂ線部分は鉛直方向にこの順で並んでいるが、図３５（ｂ）〜（ｄ）ではそれぞれの左右方向の相対位置を示している。
【０３２８】
既に説明したように、払出装置１１４は払出通路１２２を備えているとともに、回転体１２４よりも下流側の位置にて払出通路１２２を通過する遊技球を検知する払出球検知センサ１２６を備えている。払出球検知センサ１２６は、既に説明したように、磁気検知タイプの近接センサにて構成されており、遊技球の通過を検知するための検知部１２７を備えている。
【０３２９】
検知部１２７には、図３５（ａ）に示すように、払出球検知センサ１２６の厚み方向に貫通した貫通孔１２７ａが形成されている。貫通孔１２７ａは、貫通方向に対して直交する方向の断面が円形状となるように形成されている。また、貫通孔１２７ａは、その全体に亘って同一方向に延びるように形成されているとともに、その全体に亘って孔の直径が同一又は略同一となっている。当該孔の直径Ｒ１は、遊技球の直径と略同一、より詳細には、遊技球の直径よりも若干大きい程度となっている。
【０３３０】
具体的には、遊技球の直径が約１１ｍｍであるのに対して、貫通孔１２７ａの直径Ｒ１は、約１２ｍｍとなっている。但し、これに限定されることはなく、貫通孔１２７ａの直径Ｒ１は、球詰まりを生じさせないようにさせつつ１個の遊技球を正確に検知するという観点から、約１１．１ｍｍ〜約２０．０ｍｍの範囲のいずれかとしてもよく、好ましくは約１２ｍｍ〜約１５ｍｍの範囲のいずれかである。また、貫通孔１２７ａの断面は円形状に限定されることはなく多角形状であってもよく、この場合、当該断面が遊技球において中心を通る断面の全体を含む大きさであればよい。また、球詰まりを生じさせないようにさせつつ１個の遊技球を正確に検知するという観点から、上記断面の大きさが遊技球の断面よりも約５％〜約８０％の範囲のいずれかの割合で大きい構成としてもよく、好ましくは約１０％〜約３０％の範囲のいずれかの割合で大きい構成としてもよい。
【０３３１】
検知部１２７には、貫通孔１２７ａの外周側に沿うようにして検出コイル１２６ａが内蔵されており、さらには払出球検知センサ１２６には検出コイルと電気的に接続された発振用コンデンサ、発振回路、検波回路、コンパレータ回路及び出力回路を有するセンサ基板１２６ｂが内蔵されている。これにより、貫通孔１２７ａ内を遊技球が通過している場合には、検出コイルを磁束が貫くこととなってその旨の信号が払出制御装置１４１に出力され、既に説明したように、遊技球が払い出されたことが当該払出制御装置１４１のＭＰＵ２３１にて特定される。
【０３３２】
払出球検知センサ１２６は、払出装置１１４のハウジング１２１に形成されたセンサ設置部１２１ａに設置されている。当該センサ設置部１２１ａに払出球検知センサ１２６が設置されていることにより、検知部１２７が、払出通路１２２の途中位置であって回転体１２４が収容された収容部１２３よりも下流側に配置されている。この場合に、払出通路１２２において検知部１２７よりも下流側の下流側払出領域１２２ａは、鉛直方向（遊技機上下方向）に延びており、通路方向に対して直交する方向の断面が円形となっている。そして、下流側払出領域１２２ａの直径（すなわち、内径）は、払出球検知センサ１２６の貫通孔１２７ａの直径と同一となっている。なお、下流側払出領域１２２ａの直径を、払出球検知センサ１２６の貫通孔１２７ａよりも若干大きくしてもよく、若干小さくしてもよいが、球詰まりの発生を抑制する等といった観点からは、下流側の大きさが上流側の大きさ以上であることが好ましく、より好ましくは下流側の大きさと上流側の大きさとを同一とすることで、貫通孔１２７ａと下流側払出領域１２２ａとの間に段差が生じないようにすることが好ましい。
【０３３３】
払出球検知センサ１２６は、下流側払出領域１２２ａの中心軸線に対して貫通孔１２７ａの中心軸線が同一直線上となるようにしてセンサ設置部１２１ａに設置されており、貫通孔１２７ａと下流側払出領域１２２ａとが連通するとともに両者によって形成される通路領域は全体に亘って通路方向が同一（具体的には、鉛直方向）となっているとともに全体に亘って通路幅が同一となっている。これにより、回転体１２４により下流側へ導出された遊技球が円滑に流れることとなり、払出球検知センサ１２６における遊技球の検知を良好に行うことができる。
【０３３４】
払出装置１１４の下方であって遊技球分配部１２８の上方には、図３５（ａ）に示すように、通路形成ユニット２７０が設けられている。通路形成ユニット２７０は、合成樹脂製のハウジング２７１を備えており、当該ハウジング２７１内には通路壁２７２により区画されて連通用通路２７３が形成されている。この場合、連通用通路２７３は通路壁２７２によって周囲が区画されることにより筒状（又は、管状）をなしている。より詳細には、連通用通路２７３は一部が円筒状をなしており、一部が角筒状をなしている。なお、全体が円筒状をなしていてもよく、全体が角筒状をなしていてもよい。
【０３３５】
連通用通路２７３によって払出装置１１４の払出通路１２２と遊技球分配部１２８が連通されている。そして、遊技球分配部１２８において並設（詳細には、横方向に並設）された内側開口部１２８ａ及び外側開口部１２８ｂのうち、基本的に内側開口部１２８ａに向けて連通用通路２７３から遊技球が排出される。内側開口部１２８ａは上皿８１に通じており、内側開口部１２８ａへ排出された遊技球は上皿８１に排出される。一方、上皿８１が満タン状態となった場合には、内側開口部１２８ａから遊技球が溢れた状態となり、この状態においては外側開口部１２８ｂに向けて連通用通路２７３から遊技球が排出される。外側開口部１２８ｂは下皿８２に通じており、外側開口部１２８ｂへ排出された遊技球は下皿８２に排出される。
【０３３６】
ここで、上記連通用通路２７３についてより詳細に説明する。
【０３３７】
連通用通路２７３は、基本的に鉛直方向に延びており、払出装置１１４の払出通路１２２から続く上流側の方が、遊技球分配部１２８へと続く下流側よりも通路幅が狭くなるように形成されている。つまり、連通用通路２７３は、払出装置１１４の払出通路１２２から連続し相対的に通路幅が狭くなった幅狭領域２７４と、当該幅狭領域２７４及び遊技球分配部１２８に連続し相対的に通路幅が広くなった幅広領域２７５と、を備えている。
【０３３８】
幅狭領域２７４は、図３５（ｃ）に示すように、通路壁２７２によって区画されることで形成されており、通路方向に対して直交する方向の断面が円形となっている。なお、幅狭領域２７４は、通路壁２７２により区画された範囲内の領域である。また、幅狭領域２７４を区画形成するための通路壁２７２はその断面が円形状である必要はなく、多角形状であってもよい。
【０３３９】
幅狭領域２７４は、通路方向の全体に亘って通路孔の直径（すなわち、内径）が同一又は略同一となっている。当該通路孔の直径Ｒ２は、遊技球の直径と略同一、より詳細には、遊技球の直径よりも若干大きい程度となっている。また、当該通路孔の直径Ｒ２は、払出球検知センサ１２６の貫通孔１２７ａの直径Ｒ１及び払出通路１２２における下流側払出領域１２２ａの直径と同一となっている。
【０３４０】
具体的には、遊技球の直径が約１１ｍｍであるのに対して、幅狭領域２７４の直径Ｒ２は、約１２ｍｍとなっている。但し、これに限定されることはなく、球詰まりを生じさせないようにさせつつ通路幅を狭くするという観点から、約１１．１ｍｍ〜約２０．０ｍｍの範囲のいずれかとしてもよく、好ましくは約１２ｍｍ〜約１５ｍｍの範囲のいずれかである。また、幅狭領域２７４の断面は円形状に限定されることはなく多角形状であってもよく、この場合、当該断面が遊技球において中心を通る断面の全体を含む大きさであればよい。また、球詰まりを生じさせないようにさせつつ通路幅を狭くするという観点から、上記断面の大きさが遊技球の断面よりも約５％〜約８０％の範囲のいずれかの割合で大きい構成としてもよく、好ましくは約１０％〜約３０％の範囲のいずれかの割合で大きい構成としてもよい。
【０３４１】
幅狭領域２７４は、下流側払出領域１２２ａとの連通箇所である入口部分の位置に対して、幅広領域２７５との連通箇所である出口部分の位置が横方向、詳細には、左右方向にずれた位置となるように、迂回させて形成されている。換言すれば、上記出口部分の位置が、払出球検知センサ１２６の貫通孔１２７ａを通路方向下流側に延長させた範囲から外れた位置となるように、迂回させて形成されている。
【０３４２】
具体的には、幅狭領域２７４は、図３５（ａ）に示すように、鉛直方向に延びる上流側鉛直領域（上流側上下方向領域）２８１と、当該上流側鉛直領域２８１に対して下流側において連続しパチンコ機１０内側に向けて下り傾斜した傾斜領域２８２と、当該傾斜領域２８２に対して下流側において連続し鉛直方向に延びる下流側鉛直領域（下流側上下方向領域）２８３と、を備えている。
【０３４３】
上流側鉛直領域２８１は、その中心軸線が払出球検知センサ１２６の貫通孔１２７ａ及び下流側払出領域１２２ａの中心軸線と同一直線上となるように形成されている。そして、上流側鉛直領域２８１と下流側払出領域１２２ａとが連通するとともに両者によって形成される通路領域は、全体に亘って通路方向が同一（具体的には、鉛直方向）となっているとともに全体に亘って通路幅が同一となっている。つまり、上流側鉛直領域２８１と下流側払出領域１２２ａとの間には段差が形成されていない。これにより、下流側払出領域１２２ａから上流側鉛直領域２８１への遊技球の導入が通路壁などでの引っ掛かりが生じることなく円滑に行われる。
【０３４４】
傾斜領域２８２は、通路壁２７２によって通路底部２８４と通路天井部２８５とが少なくとも構成されることによって形成されており、上流側鉛直領域２８１から下流側鉛直領域２８３に向けて下り傾斜となっている。つまり、傾斜領域２８２は、その通路方向が払出球検知センサ１２６の貫通孔１２７ａを含めた上流側の通路領域の通路方向とは異なっている。当該傾斜領域２８２を通過する遊技球は、通路底部２８４上に載った状態で下流側鉛直領域２８３に向けて下ることとなる。当該通路底部２８４には、その外壁面側に金属板２８６が固定されており、当該通路底部２８４が補強されている。なお、金属板２８６は、通路底部２８４に沿って湾曲させて形成されているが、これに限定されることはなく、平板状に形成されていてもよい。
【０３４５】
傾斜領域２８２は、下流側鉛直領域２８３の中心軸線が、上流側鉛直領域２８１の中心軸線、すなわち払出球検知センサ１２６の貫通孔１２７ａの中心軸線と同一直線上に配置されないようにその通路長が設定されている。より詳細には、図３５（ｂ）及び図３５（ｃ）に示すように、傾斜領域２８２は、下流側鉛直領域２８３の中心軸線と払出球検知センサ１２６の貫通孔１２７ａの中心軸線との間の距離Ｌ１が両者の孔の半径よりも大きくなるように、その通路長が設定されている。さらに言うと、傾斜領域２８２は、下流側鉛直領域２８３における払出球検知センサ１２６の貫通孔１２７ａ側の端部と払出球検知センサ１２６の貫通孔１２７ａにおける下流側鉛直領域２８３側の端部とが横方向に所定の距離Ｌ２だけ離れるように、その通路長が設定されている。これにより、払出球検知センサ１２６の貫通孔１２７ａを通路方向下流側に延長させた範囲に、下流側鉛直領域２８３はその全体が重ならない。換言すれば、払出球検知センサ１２６の貫通孔１２７ａの通路方向下流側への投影範囲内に下流側鉛直領域２８３はその全体が含まれていない。
【０３４６】
上記のように幅狭領域２７４が形成されていることにより、払出球検知センサ１２６の貫通孔１２７ａから下流側払出領域１２２ａへと続く同一の通路幅の通路領域は、幅狭領域２７４の最下流部まで連続している。また、この通路領域は、１個の遊技球は通過可能だが、複数の遊技球が同時に同一箇所を通過することが不可となる通路幅、詳細には遊技球の直径よりも若干大きい通路幅となっている。これにより、通路領域内における球詰まりの発生が抑えられている。また、この通路領域は、通路方向の断面が円形となっており、断面が多角形状である構成に比べ、通過する遊技球との間に生じる隙間が抑えられている。また、この通路領域は、貫通孔１２７ａの部分を入口部分とするとともに下流側鉛直領域２８３の最下流部を出口部分とすると、入口部分の中心軸線と出口部分の中心軸線とが同一直線上とならないようにずれた位置に設定されている。
【０３４７】
上記幅狭領域２７４の下流側には、上記のとおり幅広領域２７５が形成されている。幅広領域２７５は通路壁２７２により区画された範囲内の領域である。幅広領域２７５は、図３５（ｄ）に示すように、断面が長方形状をなしており、各辺の長さ寸法Ｘ１，Ｘ２は幅狭領域２７４の通路孔の直径Ｒ２よりも大きく、さらにはいずれの辺方向にも複数の遊技球が並ぶことが可能なように設定されている。なお、幅広領域２７５は、長方形状であることに限定されることはなく、正方形状であってもよく、四角形状以外の多角形状であってもよく、円形状であってもよい。
【０３４８】
幅広領域２７５は、既に説明したように、遊技球分配部１２８と連続している。これにより、幅狭領域２７４から幅広領域２７５へと導入された遊技球は、さらに遊技球分配部１２８へ導入されることとなる。この場合に、幅狭領域２７４の最下流部（出口部分）の位置は、幅広領域２７５を挟んで、遊技球分配部１２８における上皿８１へと続く内側開口部１２８ａの鉛直上方の位置となっている。これにより、払出装置１１４から払い出された遊技球は基本的に上皿８１に排出されることとなる。また、幅広領域２７５は、少なくとも遊技球分配部１２８において各開口部１２８ａ，１２８ｂが並設された方向に複数の遊技球が並ぶことが可能な大きさに形成されていることにより、上皿８１が満タン状態となった場合における外側開口部１２８ｂ、すなわち下皿８２への遊技球の導出が球詰まりを生じさせることなく行われることとなる。
【０３４９】
幅広領域２７５は、払出球検知センサ１２６の貫通孔１２７ａを基準として横方向にずらした位置に形成されている。換言すれば、幅広領域２７５は、払出球検知センサ１２６の貫通孔１２７ａを通路方向下流側に延長させた範囲から外れた位置となるように形成されている。
【０３５０】
詳細には、幅広領域２７５における払出球検知センサ１２６の貫通孔１２７ａ側の端部と払出球検知センサ１２６の貫通孔１２７ａにおける幅広領域２７５側の端部とが横方向に所定の距離Ｌ３だけ離れるように、幅広領域２７５が形成されている。これにより、払出球検知センサ１２６の貫通孔１２７ａを通路方向下流側に延長させた範囲に、幅広領域２７５はその全体が重なっていない。換言すれば、払出球検知センサ１２６の貫通孔１２７ａの通路方向下流側への投影範囲内に幅広領域２７５はその全体が含まれていない。
【０３５１】
次に、上記のように連通用通路２７３が形成されたことによる不正の抑制効果について説明する。なお、以下の説明では、従来のパチンコ機と比較しながら、本パチンコ機１０における上記不正の抑制効果について説明する。図３６（ａ）は従来のパチンコ機における払出装置２９１の下流側部分の構成を示す縦断面図、図３６（ｂ）は本パチンコ機１０における払出装置１１４の下流側部分の構成を示す縦断面図である。
【０３５２】
従来のパチンコ機においては、回転体の払出動作が行われる際に又は行われている状況で、払出球検知センサ２９２にて遊技球の検知を正常に行えないようにすることで、実際に払い出すべき遊技球よりも多くの遊技球の払い出しを行わせる不正行為が想定される。
【０３５３】
当該不正行為について具体的には、図３６（ａ）に示すように、下皿側などから払出球検知センサ２９２の下流側に不正具２９３が配置される。不正具２９３には、遊技球が通過可能な通過部としての貫通孔２９４が形成されており、さらにその周囲に沿うようにしてコイルが内蔵されているとともに、当該コイルへ電流を供給するための回路が内蔵されている。この場合、不正具２９３は、その貫通孔２９４の中心軸線が払出球検知センサ２９２の貫通孔２９２ａの中心軸線と同一直線上に位置するようにし、さらに貫通孔２９４が払出球検知センサ２９２の貫通孔２９２ａから通じる通路領域と連通されるように配置される。
【０３５４】
この状態で、不正具２９３のコイルに電流を流し磁束を生じさせることで、当該磁束が払出球検知センサ２９２において貫通孔２９２ａに沿って設けられたコイル内を軸線方向に貫くこととなる。この場合、例えば、貫通孔２９２ａを遊技球が通過途中であることに対応した磁束を不正具２９３から生じさせることにより、貫通孔２９２ａを遊技球が通過し終えているにも関わらず貫通孔２９２ａの通過途中であると払出球検知センサ２９２に誤検知させることが可能となる。また、例えば、貫通孔２９２ａに遊技球が入り込んでいないことに対応した磁束を不正具２９３から生じさせることにより、貫通孔２９２ａを遊技球が通過しているにも関わらず貫通孔２９２ａを遊技球が通っていないと払出球検知センサ２９２が誤検知することとなる。
【０３５５】
払出側ＭＰＵは払出球検知センサ２９２にて遊技球の検知を開始したタイミングの検知信号の変化を確認することに基づいて、１個の遊技球が払い出されたと特定する構成であるため、払出球検知センサ２９２の検知状態が不正具２９３により上記のように設定されてしまうと、実際に貫通孔２９２ａを多数の遊技球が通過しているにも関わらず払出側ＭＰＵではそれら多数の遊技球の通過を把握することができず、回転体の払出動作が継続されることが懸念され、継続されるとすると、この状態はリトライ動作やその後の払出装置異常状態が実行されるまで継続されることが懸念される。この場合、リトライ動作などが実行されるまでの期間が長く設定されている構成においては、それまでに多数の遊技球が払い出されてしまう。
【０３５６】
さらには、不正具２９３として、払出球検知センサ２９２にて遊技球の検知を正確に行えないようにする動作状態と検知を正確に行えるようにする非動作状態とに切換設定可能なものが用いられることが想定される。この場合、上記リトライ動作などが実行される前のタイミングで不正具２９３を動作状態から非動作状態に切り換えることで、リトライ動作などが実行されない。そうすると、不正具２９３が動作状態から非動作状態に切り換えられたタイミングで払出側ＭＰＵでは１個の遊技球の払い出しを特定することが可能であるが、リトライ動作などが実行される直前まで払出球検知センサ２９２にて遊技球の検知を正常に行えない状態とする行為が実際の遊技球の払出個数分繰り返し行われることとなってしまう。
【０３５７】
これに対して、図３６（ｂ）に示すように、本パチンコ機１０では、払出装置１１４の下流側の連通用通路２７３において上述した幅狭領域２７４が形成されていることにより、遊技球が通過可能な貫通孔２９４を有する不正具２９３を払出球検知センサ１２６の貫通孔１２７ａから続く通路領域に連通させながら配置しようとしても、幅狭領域２７４の出口部分によってそれよりも上流側への配置が実質的に不可となる。この場合、既に説明したとおり、払出球検知センサ１２６の貫通孔１２７ａの中心軸線と幅狭領域２７４の出口部分の中心軸線とが同一直線上となっていないため、払出球検知センサ１２６のコイルの中心軸線と不正具２９３のコイルの中心軸線とが同一直線上に配置されることはなく、不正具２９３から磁束を生じさせたとしても、それが払出球検知センサ１２６のコイル内を貫通しづらくなる。特に、払出球検知センサ１２６の貫通孔１２７ａの軸線方向下流側（鉛直方向）への投影範囲内に幅狭領域２７４の出口部分はその全体が含まれていないため、不正具２９３からの磁束が、払出球検知センサ１２６のコイル内をより貫通しづらくなる。
【０３５８】
さらにまた、図３６（ｂ）に示すように、本パチンコ機１０では、幅広領域２７５は、払出球検知センサ１２６の貫通孔１２７ａに対して当該貫通孔１２７ａの軸線方向に並ばないように形成されているため、幅広領域２７５内において、払出球検知センサ１２６のコイルの中心軸線と不正具２９３のコイルの中心軸線とが同一直線上となるように当該不正具２９３を配置しようとしてもそれが不可となり、幅広領域２７５に不正具２９３を配置してそこから磁束を生じさせたとしても、それが払出球検知センサ１２６のコイル内を貫通しづらくなる。特に、払出球検知センサ１２６の貫通孔１２７ａの軸線方向下流側への投影範囲内に幅広領域２７５はその全体が含まれていないため、不正具２９３からの磁束が、払出球検知センサ１２６のコイル内をより貫通しづらくなる。
【０３５９】
以上より、上皿８１又は下皿８２から不正具２９３をパチンコ機１０内部に挿入し、その挿入した不正具２９３を用いて払出球検知センサ１２６に誤検知させて遊技球を不正に得ようとしてもそれを阻止することが可能となる。
【０３６０】
また、図３６（ｂ）に示すように、幅狭領域２７４における傾斜領域２８２の通路底部２８４に対してはその外壁面側に磁気シールド板としての機能を果たす金属板２８６が固定されている。したがって、上皿８１又は下皿８２からではなくパチンコ機１０の背面側から払出球検知センサ１２６の軸線方向下流側側に不正具２９３を配置して当該不正具２９３から磁束を生じさせたとしても、当該磁束は金属板２８６によって遮られ、当該磁束が払出球検知センサ１２６のコイル内を貫通することが阻止される。
【０３６１】
＜第２の実施の形態＞
本実施の形態では、連通用通路の幅狭領域の構成が上記第１の実施の形態と異なっている。本実施の形態における連通用通路３０１の構成について図３７を用いて説明する。図３７は本実施の形態における払出装置１１４の下流側部分の構成を示す縦断面図である。
【０３６２】
図３７に示すように、連通用通路３０１は、上記第１の実施の形態における連通用通路２７３と同様に、基本的に鉛直方向に延びており、払出装置１１４の払出通路１２２から続く上流側の方が、遊技球分配部１２８へと続く下流側よりも通路幅が狭くなるように形成されている。つまり、連通用通路３０１は、払出装置１１４の払出通路１２２から連続し相対的に通路幅が狭くなった幅狭領域３０２と、当該幅狭領域３０２及び遊技球分配部１２８に連続し相対的に通路幅が広くなった幅広領域３０３と、を備えている。
【０３６３】
また、幅狭領域３０２は、その出口部分（最下流部分）における中心軸線が払出球検知センサ１２６の貫通孔１２７ａの中心軸線と同一直線上に配置されないように形成されている。詳細には、払出球検知センサ１２６の貫通孔１２７ａを通路方向下流側に延長させた範囲に、幅狭領域３０２の出口部分はその全体が重なっていない。換言すれば、払出球検知センサ１２６の貫通孔１２７ａの軸線方向下流側への投影範囲内に幅狭領域３０２の出口部分はその全体が含まれていない。また、幅広領域３０３は、払出球検知センサ１２６の貫通孔１２７ａを基準として横方向にずらした位置に形成されている。詳細には、払出球検知センサ１２６の貫通孔１２７ａを通路方向下流側に延長させた範囲に、幅広領域３０３はその全体が重なっていない。換言すれば、払出球検知センサ１２６の貫通孔１２７ａの軸線方向下流側への投影範囲内に幅広領域３０３はその全体が含まれていない。
【０３６４】
上記第１の実施の形態における幅狭領域２７４の通路孔の直径は、払出球検知センサ１２６の貫通孔１２７ａの直径及び下流側払出領域１２２ａの直径と同一となるように設定されていたが、本実施の形態における幅狭領域３０２の通路孔の直径は、払出球検知センサ１２６の貫通孔１２７ａの直径及び下流側払出領域１２２ａの直径よりも大きく設定されている。
【０３６５】
但し、幅狭領域３０２の出口部分には、それよりも上流側の内周面よりも中央側に突出した環状の縮径部３０４が一体形成されている。この場合、縮径部３０４は、上流側から下流側に向けて除々に縮径されるようにテーパ状に形成されている。当該縮径部３０４が形成されていることにより、幅狭領域３０２の通路孔の直径は出口部分において縮径されている。なお、縮径部３０４が一体形成されている構成に限定されることはなく、別体で設けられた構成としてもよい。
【０３６６】
この出口部分における直径Ｒ３は、１個の遊技球は通過可能だが、複数の遊技球が同時に通過することが不可となる寸法、詳細には遊技球の直径よりも若干大きく設定されている。また、この出口部分における直径Ｒ３は、払出球検知センサ１２６の貫通孔１２７ａの直径Ｒ１と同一となっている。
【０３６７】
具体的には、遊技球の直径が約１１ｍｍであるのに対して、幅狭領域２７４の直径Ｒ３は、約１２ｍｍとなっている。但し、これに限定されることはなく、球詰まりを生じさせないようにさせつつ通路幅を狭くするという観点から、約１１．１ｍｍ〜約２０．０ｍｍの範囲のいずれかとしてもよく、好ましくは約１２ｍｍ〜約１５ｍｍの範囲のいずれかである。また、幅狭領域２７４の断面は円形状に限定されることはなく多角形状であってもよく、この場合、当該断面が遊技球において中心を通る断面の全体を含む大きさであればよい。また、球詰まりを生じさせないようにさせつつ通路幅を狭くするという観点から、上記断面の大きさが遊技球の断面よりも約５％〜約８０％の範囲のいずれかの割合で大きい構成としてもよく、好ましくは約１０％〜約３０％の範囲のいずれかの割合で大きい構成としてもよい。
【０３６８】
上記のように幅狭領域３０２が形成されていることにより、上記第１の実施の形態と同様に、遊技球が通過可能な貫通孔を有する不正具を払出球検知センサ１２６の貫通孔１２７ａから続く通路領域に連通させながら配置しようとしても、幅狭領域３０２の出口部分によってそれよりも上流側への配置が実質的に不可となる。この場合、既に説明したとおり、払出球検知センサ１２６の貫通孔１２７ａの中心軸線と幅狭領域３０２の出口部分の中心軸線とが同一直線上となっていないため、払出球検知センサ１２６のコイルの中心軸線と不正具のコイルの中心軸線とが同一直線上に配置されることはなく、不正具から磁束を生じさせたとしても、それが払出球検知センサ１２６のコイル内を貫通しづらくなる。特に、払出球検知センサ１２６の貫通孔１２７ａの軸線方向下流側（鉛直方向）への投影範囲内に幅狭領域３０２の出口部分はその全体が含まれていないため、不正具からの磁束が、払出球検知センサ１２６のコイル内をより貫通しづらくなる。さらにまた、幅広領域３０３は、上記第１の実施の形態における幅広領域２７５と同様の構成を有している。したがって、上皿８１又は下皿８２から不正具をパチンコ機１０内部に挿入し、その挿入した不正具を用いて払出球検知センサ１２６に誤検知させて遊技球を不正に得ようとしてもそれを阻止することが可能となる。
【０３６９】
＜第３の実施の形態＞
本実施の形態では、幅狭領域３０２の出口部分における構成が、上記第２の実施の形態における出口部分の構成と異なっている。かかる出口部分の構成について図３８を用いて説明する。図３８は本実施の形態における払出装置１１４の下流側部分の構成を示す縦断面図である。なお、以下の説明では、上記第２の実施の形態との相違点について説明し、同一の構成については説明を省略する。
【０３７０】
図３８に示すように、幅狭領域３０２の出口部分には、上記第２の実施の形態における縮径部３０４の代わりに、板バネ部３１１が設けられている。当該板バネ部３１１は、自然状態において、上流側から下流側に向けて傾斜した状態で、通路壁側から通路の軸線側に突出している。この場合、当該板バネ部３１１が突出した箇所においては、通路幅Ｒ４が遊技球の直径よりも小さくなっている。但し、板バネ部３１１は、幅狭領域３０２を流下してきた遊技球の重さによって下流側へ撓み可能に形成されており、幅狭領域３０２の出口部分の通過を阻止しないように形成されている。なお、遊技球の通過に際して下流側へ撓んだ板バネ部３１１は、遊技球の通過後に自身の弾性力によって自然状態に復帰する。
【０３７１】
一方、板バネ部３１１は、上記のとおり上流側から下流側に向けて傾斜しており、下流側から上流側への変形がしづらくなっている。したがって、遊技球が通過可能な貫通孔を有する不正具を幅狭領域３０２の出口部分からそれよりも上流側に向けて挿入しようとしても、それが実質的に不可となる。よって、上皿８１又は下皿８２から不正具をパチンコ機１０内部に挿入し、その挿入した不正具を用いて払出球検知センサ１２６に誤検知させて遊技球を不正に得ようとしてもそれを阻止することが可能となる。
【０３７２】
＜第４の実施の形態＞
本実施の形態では、幅狭領域３０２の出口部分における構成が、上記第２の実施の形態における出口部分の構成と異なっている。かかる出口部分の構成について図３９を用いて説明する。図３９は本実施の形態における払出装置１１４の下流側部分の構成を示す縦断面図である。なお、以下の説明では、上記第２の実施の形態との相違点について説明し、同一の構成については説明を省略する。
【０３７３】
図３９に示すように、幅狭領域３０２の出口部分には、上記第２の実施の形態における縮径部３０４の代わりに、羽根車３２１が設けられている。当該羽根車３２１は、回転軸３２２と、当該回転軸３２２から放射方向に延びる羽根３２３が回転軸３２２の回動方向に等間隔で複数（具体的には、４枚）設けられている。
【０３７４】
羽根車３２１は、回転軸３２２が通路幅方向に延びるようにして設置されている。この場合、回転軸３２２の延びる方向に対して直交する方向において当該回転軸３２２を挟んで対向する通路壁のうち、一方の通路壁３２４側に回転軸３２２は偏倚されており、他方の通路壁３２５との間には距離Ｒ５分の間隔が確保されている。当該距離Ｒ５分の間隔は、１個の遊技球は通過可能だが、複数の遊技球が同時に通過することが不可となる寸法、詳細には遊技球の直径よりも若干大きく設定されている。
【０３７５】
羽根車３２１の羽根３２３は、当該羽根車３２１の回転に伴って上記間隔が確保された空間を通過することとなる。また、羽根車３２１は、上記間隔が確保された空間を通る遊技球が羽根３２３に上流側から当たることにより、遊技球導出方向（具体的には、反時計周り）に回転する。これにより、幅狭領域３０２の出口部分に羽根車３２１を設けた構成において当該出口部分の遊技球の通過が可能となっている。
【０３７６】
一方、羽根車３２１は、遊技球導出方向とは反対方向（具体的には、時計周り）に回転することが不可となるように逆回転規制構造が設けられている（図示略）。当該逆回転規制構造として具体的には、回転軸３２２に対してラチェット構造が付与されている。また、羽根車３２１の回転位置が、上記間隔が確保された空間に一の羽根３２３が所定量以上入り込む位置となっている場合に、当該一の羽根３２３の先端と通路壁３２５との間隔は遊技球の直径よりも小さくなる。したがって、遊技球が通過可能な貫通孔を有する不正具を幅狭領域３０２の出口部分からそれよりも上流側に向けて挿入しようとしても、それが実質的に不可となる。よって、上皿８１又は下皿８２から不正具をパチンコ機１０内部に挿入し、その挿入した不正具を用いて払出球検知センサ１２６に誤検知させて遊技球を不正に得ようとしてもそれを阻止することが可能となる。
【０３７７】
＜第５の実施の形態＞
本実施の形態では、連通用通路の幅狭領域３０２の構成が上記第１の実施の形態と異なっている。本実施の形態における連通用通路３３１の構成について図４０を用いて説明する。図４０は本実施の形態における払出装置１１４の下流側部分の構成を示す縦断面図である。
【０３７８】
図４０に示すように、連通用通路３３１は、上記第１の実施の形態における連通用通路２７３と同様に、基本的に鉛直方向に延びており、払出装置１１４の払出通路１２２から続く上流側の方が、遊技球分配部１２８へと続く下流側よりも通路幅が狭くなるように形成されている。つまり、連通用通路３３１は、払出装置１１４の払出通路１２２から連続し、相対的に通路幅が狭くなった幅狭領域３３２と、当該幅狭領域３３２及び遊技球分配部１２８に連続し、相対的に通路幅が広くなった幅広領域３３３と、を備えている。また、幅狭領域３３２の通路孔の直径は、上記第１の実施の形態における幅狭領域２７４と同様に、払出球検知センサ１２６の貫通孔１２７ａの直径及び下流側払出領域１２２ａの直径と同一となるように設定されている。
【０３７９】
但し、本実施の形態における幅狭領域３３２は、上記第１の実施の形態における幅狭領域２７４と異なり、出口部分（最下流部分）における中心軸線が払出球検知センサ１２６の貫通孔１２７ａの中心軸線と同一直線上に配置されるように形成されている。この場合であっても、幅狭領域３３２にはその途中位置にＵ字状の迂回領域３３４が形成されており、当該迂回領域３３４における最大迂回部分の中心軸線は払出球検知センサ１２６の貫通孔１２７ａの中心軸線と同一直線上に配置されていない。詳細には、払出球検知センサ１２６の貫通孔１２７ａの軸線方向下流側への投影範囲内に上記最大迂回部分はその全体が含まれていない。さらにまた、幅狭領域３３２の通路孔の直径はその全体に亘って同一（又は略同一）となっており、上記のとおり、その直径は払出球検知センサ１２６の貫通孔１２７ａの直径及び下流側払出領域１２２ａの直径と同一となっている。
【０３８０】
上記のように幅狭領域３３２が形成されていることにより、遊技球が通過可能な貫通孔を有する不正具を払出球検知センサ１２６の直下流側に配置しようとしても、少なくとも上記最大迂回部分よりも上流側に不正具を配置することができない。また、幅広領域３３３において幅狭領域３３２の出口部分の直下流側に重ねるようにして不正具を配置したとしても、払出球検知センサ１２６に対して少なくとも幅狭領域３３２の高さ寸法離間されているため、不正具から生じさせた磁束が払出球検知センサ１２６のコイル内を貫通しづらくなる。これにより、上皿８１又は下皿８２から不正具をパチンコ機１０内部に挿入し、その挿入した不正具を用いて払出球検知センサ１２６に誤検知させて遊技球を不正に得ようとしてもそれを阻止することが可能となる。
【０３８１】
なお、図４０の二点鎖線で示すように、通路形成ユニット３３５において幅狭領域３３２が形成された部位の通路外領域であって迂回領域３３４によって挟まれた領域に磁気シールド板３３６を配置してもよい。この場合、磁気シールド板３３６を払出球検知センサ１２６の貫通孔１２７ａの軸線方向下流側への投影範囲の全体を含むように磁気シールド板３３６を配置するとよい。これにより、幅広領域３３３において幅狭領域３３２の出口部分の直下流側に重ねるようにして不正具を配置し、当該不正具から磁束を生じさせたとしても、それが払出球検知センサ１２６のコイル内を貫通しづらくなる。また、磁気シールド板３３６を、迂回領域３３４において最大迂回部分へと通じる上流側傾斜領域３３７の通路底部に対して通路外側から重ね合わせることにより、当該通路底部の補強効果をも奏することができる。
【０３８２】
＜第６の実施の形態＞
本実施の形態では、連通用通路の構成が上記第１の実施の形態と異なっている。かかる連通用通路の構成について以下に説明する。なお、以下の説明では、上記第１の実施の形態との相違点について説明し、同一の構成については説明を省略する。
【０３８３】
図４１は、本実施の形態における裏パックユニット１５の一部を分解して示す斜視図である。なお、図４１では、制御装置集合ユニットを省略している。図４１に示すように、裏パックユニット１５の裏パック１０１には、払出装置１１４と遊技球分配部１２８とを連通させる連通用通路３４１が形成された通路形成ユニット３４０が設けられている。なお、通路形成ユニット３４０の表面には裏パック基板１３１が搭載されている。
【０３８４】
図４２は、通路形成ユニット３４０の構成を示す分解斜視図である。図４２に示すように、通路形成ユニット３４０は、表裏一対のケース部材３４２ａ，３４２ｂが組み合わされてなるハウジング３４３を備えているとともにケース部材３４２ａ，３４２ｂとは別体で設けられた通路形成部品３４４を備えている。なお、ケース部材３４２ａ，３４２ｂ及び通路形成部品３４４は合成樹脂材料により形成されており、さらには透明に形成されているが、これに限定されることはなく例えば有色透明や不透明に形成されていてもよい。
【０３８５】
各ケース部材３４２ａ，３４２ｂにおいて相互に対向する面には対向相手側に向けて起立した通路壁３４５が形成されており、さらに通路壁３４５に対して通路形成部品３４４が一体化された状態にて各ケース部材３４２ａ，３４２ｂが組み合わされていることによりハウジング３４３内に連通用通路３４１が形成されている。以下、連通用通路３４１の詳細について説明する。なお、以下の説明において、連通用通路３４１や当該連通用通路３４１の一部の領域は、通路壁により区画形成された内部空間のことをいう。
【０３８６】
図４３（ａ）は連通用通路３４１及びその周辺の構成を説明するための説明図、図４３（ｂ）は払出装置１１４に設けられた払出球検知センサ３５３の構成を示す平面図、図４３（ｃ）は図４３（ａ）においてＡ―Ａ線にて示す部分の横断面図、図４３（ｄ）は図４３（ａ）においてＢ―Ｂ線にて示す部分の横断面図、図４３（ｅ）は図４３（ａ）においてＣ―Ｃ線にて示す部分の横断面図、図４３（ｆ）は図４３（ａ）においてＤ―Ｄ線にて示す部分の横断面図である。また、図４４は図４３（ａ）においてＥ―Ｅ線にて示す部分の縦断面図である。
【０３８７】
なお、図４３（ａ）では払出装置１１４及び遊技球分配部１２８については縦断面を示すとともに通路形成ユニット３４０については表側のケース部材３４２ａを外した状態を示す。この場合、理解を容易なものとするために裏側のケース部材３４２ｂの端面をドット模様で示すとともに通路形成部品３４４については縦断面を示す。また、図４３では図４３（ｂ）〜図４３（ｆ）のそれぞれの該当箇所についての左右方向の相対位置を示している。
【０３８８】
連通用通路３４１の説明に先立ち、払出装置１１４について説明する。払出装置１１４は払出通路３５１を備えているとともに、回転体３５２よりも下流側の位置にて払出通路３５１を通過する遊技球を検知する払出球検知センサ３５３を備えている。払出球検知センサ３５３は、磁気検知タイプの近接センサにて構成されており、遊技球の通過を検知するための検知部を備えている。
【０３８９】
検知部には、図４３（ａ）に示すように、払出球検知センサ３５３の厚み方向に貫通した貫通孔３５４が形成されている。貫通孔３５４は、貫通方向に対して直交する方向の断面が円形状となるように形成されている。また、貫通孔３５４は、その全体に亘って同一方向に延びるように形成されているとともに、その全体に亘って孔の直径が同一又は略同一となっている。当該孔の直径Ｘ１は、遊技球の直径と略同一、より詳細には、遊技球の直径よりも若干大きい程度となっている。
【０３９０】
具体的には、遊技球の直径が約１１ｍｍであるのに対して、貫通孔３５４の直径Ｘ１は、約１２ｍｍとなっている。但し、これに限定されることはなく、貫通孔３５４の直径Ｘ１は、球詰まりを生じさせないようにさせつつ１個の遊技球を正確に検知するという観点から、約１１．１ｍｍ〜約２０．０ｍｍの範囲のいずれかとしてもよく、好ましくは約１２ｍｍ〜約１５ｍｍの範囲のいずれかである。また、貫通孔３５４の断面は円形状に限定されることはなく多角形状であってもよく、この場合、当該断面が遊技球において中心を通る断面の全体を含む大きさであればよい。また、球詰まりを生じさせないようにさせつつ１個の遊技球を正確に検知するという観点から、上記断面の大きさが遊技球の断面よりも約５％〜約８０％の範囲のいずれかの割合で大きい構成としてもよく、好ましくは約１０％〜約３０％の範囲のいずれかの割合で大きい構成としてもよい。
【０３９１】
検知部には、貫通孔３５４の外周側に沿うようにして検出コイル３５３ａが内蔵されており、さらには払出球検知センサ３５３には検出コイルと電気的に接続された発振用コンデンサ、発振回路、検波回路、コンパレータ回路及び出力回路を有するセンサ基板３５３ｂが内蔵されている。これにより、貫通孔３５４内を遊技球が通過している場合には、検出コイルを磁束が貫くこととなってその旨の信号が払出制御装置２２２に出力され、既に説明したように、遊技球が払い出されたことが当該払出制御装置２２２のＭＰＵ２３１にて特定される。
【０３９２】
払出球検知センサ３５３は、払出装置１１４のハウジング３５５に形成されたセンサ設置部３５６に設置されている。当該センサ設置部３５６に払出球検知センサ３５３が設置されていることにより、検知部が、払出通路３５１の途中位置であって回転体３５２が収容された収容部３５７よりも下流側に配置されている。この場合に、払出通路３５１において検知部よりも下流側の下流側払出領域３５８は、鉛直方向（遊技機上下方向）に延びており、通路方向に対して直交する方向の断面が正方形状となっている。そして、下流側払出領域３５８において中心軸線から各辺部への最短距離は、払出球検知センサ３５３の半径と同一又は略同一となっている。
【０３９３】
なお、下流側払出領域３５８の断面は正方形状に限定されることはなく長方形状であってもよく、三角形状や五角形状といった他の多角形状であってもよい。この場合、中心軸線から各辺部への距離のうち最短となる距離を、払出球検知センサ３５３の貫通孔３５４の半径と同一又は略同一としてもよい。さらにまた、下流側払出領域３５８の断面を円形としてもよい。この場合、下流側払出領域３５８の直径を、払出球検知センサ３５３の貫通孔３５４の直径と同一又は略同一としてもよい。また、下流側払出領域３５８の横断面の面積が、貫通孔３５４の横断面の面積よりも若干大きい構成に限定されることはなく、若干小さい構成としてもよいが、球詰まりの発生を抑制する等といった観点からは、下流側の大きさが上流側の大きさ以上であることが好ましい。
【０３９４】
払出球検知センサ３５３は、下流側払出領域３５８の中心軸線に対して貫通孔３５４の中心軸線が同一直線上となるようにしてセンサ設置部３５６に設置されており、貫通孔３５４と下流側払出領域３５８とが連通している。また、両者によって形成される通路領域は全体に亘って通路方向が同一（具体的には、鉛直方向）となっている。これにより、回転体３５２により下流側へ導出された遊技球が円滑に流れることとなり、払出球検知センサ３５３における遊技球の検知を良好に行うことができる。
【０３９５】
次に、連通用通路３４１について説明する。
【０３９６】
連通用通路３４１は、下流側払出領域３５８に対してその下流側にて連通している。また、連通用通路３４１は、下流側払出領域３５８から続く上流側の方が、遊技球分配部１２８へと続く下流側よりも通路の断面積（すなわち、横断面の面積又は通路方向に対して直交する方向の断面積）が狭くなるように形成されている。つまり、連通用通路３４１は、払出装置１１４の払出通路３５１から連続し相対的に通路の断面積が狭くなった幅狭領域３６１と、当該幅狭領域３６１及び遊技球分配部１２８に連続し相対的に通路の断面積が広くなった幅広領域３６２と、を備えている。
【０３９７】
幅狭領域３６１は、図４３（ａ）及び図４４に示すように、下流側に向けた途中位置にて遊技球の流下方向が複数段階で変更されるように形成されている。具体的には、幅狭領域３６１はその最上流部を構成するとともに払出通路３５１に連続し、さらには軸線方向が上下方向、詳細には鉛直方向となった第１領域３６３を備えている。この場合、第１領域３６３は、払出球検知センサ３５３の貫通孔３５４の真下に配置されており、さらに第１領域３６３と貫通孔３５４とは同一軸線上となるように配置されている。
【０３９８】
第１領域３６３の下流側には、軸線方向が第１領域３６３とは異なる方向となるように下り傾斜させて形成された第２領域３６４を備えている。当該第２領域３６４の傾斜方向について詳細には、最上流部から途中位置までは、図４４に示すように、下流側に向けてパチンコ機１０後方からパチンコ機１０前方へと向かうようにパチンコ機１０の前後方向に傾斜している。また、当該途中位置から最下流部までは、図４３（ａ）に示すように、下流側に向けてパチンコ機１０外側からパチンコ機１０内側へと向かうようにパチンコ機１０の横方向に傾斜している。
【０３９９】
第２領域３６４の下流側には、軸線方向が第２領域３６４の下流側とは異なる方向となるように形成された第３領域３６５を備えている。第３領域３６５は、その軸線方向が第１領域３６３と同一となるように、すなわち軸線方向が上下方向、詳細には鉛直方向となるように形成されている。
【０４００】
第１〜第３領域３６３〜３６５は、幅狭領域３６１の下流側に向けて通路の断面形状（すなわち、横断面の形状又は通路方向に対して直交する方向の断面の形状）及び通路の断面積（すなわち、横断面の面積又は通路方向に対して直交する方向の断面積）が複数段階で変化するように形成されている。
【０４０１】
具体的には、第１領域３６３は、通路の断面形状が正方形状となっており、さらに下流側に向けて連続的に通路の断面積が狭くなるように形成されている。この場合に、最上流部において対向する各辺部間の距離Ｘ２は、下流側払出領域３５８の通路幅よりも大きく設定されているとともに、払出球検知センサ３５３の貫通孔３５４の直径Ｘ１よりも大きく設定されている。したがって、かかる領域の通路の断面積は、下流側払出領域３５８の断面積及び貫通孔３５４の断面積よりも広くなっている。下流側に向けた断面積の縮小は、周囲を規定する各面が全て下流側に向けて中央寄りとなるようにテーパ状に形成されていることにより実現されている。この点、当該第１領域３６３を断面遷移領域と称することもできる。
【０４０２】
第２領域３６４は、通路の断面形状が正方形状となっており、さらに通路の断面積が第１領域３６３の最下流部から連続しさらに通路方向の全体に亘って一定又は略一定となっている。対向する各辺部間の距離Ｘ３は、遊技球の直径と略同一、より詳細には、遊技球の直径よりも若干大きい程度となっている。具体的には、遊技球の直径が約１１ｍｍであるのに対して、距離Ｘ３は、約１２ｍｍとなっている。但し、通路の断面は正方形状に限定されることはなく、長方形状であってもよく、三角形状や五角形状といった他の多角形状であってもよい。この場合、当該断面が遊技球において中心を通る断面の全体を含む大きさであればよい。また、球詰まりを生じさせないようにさせつつ断面積をある程度狭くするという観点から、上記断面の大きさが遊技球の断面よりも約５％〜約８０％の範囲のいずれかの割合で大きい構成としてもよく、好ましくは約１０％〜約３０％の範囲のいずれかの割合で大きい構成としてもよい。この点、当該第２領域３６４を中間傾斜領域と称することもできる。
【０４０３】
第３領域３６５は、通路の断面形状が円形状となっている。また、通路方向の全体に亘って孔の直径が同一又は略同一となっており、当該孔の直径Ｘ４は、遊技球の直径と略同一、より詳細には、遊技球の直径よりも若干大きい程度となっている。
【０４０４】
具体的には、遊技球の直径が約１１ｍｍであるのに対して、直径Ｘ４は、約１２ｍｍとなっている。但し、これに限定されることはなく、直径Ｘ４は、球詰まりを生じさせないようにさせつつ断面積をある程度狭くするという観点から、約１１．１ｍｍ〜約２０．０ｍｍの範囲のいずれかとしてもよく、好ましくは約１２ｍｍ〜約１５ｍｍの範囲のいずれかである。また、通路の断面形状は円形状に限定されることはなく楕円形状であってもよい。この場合、当該断面が遊技球において中心を通る断面の全体を含む大きさであればよい。また、球詰まりを生じさせないようにさせつつ断面積をある程度狭くするという観点から、上記断面の大きさが遊技球の断面よりも約５％〜約８０％の範囲のいずれかの割合で大きい構成としてもよく、好ましくは約１０％〜約３０％の範囲のいずれかの割合で大きい構成としてもよい。この点、当該第３領域３６５を断面縮小領域と称することもできる。
【０４０５】
第３領域３６５の直径Ｘ４は、第２領域３６４の距離Ｘ３と同一となっている。この場合に、第３領域３６５の断面形状が円形状であるのに対して、第２領域３６４の断面形状が四角形状となっていることにより、第３領域３６５の方が第２領域３６４よりも通路の断面積が狭くなっている。つまり、幅狭領域３６１は、上記のように第１領域３６３、第２領域３６４及び第３領域３６５が形成されていることにより、最上流部において通路の断面が最大となっており、最下流部において通路の断面が最小となっている。また、連通用通路３４１全体で見た場合、既に説明したとおり幅狭領域３６１の下流側には当該幅狭領域３６１よりも幅広に形成された幅広領域３６２が形成されているため、下流側に向けて複数段階で通路の断面積が縮小された後に通路の断面積が拡張されることとなる。換言すれば、通路の中間領域を基準として、当該中間領域よりも上流側の領域の断面積が広く設定されているとともに、当該中間領域よりも下流側の領域の断面積が広く設定されている。
【０４０６】
第１領域３６３、第２領域３６４及び幅広領域３６２はケース部材３４２ａ，３４２ｂの通路壁３４５により区画形成されているのに対して、第３領域３６５は通路形成部品３４４により区画形成されている。通路形成部品３４４について説明する。
【０４０７】
図４２に示すように、通路形成部品３４４は筒状に形成されており、筒孔３７１を形成する胴部３７２において軸線方向の一端には放射方向へ張り出したフランジ部３７３が一体形成されている。ケース部材３４２ａ，３４２ｂには通路形成部品３４４を収容する収容領域３７４が形成されており、通路形成部品３４４はフランジ部３７３が形成された側の端部が上流側となり、その反対側の端部が下流側となるようにして、収容領域３７４に収容されている。この場合、収容領域３７４にはフランジ部３７３に対応させて一連の溝部３７５が形成されており、フランジ部３７３は当該溝部３７５内に入り込んでいる。これにより、ケース部材３４２ａ，３４２ｂからの通路形成部品３４４の抜けが防止されている。
【０４０８】
なお、フランジ部３７３及び溝部３７５のうち一方にキーが形成されているとともに他方にキー溝が形成されていることにより、キー溝に対してキーが入り込むように通路形成部品３４４を配置することにより、通路形成部品３４４の軸線周り方向の位置決めが自ずとなされる。
【０４０９】
上記構成の幅狭領域３６１の下流側には、上記のとおり幅広領域３６２が形成されている。幅広領域３６２は通路壁３４５ａにより区画された範囲内の領域である。幅広領域３６２には、図４３（ａ）に示すように、通路方向の途中位置から出口側端部に亘って仕切部３８１が形成されていることにより、通路方向の途中位置において２つの通路領域に分岐されている。つまり、幅広領域３６２は、幅狭領域３６１から続く上流領域３８２と、当該上流領域３８２に連続し仕切部３８１により区画された第１分岐通路領域３８３及び第２分岐通路領域３８４と、を備えている。
【０４１０】
上流領域３８２は、断面形状が長方形状となっており、全ての辺方向において複数の遊技球が並ぶことが可能なように形成されている。なお、上流領域３８２は、長方形状であることに限定されることはなく、正方形状であってもよく、四角形状以外の多角形状であってもよい。
【０４１１】
第１分岐通路領域３８３及び第２分岐通路領域３８４は、遊技球分配部１２８において仕切部３８５によって区画された第１区画領域３８６と第２区画領域３８７とのそれぞれに連通されている。ここで、第１区画領域３８６は上皿８１に通じており、第１分岐通路領域３８３は当該第１区画領域３８６に連通されている。また、第２区画領域３８７は下皿８２に通じており、第２分岐通路領域３８４は当該第２区画領域３８７に連通されている。
【０４１２】
ちなみに、第１分岐通路領域３８３及び第２分岐通路領域３８４は共に断面形状が四角形状となっている。また、第１分岐通路領域３８３の断面の面積は遊技球１個が通過可能であって複数の遊技球が同一箇所を同時に通過不可となるように設定されており、第２分岐通路領域３８４は第１分岐通路領域３８３よりも断面の面積が広く設定されている。
【０４１３】
第１分岐通路領域３８３の入口部分及び第２分岐通路領域３８４の入口部分は共に、上方に向けて開放されているが、これら各入口部分のうち第１分岐通路領域３８３の入口部分の上方に幅狭領域３６１の出口部分が配置されている。換言すれば、第１分岐通路領域３８３の入口部分の上方への投影範囲内に幅狭領域３６１の出口部分が含まれている。これにより、幅狭領域３６１から幅広領域３６２に排出された遊技球は基本的に第１分岐通路領域３８３に供給され、第１分岐通路領域３８３に供給された遊技球は最終的に上皿８１に排出される。
【０４１４】
一方、上皿８１が満タン状態となり幅広領域３６２の仕切部３８１の上端位置まで遊技球が連なった状態においては、幅狭領域３６１から排出された遊技球は第１分岐通路領域３８３側において最上端の位置にて待機している遊技球に当り、第２分岐通路領域３８４側へ流れることとなる。これにより、上皿８１が満タン状態である状況で払い出された遊技球は下皿８２へ排出されることとなる。
【０４１５】
次に、払出球検知センサ３５３の貫通孔３５４に対する幅狭領域３６１の出口部分及び幅広領域３６２の位置関係について説明する。
【０４１６】
既に説明したとおり、幅狭領域３６１の入口部分は払出球検知センサ３５３の貫通孔３５４の真下に配置されており、さらに第１領域３６３と貫通孔３５４とは同一軸線上となるように配置されている。また、幅狭領域３６１において入口部分を構成する第１領域３６３と幅狭領域３６１において出口部分を構成する第３領域３６５との間には、上記のように第２領域３６４が介在している。
【０４１７】
図４４に示すように、第２領域３６４において第１の傾斜方向（具体的にはパチンコ機１０の前後方向）に傾斜した範囲の通路長は、払出球検知センサ３５３の貫通孔３５４を当該貫通孔３５４の通路方向に沿って下流側へ延長させた範囲に対して距離Ｘ５分、幅狭領域３６１の出口部分が外れた位置となるように設定されている。これにより、払出球検知センサ３５３の貫通孔３５４を当該貫通孔３５４の通路方向に沿って下流側へ延長させた範囲内に幅狭領域３６１の出口部分が含まれていない。換言すれば、払出球検知センサ３５３の貫通孔３５４を当該貫通孔３５４の通路方向に沿って下流側へ投影させた範囲内に幅狭領域３６１の出口部分が含まれていない。さらに換言すれば、払出球検知センサ３５３の貫通孔３５４を下方へ投影させた範囲内に幅狭領域３６１の出口部分が含まれていない。
【０４１８】
幅広領域３６２において上流領域３８２の断面積は既に説明したとおり幅狭領域３６１の出口部分の断面積よりも広く設定されているが、上流領域３８２を区画形成する一の壁部、具体的にはパチンコ機１０後側の壁部に偏倚させた位置に配置されており、払出球検知センサ３５３の貫通孔３５４を当該貫通孔３５４の通路方向に沿って下流側へ延長させた範囲内に幅広領域３６２が含まれていない。換言すれば、払出球検知センサ３５３の貫通孔３５４を当該貫通孔３５４の通路方向に沿って下流側へ投影させた範囲内に幅広領域３６２が含まれていない。さらに換言すれば、払出球検知センサ３５３の貫通孔３５４を下方へ投影させた範囲内に幅広領域３６２が含まれていない。
【０４１９】
ちなみに、図４３（ａ）に示すように、第２領域３６４において第２の傾斜方向（具体的にはパチンコ機１０の左右方向）に傾斜した範囲の通路長は、払出球検知センサ３５３の貫通孔３５４を当該貫通孔３５４の通路方向に沿って下流側へ延長させた範囲に対して、第１の傾斜方向に傾斜した範囲によってずらされた方向とは異なる方向に距離Ｘ６分、幅狭領域３６１の出口部分がずれた位置となるように設定されている。
【０４２０】
上記のとおり払出球検知センサ３５３の貫通孔３５４を当該貫通孔３５４の通路方向に沿って下流側へ延長させた範囲内に幅狭領域３６１の出口部分が含まれていないことにより、遊技球が通過可能な貫通孔が形成されているとともに貫通孔の周縁に沿うようにして配置されたコイルを備え不正に磁束を生じさせることが可能な不正具３９０が、図４４において二点鎖線で示すように、幅狭領域３６１の出口部分に対して幅広領域３６２側から配置されたとしても、当該不正具３９０は払出球検知センサ３５３の貫通孔３５４の通路方向下流側へ延長させた範囲に含まれない。したがって、不正具３９０からの磁束が、払出球検知センサ３５３の検出コイル３５３ａ内を貫通しづらくなる。
【０４２１】
さらにまた、払出球検知センサ３５３の貫通孔３５４を当該貫通孔３５４の通路方向に沿って下流側へ延長させた範囲内に幅広領域３６２が含まれていないことにより、不正具３９０を上皿８１又は下皿８２側から挿入し、幅広領域３６２において幅狭領域３６１の出口部分とは異なる位置に不正具３９０が配置されたとしても、当該不正具３９０は払出球検知センサ３５３の貫通孔３５４の通路方向下流側へ延長させた範囲に含まれない。したがって、不正具３９０からの磁束が、払出球検知センサ３５３の検出コイル３５３ａ内を貫通しづらくなる。
【０４２２】
次に、幅狭領域３６１の出口部分において幅狭領域３６１内に不正具３９０を挿入しづらくさせるための構成について説明する。図４５は、図４３（ａ）において幅狭領域３６１の出口部分及びその周辺を拡大して示す説明図である。
【０４２３】
既に説明したとおり、第３領域３６５は、ケース部材３４２ａ，３４２ｂに一体形成されているのではなく、通路形成部品３４４に形成されている。当該通路形成部品３４４の胴部３７２においてフランジ部３７３が形成された側とは反対側の端部には、軸線方向に突出するように突起部３９１が形成されている。突起部３９１は軸線周りに複数（具体的には、６個）形成されており、各突起部３９１は軸線周りに等間隔で配置されている。このように複数の突起部３９１が軸線周りに断続的に配置されている構成においては、これら突起部３９１により遊技球の通過領域が区画形成されている。すなわち、複数の突起部３９１により幅狭領域３６１の出口部分の先端側が区画形成されている。
【０４２４】
各突起部３９１は所定の厚み寸法を有している。但し、各突起部３９１は筒孔３７１側に入り込んでおらず、各突起部３９１の内周側の面３９２は筒孔３７１の周面と面一となっている。つまり、通路形成部品３４４においてフランジ部３７３が形成された側の端部から突起部３９１の先端に至る範囲に、筒孔３７１側に向けた段差が生じないように各突起部３９１が形成されている。これにより、幅狭領域３６１の遊技球の通過を阻害しないようにしがら、各突起部３９１が形成されている。
【０４２５】
ケース部材３４２ａ，３４２ｂには、通路形成部品３４４が収容される収容領域３７４を区画形成する収容区画壁部３４５ｂが一体形成されているとともに当該収容区画壁部３４５ｂに下流側において連続させて幅広領域３６２を区画形成する通路壁３４５ａが一体形成されている。通路形成部品３４４の各突起部３９１は、収容区画壁部３４５ｂと通路壁３４５ａとの連続箇所から通路壁３４５ａにより区画された領域側へ突出している。
【０４２６】
各突起部３９１において幅広領域３６２を臨む側の面には、コーナー部を介して連続する複数の面が形成されている。具体的には、各突起部３９１は、突出側の先端に、第３領域３６５の通路方向の先側を向く端面３９３が形成されている。また、各突起部３９１は、外周側の面３９４、すなわち各突起部３９１において筒孔３７１の周面と面一となった内周側の面３９２に対して突起部３９１の壁部を挟んだ反対側の面３９４を備えている。当該面３９４は一端が端面３９３と連続しているとともに、反対側の端部が胴部３７２の外周面と連続しており、突起部３９１の先端から基端に向かうほど外側、より具体的には放射方向外側に向かう傾斜面として形成されている（以下、当該面３９４を外側傾斜面３９４ともいう）。
【０４２７】
換言すれば、外側傾斜面３９４は、臨む方向に遊技球の流下方向の下流側に向けた成分を含み、遊技球が通過する側から外側に向けて形成されているとともに、遊技球が通過する側から外側に向かうほど遊技球の流下方向とは逆方向に向かうように形成されている。さらに換言すれば、外側傾斜面３９４は、臨む方向に通路方向の下流側に向けた成分を含み、遊技球が通過する側から外側に向けて形成されているとともに、遊技球が通過する側から外側に向かうほど上記通路方向の上流側に向かうように形成されている。さらに換言すれば、外側傾斜面３９４は、臨む方向に不正具３９０の挿入元側に向けた成分を含み、遊技球が通過する側から外側に向けて形成されているとともに、遊技球が通過する側から外側に向かうほど上記挿入元側とは逆側に向かうように形成されている。
【０４２８】
ここで、幅広領域３６２を区画形成する通路壁３４５ａにおける各壁面のうちの一部は、収容区画壁部３４５ｂの壁面に対して面一となるように形成されているとともに、他の壁面は、収容区画壁部３４５ｂの壁面に対して外側に広がるように形成されている。したがって、各突起部３９１のうちの一部は、通路壁３４５ａの壁面に隣接しているとともに、他の一部は、通路壁３４５ａの壁面から離間されている。
【０４２９】
かかる構成において、各突起部３９１には上記のとおり外側傾斜面３９４が形成されているため、隣接している側の通路壁３４５ａの壁面と各突起部３９１との間には遊技球流下方向の下流側から上流側に向けた凹部３９５が形成されている。この場合、当該凹部３９５は、遊技球が通過する領域から外れた領域において、遊技球流下方向の下流側に向けて開放されている。また、離間されている側の突起部３９１については、当該突起部３９１と通路壁３４５ａの壁面との間の空間に対して突起部３９１が返し部として機能している。
【０４３０】
上記のとおり複数の突起部３９１が形成されていることにより、不正具３９０が幅狭領域３６１の出口部分に対して幅広領域３６２側から配置されたとしても、当該不正具３９０の貫通孔が突起部３９１間の隙間に引っ掛かり、それ以上の幅狭領域３６１側への侵入が阻止されることが期待される。
【０４３１】
また、図４５における経路Ｌ１のように、幅広領域３６２を区画形成する通路壁３４５ａにおいて突起部３９１との間で凹部３９５を形成する壁面に沿わせて不正具３９０が幅広領域３６２側から挿入されることが想定される。この場合、不正具３９０の一端が突起部３９１の外側傾斜面３９４に当接することで、当該外側傾斜面３９４の傾斜に沿って不正具３９０が凹部３９５側にガイドされることが期待される。そうすると、不正具３９０が凹部３９５内に入り込み、幅狭領域３６１内への侵入が阻止される。
【０４３２】
また、図４５における経路Ｌ２のように、幅広領域３６２を区画形成する通路壁３４５ａにおいて突起部３９１が返し部として機能することとなる側の壁面に沿わせて不正具３９０が幅広領域３６２側から挿入されることが想定される。この場合、不正具３９０の一端が突起部３９１の外側傾斜面３９４に当接することで、それ以上の不正具３９０の移動が規制され、幅狭領域３６１内への侵入が阻止される。
【０４３３】
また、図４５における経路Ｌ１及び経路Ｌ２とは異なる経路にて不正具３９０が幅広領域３６２側から挿入された場合であったとしても、当該不正具３９０の一端が外側傾斜面３９４に当接することで、凹部３９５側や当該凹部３９５とは異なる幅広領域３６２の壁面側に不正具３９０がガイドされることが期待される。
【０４３４】
また、突起部３９１や外側傾斜面３９４は、幅狭領域３６１の出口部分において軸線周りに断続させて形成されているため、幅狭領域３６１の出口部分に対して軸線周りのいずれの位置に不正具３９０が偏倚されていたとしても、当該不正具３９０が突起部３９１や外側傾斜面３９４に当接し易くなる。よって、突起部３９１や外側傾斜面３９４を通じた不正抑制効果が高められる。
【０４３５】
また、一部の外側傾斜面３９４は幅広領域３６２を区画形成する通路壁３４５ａとの間に凹部３９５を形成しており、外側傾斜面３９４にガイドされて凹部３９５内に不正具が入り込んだ場合、不正行為者がその入り込んだ状態を解除しづらいと考えられる。よって、不正行為者にとってリトライしづらくなる。
【０４３６】
次に、幅狭領域３６１の幅狭領域３６１内に不正具が挿入されたとしても、払出球検知センサ３５３の貫通孔３５４の真下位置に不正具３９０を配置しづらくさせるための構成について説明する。図４６は、図４３（ａ）において第１領域３６３及びその周辺を拡大して示す説明図である。
【０４３７】
既に説明したとおり、第１領域３６３は、払出球検知センサ３５３の貫通孔３５４及び払出通路３５１の下流側払出領域３５８と同一軸線上となるように形成されているとともに、下流側に向けて連続的に通路の断面積が狭くなるように形成されている。さらに当該第１領域３６３の最上流部の断面積は、貫通孔３５４の断面積及び下流側払出領域３５８の断面積よりも広く設定されている。
【０４３８】
かかる構成において、第１領域３６３の入口部分を区画する周縁部は、払出装置１１４のハウジング３５５における底面３５５ａを規定する壁部に下方から接している。また、第１領域３６３の入口部分の周縁は、貫通孔３５４の周面に対して軸線方向に直交する方向の離間距離がＸ７となっている。つまり、第１領域３６３によって、払出装置１１４の出口部分の周縁部に対して連通用通路３４１の入口部分の周縁部が軸線方向に直交する方向に離間されるように離間空間が形成されている。当該離間空間は、払出装置１１４の出口部分の全周に亘って当該出口部分と連通用通路３４１の入口部分とが距離Ｘ７分だけ離間されている。距離Ｘ７は、遊技球の直径未満となっている。
【０４３９】
上記のとおり第１領域３６３が形成されていることにより、不正具３９０が幅狭領域３６１内に挿入され幅狭領域３６１の入口部分に配置されたとしても、貫通孔３５４及び下流側払出領域３５８の真下位置から距離Ｘ７分、外側に外れた位置に配置され易くなり、払出装置１１４のハウジング３５５の底面３５５ａに下方から当接することが期待される。そうすると、下流側払出領域３５８側への不正具３９０の侵入が阻止される。
【０４４０】
また、不正具３９０がハウジング３５５の底面３５５ａに下方から当接した状態では、払出球検知センサ３５３の検出コイル３５３ａに対して不正具３９０のコイルが同一軸線上に配置されないこととなる。そうすると、不正具３９０からの磁束が、払出球検知センサ３５３の検出コイル３５３ａ内を貫通しづらくなる。
【０４４１】
また、上記離間距離Ｘ７が遊技球の直径未満に設定されていることにより、遊技球が通過可能な貫通孔が形成された不正具３９０においては、当該不正具３９０のケース部分が下流側払出領域３５８から第１領域３６３へと流入する遊技球の通過経路上に配置されることとなる。この場合、図４６において二点鎖線にて示す遊技球Ｂのように、不正具３９０により球詰まりを生じさせることができる。そうすると、不正具３９０からの磁束によって払出球検知センサ３５３にて誤検知が生じていたとしても、球詰まりが発生することに起因して、不正行為者に対して遊技球の不正な払出は実行されなくなる。
【０４４２】
また、第１領域３６３を規定する周面は全て下流側に向けて中央寄りとなるようにテーパ状に形成されているため、当該第１領域３６３のいずれかの周面に沿うようにして不正具３９０が挿入された場合には当該不正具３９０が離間空間に入り込んだ位置に配置され易くなる。
【０４４３】
特に、第１領域３６３の下流側には所定方向に傾斜した第２領域３６４が形成されているため、不正具３９０が挿入される場合には、図４６における経路Ｌ３のように、第２領域３６４の天井部３６４ａに沿わせて不正具３９０が挿入されることが想定される。この場合に、離間空間は、少なくとも第２領域３６４の上流側への延長線上に形成されている。したがって、第２領域３６４の天井部３６４ａに沿わせて不正具３９０が挿入された場合には、当該不正具３９０が離間空間に入り込んだ位置に配置され易くなる。
【０４４４】
以上詳述した本実施の形態によれば、以下のような優れた効果を奏する。
【０４４５】
連通用通路３４１において幅狭領域３６１の出口部分を区画する周縁部に外側傾斜面３９４が形成されていることにより、払出球検知センサ３５３に不正を施すための不正具３９０を上皿８１又は下皿８２から挿入して払出球検知センサ３５３の直下流側に配置しようとしても、当該不正具３９０が外側傾斜面３９４に下流側から当接した場合には、当該不正具３９０が外側傾斜面３９４によって払出球検知センサ３５３側とは異なる側に向けてガイドされる。これにより、上皿８１又は下皿８２側から払出球検知センサ３５３の直下流側に不正具３９０を配置しようとしても、それが行いづらくなる。よって、上記不正具３９０を用いて払出球検知センサ３５３に誤検知させて遊技球の払い出しを不正に受けようとする行為を阻止することが可能となる。
【０４４６】
連通用通路３４１において幅狭領域３６１の出口部分から幅広領域３６２側へと突出するように突起部３９１が形成されていることにより、不正具３９０を上皿８１又は下皿８２から挿入して払出球検知センサ３５３の直下流側に配置しようとしても、当該不正具３９０が突起部３９１に下流側から当接することが期待され、当該不正具３９０が突起部３９１に当接した状態ではそれ以上の不正具３９０の侵入を阻止することができる。これにより、上皿８１又は下皿８２側から払出球検知センサ３５３の直下流側に不正具３９０を配置しようとしても、それが行いづらくなる。よって、上記不正具３９０を用いて払出球検知センサ３５３に誤検知させて遊技球の払い出しを不正に受けようとする行為を阻止することが可能となる。
【０４４７】
連通用通路３４１において幅狭領域３６１の出口部分には、遊技球が通過する領域の外側に下流側に向けて開放された凹部３９５が形成されていることにより、不正具３９０を上皿８１又は下皿８２から挿入して払出球検知センサ３５３の直下流側に配置しようとしても、当該不正具３９０が凹部３９５内に入り込んだ場合には、当該不正具３９０が払出球検知センサ３５３側に配置されなくなるとともに、不正行為者にとってはその状態を解除しづらくなる。これにより、上皿８１又は下皿８２側から払出球検知センサ３５３の直下流側に不正具３９０を配置しようとしても、それが行いづらくなる。よって、上記不正具３９０を用いて払出球検知センサ３５３に誤検知させて遊技球の払い出しを不正に受けようとする行為を阻止することが可能となる。
【０４４８】
払出球検知センサ３５３の貫通孔３５４の下流側には、当該貫通孔３５４における通路方向と同一方向に延びるように下流側払出領域３５８及び幅狭領域３６１の第１領域３６３が形成されていることにより、貫通孔３５４を通過した遊技球の下流側への導出が良好に行われる。この場合に、第１領域３６３の方が幅広となるように下流側払出領域３５８と第１領域３６３との間に、払出装置１１４のハウジング３５５の底面３５５ａによって段差部が形成されていることにより、上皿８１又は下皿８２側から不正具３９０が挿入されたとしても、当該不正具３９０が段差部に下流側から当接することで、それ以上の侵入が阻止される。これにより、上皿８１又は下皿８２側から払出球検知センサ３５３の直下流側に不正具３９０を配置しようとしても、それが行いづらくなる。さらにまた、第１領域３６３は貫通孔３５４よりも幅広に形成されており、不正具３９０が段差部に下流側から当接した状態では、払出球検知センサ３５３の検出コイル３５３ａに対して不正具３９０のコイルが同一軸線上に配置されないこととなる。そうすると、不正具３９０からの磁束が、払出球検知センサ３５３の検出コイル３５３ａ内を貫通しづらくなる。
【０４４９】
連通用通路３４１には、幅狭領域３６１における第１領域３６３から第２領域３６４に亘る部分、第２領域３６４から第３領域３６５に亘る部分、又は第３領域３６５から幅広領域３６２に亘る部分といったように、通路の断面積が変更される領域が設けられている。これにより、通路の断面積が変更される境界位置における区画面に不正具３９０が当接し、上流側への不正具３９０の挿入又は不正具３９０の下流側への引き抜きが円滑に行えなくなることが期待される。これにより、上皿８１又は下皿８２側から払出球検知センサ３５３の直下流側に不正具３９０を配置しようとする行為や、不正具３９０を連通用通路３４１から取り外す行為が行いづらくなる。
【０４５０】
特に、第３領域３６５は断面形状が円形となっているため、当該断面の直径を遊技球の直径に近づけることができ、遊技球が通過可能な通過部を備えた不正具３９０を当該第３領域３６５に挿入しようとしても、それが行いづらくなる。
【０４５１】
ちなみに、連通用通路３４１の全体を断面円形に形成する構成も考えられる。但し、部品の成形金型において断面円形の部位は断面角形の部位に比べ金型面の形成が手間となる。そうすると、基本的には断面角形としておき、一部のみを断面円形とすることが好ましい。
【０４５２】
通路断面積が特に狭くなる第３領域３６５がケース部材３４２ａ，３４２ｂとは別体で設けられた通路形成部品３４４に形成されていることにより、他の領域に比べ磨耗が生じ易い部分については個別に交換することが可能となる。これにより、連通用通路３４１のメンテナンスを良好に行うことができる。
【０４５３】
＜第７の実施の形態＞
本実施の形態では、幅狭領域の出口部分において当該幅狭領域内への不正具３９０の侵入を阻止する構成が上記第６の実施の形態と異なっている。この相違する構成について図４７を用いて説明する。図４７は、幅狭領域４０１の出口部分及びその周辺を拡大して示す縦断面図である。
【０４５４】
幅狭領域４０１は上記第６の実施の形態と同様に断面縮小領域として第３領域４０２を備えており、当該第３領域４０２は連通用ユニット４０３のケース部材４０４とは別体で設けられた通路形成部品４０５に形成されている。また、通路形成部品４０５においてフランジ部４０６が形成された側とは反対側の端部には、軸線方向に突出するように突起部４０７が形成されている。突起部４０７は軸線周りに複数（具体的には、６個）形成されており、各突起部４０７は軸線周りに等間隔で配置されている。
【０４５５】
各突起部４０７の内周側の面４０８は上記第６の実施の形態における突起部３９１と同様に筒孔４０９側に入り込んでいない。一方、各突起部４０７において幅広領域４１１を臨む側の面には、上記第６の実施の形態における突起部３９１のような端面３９３は形成されておらず、外側傾斜面４１２はその先端部が内周側の面４０８と連続している。
【０４５６】
通路形成部品４０５が収容される収容領域４１３の収容区画壁部４１４と、幅広領域４１１を区画形成する通路壁４１５との連続箇所は、上記第６の実施の形態よりも遊技球流下方向の上流側となっており、通路形成部品４０５の胴部４１６において突起部４０７が形成された側の端部が収容領域４１３から幅広領域４１１側に突出している。また、幅広領域４１１を区画形成する通路壁４１５の壁面は、通路形成部品４０５において幅広領域４１１側に突出した部分の軸線周りの全体に亘って所定の距離だけ離間されている。つまり、通路形成部品４０５において幅広領域４１１側に突出した部分と、幅広領域４１１を区画形成する通路壁４１５の壁面との間には、通路形成部品４０５の軸線周りに連続する環状となった溝部４１７が形成されている。ちなみに、幅広領域４１１には、所定方向に傾斜した傾斜領域４１８が形成されている。
【０４５７】
上記構成によれば、上記第６の実施の形態における効果に加え、以下の優れた効果を奏する。
【０４５８】
不正具３９０が幅狭領域４０１の出口部分に対して幅広領域４１１側から配置されたとしても、当該不正具３９０の貫通孔が溝部４１７側から突起部４０７間の隙間に亘って引っ掛かり、それ以上の幅狭領域４０１側への侵入が阻止されるだけでなく、その引っ掛かった状態の解除を行いづらくさせることが可能となる。
【０４５９】
また、図４７における経路Ｌ４のように、不正具３９０の一端が突起部４０７の外側傾斜面４１２に当接することで、当該外側傾斜面４１２の傾斜に沿って不正具３９０が溝部４１７側にガイドされ、当該不正具３９０が溝部４１７内に入り込むことが期待される。この場合、不正具３９０において溝部４１７内に入り込んでいる部分は、通路形成部品４０５と通路壁４１５とによって包囲されることとなり、不正具３９０を溝部４１７から引き抜きにくくさせることが可能となる。
【０４６０】
特に、幅広領域４１１には所定方向に傾斜した傾斜領域４１８が形成されているとともに、突起部４０７の外側傾斜面４１２及び溝部４１７は少なくとも傾斜領域４１８の上流側への延長線上に形成されている。したがって、傾斜領域４１８の天井部４１８ａに沿わせて不正具３９０が挿入された場合には、当該不正具３９０が溝部４１７内に入り込んだ位置に配置され易くなる。
【０４６１】
また、溝部４１７は、軸線周りに断続的に形成された外側傾斜面４１２の全周に対して隣接するように、軸線周りに連続させて形成されていることにより、外側傾斜面４１２に当接し当該外側傾斜面４１２に沿って移動がガイドされた不正具３９０は確実に溝部４１７内に入り込むこととなる。
【０４６２】
なお、本実施の形態において、突起部４０７の外側傾斜面４１２及び溝部４１７を傾斜領域４１８の上流側への延長線上にのみ形成する構成としてもよい。但し、不正具３９０が溝部４１７内に入り込み易くする上では、上記実施の形態のように外側傾斜面４１２や溝部４１７を軸線周りに形成することが好ましい。
【０４６３】
＜第８の実施の形態＞
本実施の形態では、幅狭領域の出口部分において当該幅狭領域内への不正具３９０の侵入を阻止する構成が上記第７の実施の形態と異なっている。この相違する構成について図４８を用いて説明する。図４８は、幅狭領域４２１の出口部分及びその周辺を拡大して示す縦断面図である。
【０４６４】
幅狭領域４２１は上記第７の実施の形態と同様に断面縮小領域として第３領域４２２を備えており、当該第３領域４２２は連通用ユニット４２３のケース部材４２４とは別体で設けられた通路形成部品４２５に形成されている。また、通路形成部品４２５には突起部４２６が形成されているとともに、通路形成部品４２５において幅広領域４２７側に突出した部分と、幅広領域４２７を区画形成する通路壁４２８との間には通路形成部品４２５の軸線周りに連続する環状となった溝部４２９が形成されている。
【０４６５】
ここで、本実施の形態では、通路形成部品４２５において溝部４２９を区画形成している区画面の形状が上記第７の実施の形態における通路形成部品４０５と異なっている。
【０４６６】
詳細には、区画面は、先端部が内周側の面４３２に連続するとともに、突起部４２６の先端から基端に向かうほど外側、具体的には放射方向外側に向かう傾斜面として形成された第１傾斜面４３３を備えている。当該第１傾斜面４３３の基端側の端部は、通路形成部品４２５の胴部４３４の外周面よりも外側、具体的には放射方向外側に張り出した位置となっている。但し、第１傾斜面４３３の基端側の端部と幅広領域４２７を区画形成する通路壁４２８との間には隙間が形成されている。また、区画面は、第１傾斜面４３３に対して遊技球流下方向の上流側にて連続し、上流側に向かうほど内側、具体的には放射方向内側に向かう傾斜面として形成された第２傾斜面４３５を備えている。当該第２傾斜面４３５の第１傾斜面４３３側とは反対側の端部は胴部４３４の外周面に連続している。
【０４６７】
上記構成によれば、上記第７の実施の形態における効果に加え、以下の優れた効果を奏する。
【０４６８】
不正具３９０が幅狭領域４２１の出口部分に対して幅広領域４２７側から配置されたとしても、第１傾斜面４３３及び第２傾斜面４３５によって胴部４３４の外周面から外側へ突出している部位に不正具３９０の貫通孔が引っ掛かることで、それ以上の幅狭領域４２１側への侵入が阻止されるだけでなく、その引っ掛かった状態の解除を行いづらくさせることが可能となる。
【０４６９】
また、図４８における経路Ｌ５のように、不正具３９０の一端が第１傾斜面４３３に当接することで、当該第１傾斜面４３３の傾斜に沿って不正具３９０が溝部４２９側にガイドされ、当該不正具３９０が溝部４２９内に入り込むことが期待される。さらに、不正具３９０が溝部４２９内に入り込んだ後は、当該不正具３９０において溝部４２９内に入り込んだ領域が第２傾斜面４３５の傾斜に沿って移動することで、第１傾斜面４３３及び第２傾斜面４３５によって胴部４３４の外周面から外側へ突出している部位に不正具３９０の貫通孔が引っ掛かった状態となり易くなる。
【０４７０】
特に、幅広領域４２７には所定方向に傾斜した傾斜領域４３６が形成されているとともに、第１傾斜面４３３、第２傾斜面４３５及び溝部４２９は少なくとも傾斜領域４３６の上流側への延長線上に形成されている。したがって、傾斜領域４３６の天井部４３６ａに沿わせて不正具３９０が挿入された場合には、当該不正具３９０が溝部４２９内において上記のように入り込んだ位置に配置され易くなる。
【０４７１】
なお、本実施の形態において、第１傾斜面４３３、第２傾斜面４３５及び溝部４２９を傾斜領域４３６の上流側への延長線上にのみ形成する構成としてもよい。但し、不正具３９０が溝部４２９内に入り込み易くする上では、本実施の形態のように第１傾斜面４３３及び第２傾斜面４３５の組み合わせ並びに溝部４２９を軸線周りに形成することが好ましい。
【０４７２】
＜第９の実施の形態＞
本実施の形態では、幅狭領域４０１の出口部分において当該幅狭領域４０１内への不正具３９０の侵入を阻止する構成が上記第７の実施の形態と異なっている。この相違する構成について図４９を用いて説明する。図４９は、幅狭領域４０１の出口部分及びその周辺を拡大して示す縦断面図である。
【０４７３】
幅狭領域４０１は上記第７の実施の形態と同様に断面縮小領域として第３領域４０２を備えており、当該第３領域４０２は連通用ユニット４４０のケース部材４４１とは別体で設けられた通路形成部品４０５に形成されている。また、通路形成部品４０５には突起部４０７が形成されているとともに、通路形成部品４０５において幅広領域４４２側に突出した部分と、幅広領域４４２を区画形成する通路壁４４３との間には通路形成部品４０５の軸線周りに連続する環状となった溝部４１７が形成されている。突起部４０７や溝部４１７の構成は、上記第７の実施の形態と同様である。
【０４７４】
ここで、本実施の形態では、幅広領域４４２の構成が上記第７の実施の形態と異なっている。幅広領域４４２は、遊技球流下方向の途中位置において段差部４４４が形成されており、段差部４４４よりも上流側の上流領域４４５は段差部４４４よりも下流側の下流領域４４６に比して通路の断面積が広く設定されている。これら上流領域４４５及び下流領域４４６のうち、通路形成部品４０５の突起部４０７は上流領域４４５の途中位置まで突出している。
【０４７５】
幅広領域４４２には、段差部４４４から上流領域４４５側に突出するようにして環状壁部４４７が一体形成されている。環状壁部４４７は軸線周りに連続した環状となっており、上流領域４４５と下流領域４４６とを連通させるようにして軸線方向に貫通した連通孔４４８が環状壁部４４７によって区画形成されている。連通孔４４８は、第３領域４０２と同一軸線上に配置されているとともに、通路方向に対して直交する方向の断面積は第３領域４０２の当該断面積よりも広く設定されている。より詳細には、第３領域４０２は通路方向が上下方向（具体的には鉛直方向）となるように形成されているとともに連通孔４４８も通路方向が上下方向となるように形成されており、さらに第３領域４０２の下方への投影範囲よりも連通孔４４８の断面積は広く設定されている。これにより、環状壁部４４７が形成された構成において、第３領域４０２から下流側へと排出された遊技球が環状壁部４４７に干渉しづらくなる。
【０４７６】
環状壁部４４７はその全周に亘って上流領域４４５を区画形成する通路壁４４３よりも内側に離間されており、環状壁部４４７と通路壁４４３との間には遊技球流下方向の上流側に向けて開放されているとともに軸線周りに連続した下流側溝部４５１が区画形成されている。また、環状壁部４４７において遊技球流下方向の上流側の端部には、上流側へと突出した下流側突起部４５２が一体形成されている。下流側突起部４５２は複数（具体的には、６個）形成されており、各下流側突起部４５２は軸線周りに等間隔で配置されている。
【０４７７】
各下流側突起部４５２は所定の厚み寸法を有している。但し、各下流側突起部４５２は連通孔４４８側に入り込んでおらず、各下流側突起部４５２の内周側の面４５３は連通孔４４８の周面と面一となっている。つまり、環状壁部４４７において下流側突起部４５２の先端からそれとは反対側の端部に至る範囲に、連通孔４４８側に向けた段差が生じないように各下流側突起部４５２が形成されている。これにより、上流領域４４５から下流領域４４６への遊技球の通過を阻害しないようにしながら、各下流側突起部４５２が形成されている。
【０４７８】
各下流側突起部４５２において上流領域４４５を臨む側の面には、下流側突起部４５２の先端から基端に向かうほど外側、より具体的には連通孔４４８から遠ざかる側に向かう下流側傾斜面４５４が形成されている。当該下流側傾斜面４５４の上流側の端部は環状壁部４４７の内周側の面４５３に連続しており、下流側の端部は環状壁部４４７におけるベース部４５５の外周面に連続している。
【０４７９】
上記構成によれば、上記第７の実施の形態における効果に加え、以下の優れた効果を奏する。
【０４８０】
図４９における経路Ｌ６のように、不正具３９０の一端が上流側の突起部４０７の外側傾斜面４１２に当接することで、当該外側傾斜面４１２の傾斜に沿って不正具３９０が上流側の溝部４１７側にガイドされ、当該不正具３９０が溝部４１７内に入り込む。この場合に、不正行為者が当該溝部４１７内に不正具３９０が入り込んでいる状態を解除すべく不正具３９０を下流側に引っ張った場合には、当該不正具３９０の一部が下流側傾斜面４５４に沿って下流側溝部４５１側にガイドされ、当該不正具３９０が下流側溝部４５１内に入り込む。このように不正具３９０が下流側溝部４５１内に入り込むことで、その入り込んだ状態を解除することが困難なものとなる。
【０４８１】
特に、複数の下流側突起部４５２が軸線周りに所定の間隔で配置されているため、不正具３９０の貫通孔が下流側突起部４５２間の隙間に入り込むことで不正具３９０が下流側突起部４５２間に引っ掛かることが期待される。この場合、不正具３９０を下流側に引っ張ったとしても上記引っ掛かった状態を解除することができないため、当該状態を解除することが困難なものとなる。
【０４８２】
さらに、当該状態においては連通孔４４８を通過しようとする遊技球が不正具３９０に上流側から当たることで、連通用通路において球詰まりが生じる。そうすると、かかる球詰まりに遊技ホールの管理者等が気づくことで、不正具３９０を用いて遊技球の不正な払出を行わせようとしたことを把握することができる。
【０４８３】
なお、環状壁部４４７は通路形成部品４５６としてケース部材４４１とは別体で設けられているが、ケース部材４４１に対して一体形成されていてもよい。
【０４８４】
＜第１０の実施の形態＞
本実施の形態では、幅狭領域における断面遷移領域としての第１領域に係る構成が上記第６の実施の形態と異なっている。この相違する構成について図５０を用いて説明する。図５０は、第１領域４６１及びその周辺を拡大して示す縦断面図である。
【０４８５】
第１領域４６１は、上記第６の実施の形態と同様に、最上流部の断面積が払出球検知センサ３５３の貫通孔３５４の断面積及び下流側払出領域３５８の断面積よりも広く設定されている。そして、第１領域４６１の入口部分を区画する周縁部は、払出装置１１４のハウジング３５５における底面３５５ａを規定する壁部に下方から接している。
【０４８６】
第１領域４６１を区画形成する通路壁４６２の壁面は軸線周りの全周に亘って下流に向かうほど中央寄りとなる傾斜面として形成されているのではなく、一部の壁面４６３のみが下流に向かうほど中央寄りとなる傾斜面として形成されている。この場合に、第１領域４６１の下流側には所定方向に下り傾斜した傾斜領域４６４が形成されており、上記一部の壁面４６３は当該傾斜領域４６４の通路方向の上流側への延長線上に含まれる部位となっている。
【０４８７】
一部の壁面４６３において最上流の端部と払出装置１１４における出口部分の周縁部との間の軸線方向に直交する方向の離間距離Ｘ８は遊技球の直径と同一又は略同一となっている。ちなみに、払出球検知センサ３５３の貫通孔３５４と払出装置１１４における出口部分の周面とは面一となっているため、一部の壁面４６３において最上流側の端部と貫通孔３５４の周縁部との間の軸線方向に直交する方向の最短距離は離間距離Ｘ８と同一となっている。
【０４８８】
上記構成であることにより、上記第６の実施の形態における効果に加え、以下の優れた効果を奏する。
【０４８９】
図５０における経路Ｌ７のように、傾斜領域４６４の天井部４６４ａに沿わせて不正具３９０が挿入された場合、当該不正具３９０は第１領域４６１により区画形成された離間空間に入り込む。この場合に、上記離間距離Ｘ８が遊技球の直径と同一又は略同一となるように設定されていることにより、不正具３９０の一端が一部の壁面４６３に接しているとともに払出装置１１４のハウジング３５５の底面３５５ａに不正具３９０が下方から当接した状態では、払出球検知センサ３５３の検出コイル３５３ａを通路方向下流側に延長させた範囲に不正具３９０のコイルが含まれない又はほぼ含まれない状態となる。そうすると、不正具３９０からの磁束が、払出球検知センサ３５３の検出コイル３５３ａ内を貫通しづらくなる。
【０４９０】
また、上記離間距離Ｘ８が遊技球の直径と同一又は略同一に設定されていることにより、遊技球が通過可能な貫通孔が形成された不正具３９０においては、当該不正具３９０のケース部分が下流側払出領域３５８から第１領域４６１へと流入する遊技球の通過経路上に配置されることとなる。この場合、図５０において二点鎖線にて示す遊技球Ｂのように、不正具３９０により球詰まりを生じさせることができる。そうすると、不正具３９０からの磁束によって払出球検知センサ３５３にて誤検知が生じていたとしても、球詰まりが発生することに起因して、不正行為者に対して遊技球の不正な払出は実行されなくなる。
【０４９１】
＜他の実施の形態＞
なお、上述した各実施の形態の記載内容に限定されず、例えば次のように実施してもよい。ちなみに、以下の各構成を単独で上記各実施の形態の構成に適用してもよく、所定の組み合わせで上記各実施の形態の構成に適用してもよい。また、以下の各構成を、その構成の適用対象として例示していない実施の形態に適用してもよい。
【０４９２】
（１）上記第１の実施の形態では、幅狭領域２７４の出口部分よりも上流側への不正具２９３の挿入が規制されている構成としたが、これに限定されることはなく、例えば、下流側鉛直領域２８３の途中位置よりも上流側への不正具２９３の挿入が規制されている構成としてもよく、傾斜領域２８２の途中位置よりも上流側への不正具２９３の挿入が規制されている構成としてもよい。但し、不正具２９３の貫通孔２９４を払出球検知センサ１２６の貫通孔１２７ａに向けさせないようにする上では、下流側鉛直領域２８３の入口部分よりも上流側への不正具２９３の挿入を規制する構成とすることが好ましい。
【０４９３】
（２）上記第１の実施の形態では、不正具２９３の挿入が規制されることとなる幅狭領域２７４の出口部分の全体が、払出球検知センサ１２６の貫通孔１２７ａを当該貫通孔１２７ａの通路方向下流側に延長させた範囲に重ならない構成としたが、これに代えて、上記出口部分の一部が、上記延長させた範囲と重なる構成としてもよい。また、傾斜領域２８２の途中位置にてそれよりも上流側への不正具２９３の挿入が規制される構成においては、当該途中位置の全体が、上記延長させた範囲に重ならない構成としてもよく、当該途中位置の一部が、上記延長させた範囲と重なる構成としてもよい。但し、不正具２９３の貫通孔２９４を払出球検知センサ１２６の貫通孔１２７ａに向けさせないようにする上では、上記第１の実施の形態のように、不正具２９３の挿入が規制されることとなる部分の全体が、上記延長させた範囲に重ならないようにすることが好ましい。
【０４９４】
（３）上記第１の実施の形態では、下流側連続領域としての下流側鉛直領域２８３が払出球検知センサ１２６の貫通孔１２７ａの通路方向と平行となる構成としたが、これに代えて、当該貫通孔１２７ａの通路方向に対して下流側連続領域の通路方向が傾斜した構成としてもよい。この場合に、不正具２９３の貫通孔２９４から生じさせた磁束が払出球検知センサ１２６のコイル内を通過しないようにする上では、上記第１の実施の形態のように平行とするか、又は下流側連続領域の通路方向の上流側に向けた延長線と貫通孔１２７ａの通路方向の下流側に向けて延長線とが交差しないように、下流側連続領域の通路方向を貫通孔１２７ａの通路方向に対して傾斜させてもよい。
【０４９５】
（４）上記第１の実施の形態では、払出球検知センサ１２６の貫通孔１２７ａの通路方向が鉛直方向である構成としたが、これに代えて、当該通路方向が所定方向に傾斜した構成としてもよい。この場合であっても、連通用通路２７３に当該貫通孔１２７ａの通路方向とは異なる通路方向に設定された通路領域を形成するとともに、少なくとも当該通路領域の所定の位置よりも上流側に不正具２９３を挿入しようとしてもそれが不可となる構成とすることで、上皿８１又は下皿８２から不正具２９３を払出球検知センサ１２６側に挿入して行う不正行為を阻止することが可能となる。
【０４９６】
また、上記傾斜させた通路領域の下流側に、下流側連続領域を設けるとともに、当該下流側連続領域の通路方向を、当該通路方向の上流側への延長線と貫通孔１２７ａの通路方向の下流側への延長線とが交差しないように設定してもよい。そして、当該下流側連続領域の所定の位置よりも上流側に不正具２９３を挿入しようとしてもそれが不可となる構成とすることで、上記不正行為を阻止する効果が高められる。さらに、下流側連続領域の全体が貫通孔１２７ａを通路方向下流側に延長させた範囲に重ならない構成とすることで、上記不正行為を阻止する効果が高められる。
【０４９７】
（５）上記第１の実施の形態における連通用通路２７３において下流側鉛直領域２８３を不具備とし、傾斜領域２８２が幅広領域２７５に直接接続された構成としてもよい。この場合、当該傾斜領域２８２の所定の位置よりも上流側に不正具２９３を挿入しようとしてもそれが規制される構成とすることで、当該不正具２９３を用いた不正行為を行いづらくさせることが可能となる。また、少なくとも傾斜領域２８２と下流側鉛直領域２８３とを備えているが、上流側鉛直領域２８１を備えていない構成としてもよく、払出装置１１４において下流側払出領域１２２ａを不具備とし、払出球検知センサ１２６の貫通孔１２７ａが連通用通路２７３に直接接続された構成としてもよい。
【０４９８】
また、傾斜領域２８２や下流側鉛直領域２８３を直線的に形成するのではなく曲線的に形成する構成としてもよい。曲線的に形成された構成においては、所定の通路領域を通路方向上流側に延長させた範囲とは、その通路領域の入口部分を当該入口部分における接線方向上流側に延長させた範囲のことであり、所定の通路領域を通路方向下流側に延長させた範囲とは、その通路領域の出口部分を当該出口部分における接線方向下流側に延長させた範囲のことである。
【０４９９】
また、払出球検知センサが貫通孔１２７ａを有していない電磁誘導型の近接センサであり、当該センサが貫通孔１２７ａに相当する媒体通過領域の通路壁に通路外側から配置されたパチンコ機に対して、上記各実施の形態における特徴的な構成を適用してもよい。また、凹部を有し、当該凹部を遊技球が通過したことによる磁界の変化を検知する払出球検知センサが配置されたパチンコ機に対して、上記各実施の形態における特徴的な構成を適用してもよい。また、電磁誘導型の近接センサ以外を払出球検知センサとして用いたパチンコ機に対しても適用することは可能である。
【０５００】
（６）上記第１の実施の形態において、連通用通路２７３がその全体に亘って幅狭領域２７４となっており、幅広領域２７５が不具備となった構成としてもよい。この場合、例えば、上皿８１に向けた通路と下皿８２に向けた通路との分岐を前扉枠１４側において行う構成としてもよく、また貯留部として上皿８１と下皿８２とを備えるのではなく単一の貯留部を備えた構成においては当該貯留部の入口部分まで幅狭領域２７４が連続する構成としてもよい。
【０５０１】
（７）上記第１の実施の形態では、下流側鉛直領域２８３が払出球検知センサ１２６の貫通孔１２７ａに対して遊技機の左右方向にずれた位置となるよう傾斜領域２８２を形成したが、これに限定されることはなく、下流側鉛直領域２８３が払出球検知センサ１２６の貫通孔１２７ａに対して遊技機の前後方向（奥行き方向）にずれた位置となるように傾斜領域２８２を形成してもよい。
【０５０２】
（８）連通用通路２７３の幅狭領域２７４を、傾斜領域２８２及び下流側鉛直領域２８３を設けることなく、払出球検知センサ１２６の貫通孔１２７ａの下流側から当該貫通孔１２７ａの通路方向下流側に延長させて設ける、より具体的には、幅狭領域２７４の軸線が当該幅狭領域２７４の全体に亘って貫通孔１２７ａの軸線と同一直線上に配置されるように幅狭領域２７４を設けるとともに、遊技球の通過を阻止しない不正具を幅狭領域２７４の出口部分よりも上流側に挿入できない構成とすることも可能であり、この場合、払出球検知センサ１２６に対して近い位置に払出球検知センサ１２６を配置することが不可となるため、出力の弱い不正具に対しては不正対策となる。但し、出力の強い不正具に対しては有効な対策とならないおそれがあるため、傾斜領域２８２や下流側鉛直領域２８３といった領域を設けることが好ましい。
【０５０３】
（９）上記各実施の形態において、磁気検知センサや電波検知センサを別途設ける構成としてもよい。これら磁気検知センサや電波検知センサは、例えば、遊技領域に向けて磁石を近づける行為を発見するために設けられた磁気検知センサ又は遊技領域に向けて不正電波を発信させる行為を発見するために設けられた電波検知センサであってもよい。このように磁気検知センサや電波検知センサが設けられていることにより、不正具から磁束を生じさせる場合にその出力強度が所定以上となった場合には、それを磁気検知センサや電波検知センサにて検知することができる。その一方、上記各実施の形態における連通用通路の構造によって、上記不正具を払出球検知センサ１２６に近づけることができないため、不正具から出力強度が弱い状態で磁束が生じたとしても、その影響を払出球検知センサ１２６が受けないようにすることが可能となる。
【０５０４】
（１０）上記第６の実施の形態における連通用通路３４１の変形例を、図５１（ａ），（ｂ）に示す。
【０５０５】
図５１（ａ）に示す連通用通路３４１では、幅狭領域３６１の出口部分を構成する第３領域３６５の通路方向が鉛直方向ではなく、幅広領域３６２において上皿８１へと通じる第１分岐通路領域３８３側へと傾いた方向となるように形成されている。詳細には、幅広領域３６２を区画形成する通路壁３４５ａのうち、第１分岐通路領域３８３側において仕切部３８１と対向する部位を有する壁面側を向くように幅狭領域３６１が傾斜させて形成されている。
【０５０６】
幅狭領域３６１において第２領域３６４の下流側に当該第２領域３６４よりも通路の断面積が狭い第３領域３６５が形成された構成においては、両領域３６４，３６５の境界を通過する遊技球が第３領域３６５の周面に当り通路内にて暴れてしまうことが懸念される。そうすると、第１分岐通路領域３８３及び第２分岐通路領域３８４のうち上皿８１へと通じる第１分岐通路領域３８３側に遊技球が導出されるのではなく、下皿８２へと通じる第２分岐通路領域３８４側に遊技球が導出されてしまうおそれがある。これに対して、幅狭領域３６１が上記のように形成されていることにより、第３領域３６５の通路内にて遊技球が暴れたとしても、かかる遊技球が上皿８１側へ導出され易くなる。
【０５０７】
図５１（ｂ）に示す連通用通路３４１では、幅広領域３６２を区画形成する通路壁３４５ａのうち、第１分岐通路領域３８３側において仕切部３８１と対向する部位を有する壁面４７１が、第３領域３６５の傾斜方向と同一方向に傾斜させて形成されている。これにより、第３領域３６５から下流側に向けて排出された遊技球が上記壁面４７１に衝突しづらくなるため、当該壁面４７１に遊技球が衝突してその反動で第２分岐通路領域３８４側に遊技球が流れてしまうといった不都合の発生が抑制されている。なお、かかる作用効果は、第３領域３６５を通路方向の下流側に延長させた範囲に含まれないように上記壁面４７１が形成されているのであれば奏するものであり、この点、壁面４７１の傾斜方向が第３領域３６５の傾斜方向と同一である必要はない。
【０５０８】
（１１）上記第６の実施の形態において、幅狭領域３６１はその全体に亘って通路の断面形状が同一の形状である構成としてもよい。例えば、幅狭領域３６１はその全体に亘って通路の断面形状が円形状である構成としてもよい。また、例えば、幅狭領域３６１はその全体に亘って通路の断面形状が角形状である構成としてもよい。これらの場合であっても、幅狭領域３６１において通路の断面積が狭い領域を他の領域に対して別部品で形成することで、通路の断面積が狭い領域が磨耗した場合のメンテナンス性を向上させることができる。また、第１領域３６３及び第２領域３６４は断面形状が円形状であり、第３領域３６５は断面形状が角形状である構成としてもよい。
【０５０９】
（１２）上記第６の実施の形態では、ガイド面として、遊技球が通過する側から外側に向かうほど遊技球の流下方向とは逆方向に連続して延びる外側傾斜面３９４を設けたが、これに代えて、遊技球が通過する側から外側に向かうほど遊技球の流下方向とは逆方向に段階的、例えば、複数の段差部を介して延びる面を設けてもよい。
【０５１０】
（１３）上記第７の実施の形態のように外側傾斜面４１２における遊技球の流下方向の下流側先端が第３領域４０２を区画形成する内周側の面４０８に連続している構成を、上記第６の実施の形態に対して適用してもよい。
【０５１１】
（１４）上記第６の実施の形態では、外側傾斜面３９４が突起部３９１に形成されている構成としたが、突起部３９１だけでなく通路形成部品３４４の胴部３７２の一部が幅広領域３６２側に突出した構成においては突起部３９１から胴部３７２に亘って外側傾斜面３９４が形成された構成としてもよい。この場合、突起部３９１の長さ寸法が増加することを抑えながら、外側傾斜面３９４の長さを広く確保することが可能となる。
【０５１２】
（１５）上記第６の実施の形態において、軸線周りに断続させて形成された突起部３９１が幅広領域３６２側に突出している構成に代えて、軸線周りに連続させて形成された部位が幅広領域３６２側に突出している構成としてもよい。また、本構成においては、外側傾斜面３９４といったガイド面が軸線周りに連続させて形成されていてもよい。かかる構成によれば、軸線周りのいずれの位置であっても突出部やガイド面を設けたことによる効果を奏することができる。
【０５１３】
（１６）上記第７の実施の形態にて凹み空間として形成された溝部４１７において、通路形成部品４０５の外周面（すなわち、幅狭領域４０１の出口部分を区画する区画部の外周面）と対向する面に、面が向く方向として溝部４１７の奥側に向けた成分を有する段差面が形成されていてもよい。当該段差面は、不正具３９０の溝部４１７内への入り込みを許容できるように通路形成部品４０５の外周面に対して離間させて形成されている。本構成によれば、溝部４１７内に入り込んだ不正具３９０を引き抜こうとした場合に不正具３９０が段差面に引っ掛かることで、当該不正具３９０を溝部４１７内から引き抜くことができなくなる。これにより、不正行為者にとっては溝部４１７に不正具３９０が入り込んだ状態を解除してリトライしようとしてもそれが困難なものとなる。また、遊技ホールの管理者にとっては、不正具３９０が挿入されている状況を見つけ易くなる。
【０５１４】
なお、本構成において、段差面は、溝部４１７の凹み先側の底面と平行又は略平行となるように形成されていてもよく、通路形成部品４０５の外周面側からその反対側に向かうほど溝部４１７の開放側に向けて傾斜するように形成されていてもよい。
【０５１５】
（１７）上記第８の実施の形態において、第２傾斜面４３５に代えて、溝部４２９の凹み先側の底面と平行又は略平行となる連続面が形成されていてもよい。また、これに代えて、第１傾斜面４３３側の端部からその反対側の端部に向かうほど溝部４２９の開放側に向けて傾斜する連続面が形成されていてもよい。これらの場合、第１傾斜面４３３によりガイドされて溝部４２９の奥側に不正具３９０が入り込んだ場合、当該不正具３９０を溝部４２９から引き抜こうとしても当該不正具３９０が上記連続面に当接することで、引き抜くことができなくなる。
【０５１６】
（１８）上記第９の実施の形態において、下流側溝部４５１、下流側突起部４５２及び下流側傾斜面４５４の一部の構成が不具備であってもよい。いずれかの構成を具備していることにより、不正具３９０を連通用通路から取り除こうとした場合に、不正具３９０の引き抜き方向への移動が規制されることが期待される。
【０５１７】
（１９）上記第６の実施の形態において、払出球検知センサ３５３の貫通孔３５４と幅狭領域３６１の第１領域３６３との間に下流側払出領域３５８が介在しておらず、第１領域３６３が貫通孔３５４に対してその下流側にて連続している構成としてもよい。また、下流側払出領域３５８が介在しているが、通路の断面積が貫通孔３５４の断面積よりも広く設定された構成としてもよい。これらの場合であっても、不正具３９０が払出球検知センサ３５３に対してその下流側にて近い位置に配置されたとしても、不正具３９０のコイルが払出球検知センサ３５３の検出コイル３５３ａに対して外れた位置となることで、不正具３９０から生じた磁束を通じて払出球検知センサ３５３にて誤検知が生じる可能性が低減される。なお、下流側払出領域３５８の断面積が貫通孔３５４の断面積よりも広く設定された構成においては、当該断面積が第１領域３６３の断面積よりも狭く設定されていてもよい。
【０５１８】
また、下流側払出領域３５８と第１領域３６３との間の段差が両領域の軸線方向に対して傾斜していてもよい。この場合、当該段差の傾斜方向を、遊技球の通過領域側から外側に向かうほど遊技球の流下方向の上流側となる傾斜方向とすることで、段差に対して下流側から当接した不正具３９０を払出球検知センサ３５３側とは異なる側に向けてガイドすることが可能となる。
【０５１９】
（２０）上記第６の実施の形態において、第３領域３６５、突起部３９１及び外側傾斜面３９４がケース部材３４２ａ，３４２ｂとは別部品である通路形成部品３４４に形成されているのではなく、ケース部材３４２ａ，３４２ｂに対して一体形成されている構成としてもよい。
【０５２０】
（２１）上記第６乃至第１０の実施の形態では、連通用通路の通路方向が概ね鉛直方向に延びる構成としたが、当該通路方向が概ね下り傾斜している構成としてもよい。この場合であっても上記第６乃至第１０の実施の形態におけるガイド面（第６の実施の形態について具体的には外側傾斜面３９４）の構成、突出部（第６の実施の形態について具体的には突起部３９１）の構成、凹み空間（上記第６の実施の形態について具体的には凹部３９５）の構成又は拡張領域の構成（上記第６の実施の形態については第１領域３６３）の少なくとも１つの構成を適用するとよい。
【０５２１】
（２２）上記第６の実施の形態において外側傾斜面３９４といったガイド面が形成されていることにより、不正具３９０を払出球検知センサ３５３の直下流側に配置しづらくなるという顕著な効果に着目した場合、ガイド面の構成が必須の構成であればよく、他の構成は任意の構成となる。この場合、例えば、ガイド面が突起部ではなく、幅広領域３６２を区画する区画面や、幅狭領域３６１を区画する区画面に対して形成されていてもよい。
【０５２２】
（２３）上記第６の実施の形態における突起部３９１といった突出部が形成されていることにより、不正具３９０を払出球検知センサ３５３の直下流側に配置しづらくなるという顕著な効果に着目した場合、突出部の構成が必須の構成であればよく、他の構成は任意の構成となる。この場合、突出部にガイド面が形成されていなくてもよい。
【０５２３】
（２４）上記第６の実施の形態における凹部３９５や、上記第７の実施の形態における溝部４１７や、上記第８の実施の形態における下流側溝部４５１といった凹み空間が形成されていることにより、連通用通路内における不正具３９０の自由な移動を阻害することができるという顕著な効果に着目した場合、かかる凹み空間の構成が必須の構成であればよく、他の構成は任意の構成となる。突起部やガイド面を必須としない構成としては、例えば、通路側から当該通路方向に対して直交する方向に凹むようにして凹み空間が形成された構成が考えられる。この場合であっても、当該凹み空間に不正具３９０が入り込むことが期待され、不正具３９０が入り込んだ場合には当該不正具３９０の自由な移動は阻害される。
【０５２４】
（２５）上記第６の実施の形態における第１領域３６３といった拡張領域が形成されていることにより、不正具３９０における不正用の出力部を払出球検知センサ３５３の貫通孔３５４に対向させづらくなるという顕著な効果に着目した場合、かかる拡張領域の構成が必須の構成であればよく、他の構成は任意の構成となる。
【０５２５】
（２６）上記第６の実施の形態における第２領域３６４から第３領域３６５に亘る領域や、第３領域３６５から幅広領域３６２に亘る領域といった変更領域が形成されていることにより、連通用通路内における不正具３９０の自由な移動を阻害することができるという顕著な効果に着目した場合、かかる変更領域の構成が必須の構成であればよく、他の構成は任意の構成となる。
【０５２６】
（２７）上記各実施の形態では、払出実行手段として回転体１２４，３５２を有する払出装置１１４が設けられたパチンコ機１０に対して本発明を適用したが、これに限定されることはなく他のタイプの払出装置が設けられた遊技機に対して本発明を適用してもよい。例えば、払出実行手段として払出通路に対して出没することで遊技球の通過を阻止又は許容する出没片を有する払出装置が設けられた遊技機に対して本発明を適用してもよい。
【０５２７】
また、上記各実施の形態では、払出実行手段の下流側に払出球検知センサ１２６、３５３を有する払出装置１１４が設けられたパチンコ機１０に対して本発明を適用したが、これに限定されることはなく他のタイプの払出装置が設けられた遊技機に対して本発明を適用してもよい。例えば、払出実行手段の上流側に払出球検知センサ１２６，３５３を有する払出装置１１４が設けられた遊技機に対して本発明を適用してもよい。
【０５２８】
また、払出球検知センサ１２６，３５３の検知結果だけでなく、払出実行手段の動作状態、より具体的には回転体１２４，３５２の回転回数などによっても遊技球の払出数を特定する遊技機に対して本発明を適用してもよい。
【０５２９】
（２８）上記各実施の形態では、貯留部として上皿８１と下皿８２とを備えたパチンコ機１０に本発明を適用したが、これに代えて、単一の外側貯留部を備えたパチンコ機に本発明を適用してもよい。この場合、満タン検知センサ５９はその単一の外側貯留部が満タン状態か否かを検知するように設け、外側貯留部が満タン状態であることが特定された場合に遊技球の払出を制限するようにする。
【０５３０】
（２９）上記各実施の形態において、停電監視装置を主制御装置１６２とは別に設けることで、主制御基板２０１は主制御回路２０２のみの機能を有する構成としてもよい。
【０５３１】
（３０）上記各実施の形態では、音声ランプ制御装置９２が表示制御装置２２５を制御する構成としたが、これに代えて、表示制御装置２２５が音声ランプ制御装置９２を制御する構成としてもよい。また、音声ランプ制御装置９２と表示制御装置２２５との両機能を有する単一の制御装置を設けてもよい。
【０５３２】
（３１）上記各実施の形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも、本発明を適用できる。
【０５３３】
また、弾球式でない遊技機、例えば、複数種の図柄が周方向に付された複数のリールを備え、メダルの投入及びスタートレバーの操作によりリールの回転を開始し、ストップスイッチが操作されるか所定時間が経過することでリールが停止した後に、表示窓から視認できる有効ライン上に特定図柄又は特定図柄の組み合わせが成立していた場合にはメダルの払い出し等といった特典を遊技者に付与するスロットマシンにも、本発明を適用できる。この場合、スロットマシンのホッパ装置に対して、上記各実施の形態における連通用通路の構成を適用するとよい。
【０５３４】
また、取込装置を備え、貯留部に貯留されている所定数の遊技球が取込装置により取り込まれた後にスタートレバーが操作されることによりリールの回転を開始する、パチンコ機とスロットマシンとが融合された遊技機にも、本発明を適用できる。
【０５３５】
（３２）上記第１〜第１０の実施の形態及び上記他の実施の形態に記載した各構成を、相互に組み合わせて適用してもよく、例えば、上記第８の実施の形態における連通用通路の構成と、上記第９の実施の形態における連通用通路の構成とを組み合わせて適用してもよく、上記第８の実施の形態における連通用通路の構成と、上記第１０の実施の形態における連通用通路の構成とを組み合わせて適用してもよい。また、上記第１〜第１０の実施の形態に対して、又は上記第１〜第１０の実施の形態の一部又は全部について相互に組み合わせた構成に対して、上記他の実施の形態における各構成の一部又は全部を相互に組み合わせて適用してもよい。
【０５３６】
＜上記各実施の形態から抽出される発明群について＞
以下、上述した各実施の形態から抽出される発明群の特徴について、必要に応じて効果等を示しつつ説明する。なお以下においては、理解の容易のため、上記各実施の形態において対応する構成を括弧書き等で適宜示すが、この括弧書き等で示した具体的構成に限定されるものではない。
【０５３７】
特徴Ａ１．遊技機前面部（前扉枠１４）に設けられた貯留部（上皿８１、下皿８２）に向けて遊技媒体を導く遊技媒体通路部（払出通路１２２、連通用通路２７３、遊技球分配部１２８など）と、
当該遊技媒体通路部を通じて前記貯留部に向けて遊技媒体を払い出す払出実行手段（回転体１２４）と、
前記遊技媒体通路部の途中位置に設定された媒体通過領域（貫通孔１２７ａ）の遊技媒体の通過を検知する払出検知手段（払出球検知センサ１２６）と、
を備え、当該払出検知手段の検知結果に基づいて、遊技媒体の払い出しが特定される遊技機において、
前記遊技媒体通路部は、
前記媒体通過領域よりも下流側に設けられ、当該媒体通過領域の通路方向とは異なる通路方向となるように形成された通路方向相違領域（傾斜領域２８２）と、
前記遊技媒体通路部の遊技媒体の通過を阻止しないようにしつつ、前記払出検知手段に不正を施すためのものであって遊技媒体の通過を阻止しない不正具が少なくとも前記通路方向相違領域の所定の位置よりも上流側へ挿入されることを規制する構造と、
を備えていることを特徴とする遊技機。
【０５３８】
特徴Ａ１によれば、払出検知手段に不正を施すためのものであって遊技媒体の通過を阻止しない不正具を払出検知手段の下流側に配置しようとしても、少なくとも通路方向相違領域の所定の位置よりも上流側への挿入が規制される。これにより、貯留部側から遊技媒体通路部に不正具を挿入し、当該不正具を払出検知手段の直下流側に配置しようとしてもそれが不可となる。
【０５３９】
また、少なくとも通路方向相違領域の所定の位置よりも上流側への上記不正具の挿入が規制されているため、媒体通過領域をその通路方向の下流側に延長させた領域において媒体通過領域に対して不正具を対向させようとしてもそれが行いづらくなる。また、仮に対向させることができたとしても、少なくとも通路方向相違領域が設けられている範囲分は媒体通過領域から離間されることとなる。
【０５４０】
以上より、上記不正具を用いて払出検知手段に誤検知させて遊技媒体の払い出しを不正に受けようとする行為を阻止することが可能となる。
【０５４１】
特徴Ａ２．通路壁によって周囲が区画されて形成されており、遊技機前面部（前扉枠１４）に設けられた貯留部（上皿８１、下皿８２）に向けて遊技媒体を導く遊技媒体通路部（払出通路１２２、連通用通路２７３、遊技媒体分配部１２８など）と、
当該遊技媒体通路部を通じて前記貯留部に向けて遊技媒体を払い出す払出実行手段（回転体１２４）と、
前記遊技媒体通路部の途中位置に設定された媒体通過領域（貫通孔１２７ａ）における磁界の変化を検知することによって、当該媒体通過領域の遊技媒体の通過を検知する払出検知手段（払出球検知センサ１２６）と、
を備え、当該払出検知手段の検知結果に基づいて、遊技媒体の払い出しが特定される遊技機において、
前記遊技媒体通路部は、前記媒体通過領域よりも下流側に、当該媒体通過領域の通路方向とは異なる通路方向となるように形成された通路方向相違領域（傾斜領域２８２）を備えているとともに、
当該通路方向相違領域の所定の位置又はそれよりも下流側の所定の通路領域において遊技媒体が通過可能な空間は、前記払出検知手段に不正を施すためのものであって遊技媒体の通過を阻止しない不正具の当該空間よりも上流側への挿入が規制される大きさに設定されていることを特徴とする遊技機。
【０５４２】
特徴Ａ２によれば、払出検知手段に不正を施すためのものであって遊技媒体の通過を阻止しない不正具を払出検知手段の下流側に配置しようとしても、少なくとも通路方向相違領域の所定の位置よりも上流側への挿入が規制される。これにより、貯留部側から遊技媒体通路部に不正具を挿入し、当該不正具を払出検知手段の直下流側に配置しようとしてもそれが不可となる。
【０５４３】
また、上記のように不正具の挿入が規制されているため、媒体通過領域をその通路方向の下流側に延長させた領域において媒体通過領域に対して不正具を対向させようとしてもそれが行いづらくなる。また、仮に対向させることができたとしても、少なくとも通路方向相違領域が設けられている範囲分は媒体通過領域から離間されることとなる。そして、このような規制された位置において不正具から磁界を生じさせたとしても、媒体通過領域はその磁界の影響を受けにくくなる。
【０５４４】
さらに、例えば、通路方向相違領域やその下流側に不正具を配置できたとしても、当該通路方向相違領域は通路方向が媒体通過領域の通路方向とは異なっている。したがって、媒体通過領域に対して不正具の出力部などを平行にして対向させようとしてもそれが行いづらくなるため、不正具から磁束を生じさせたとしても、当該磁束が媒体通過領域を通過しづらくなる。
【０５４５】
以上より、上記不正具を用いて払出検知手段に誤検知させて遊技媒体の払い出しを不正に受けようとする行為を阻止することが可能となる。
【０５４６】
特徴Ａ３．前記通路方向相違領域は少なくとも前記所定の位置が、前記媒体通過領域の出口部分を当該媒体通過領域の通路方向下流側に延長させた範囲の少なくとも全体とは重ならないように形成されていることを特徴とする特徴Ａ１又はＡ２に記載の遊技機。
【０５４７】
特徴Ａ３によれば、少なくとも通路方向相違領域における所定の位置よりも上流側への払出検知手段の挿入が規制されている構成において、通路方向相違領域は少なくとも所定の位置が、媒体通過領域の出口部分を媒体通過領域の通路方向下流側に延長させた範囲に対して少なくとも全体とは重なっていないため、媒体通過領域の出口部分をその通路方向の下流側に延長させた範囲において媒体通過領域に対して不正具を対向させようとしてもそれが行いづらくなる。
【０５４８】
特徴Ａ４．前記遊技媒体通路部は、前記媒体通過領域から少なくとも前記通路方向相違領域の前記所定の位置に亘る領域の通路幅が、遊技媒体の通過を阻止しない範囲において、前記不正具が通過することができない程度で一定の通路幅又は一定と同様の通路幅となるように形成されていることを特徴とする特徴Ａ１乃至Ａ３のいずれか１に記載の遊技機。
【０５４９】
特徴Ａ４によれば、媒体通過領域から少なくとも通路方向相違領域の所定の位置に亘る領域の通路幅を、不正具が通過することができない程度で一定の通路幅又は一定と同様の通路幅となるように設定するという比較的簡素な構成により、上記優れた効果を奏することができる。
【０５５０】
また、上記のように通路幅によって不正具の挿入を規制する構成において、媒体通過領域から少なくとも通路方向相違領域の所定の位置に亘る領域の通路幅が一定の通路幅又は一定と同様の通路幅となっているため、当該領域における球詰まりの発生を抑えながら上記優れた効果を奏することができる。
【０５５１】
特徴Ａ５．前記遊技媒体通路部は、前記通路方向相違領域の前記所定の位置又は当該所定の位置よりも下流側に、それよりも上流側に比べ通路空間を狭める空間規制部（縮径部３０４、板バネ部３１１又は羽根車３２１）を備えており、
当該空間規制部は、遊技媒体の通過を阻止しない範囲内において前記不正具の当該空間規制部が設けられた部位よりも上流側への挿入が規制される程度に前記通路空間を狭めるように形成されていることを特徴とする特徴Ａ１乃至Ａ３のいずれか１に記載の遊技機。
【０５５２】
特徴Ａ５によれば、空間規制部が設けられていることにより、上記優れた効果を奏することができる。
【０５５３】
特徴Ａ６．前記遊技媒体通路部は、前記通路方向相違領域に対してその下流側において連続する下流側連続領域（下流側鉛直領域２８３）を備えており、
前記通路方向相違領域は、前記下流側連続領域との連続箇所が、前記媒体通過領域の出口部分を当該媒体通過領域の通路方向下流側に延長させた範囲の少なくとも全体とは重ならないように形成されており、
前記下流側連続領域は通路方向が、当該通路方向の上流側に向けた延長線と前記媒体通過領域における通路方向の下流側に向けた延長線とが交差しないように形成されており、
前記遊技媒体通路部は、当該遊技媒体通路部の遊技媒体の通過を阻止しないようにしつつ、前記不正具が少なくとも前記下流側連続領域の所定の位置よりも上流側へ挿入されることを規制するように設けられていることを特徴とする特徴Ａ１又はＡ２に記載の遊技機。
【０５５４】
特徴Ａ６によれば、上記不正具を払出検知手段の下流側に配置しようとしても、少なくとも下流側連続領域の所定の位置よりも上流側への挿入が規制される。これにより、貯留部側から遊技媒体通路部に不正具を挿入し、当該不正具を払出検知手段の直下流側に配置しようとしてもそれが不可となる。
【０５５５】
また、通路方向相違領域と下流側連続領域との連続箇所が、媒体通過領域の出口部分を当該媒体通過領域の通路方向下流側に延長させた範囲の少なくとも全体とは重ならない構成であって、少なくとも下流側連続領域における所定の位置よりも上流側への上記不正具の挿入が規制されているため、媒体通過領域をその通路方向の下流側に延長させた範囲において媒体通過領域に対して不正具を対向させようとしてもそれが行いづらくなる。また、仮に対向させることができたとしても、少なくとも通路方向相違領域及び下流側連続領域が設けられている範囲分は媒体通過領域から離間されることとなる。
【０５５６】
さらにまた、上記特徴Ａ２を備えた構成においては以下の効果を奏する。つまり、下流側連続領域は通路方向が、当該通路方向の上流側に向けた延長線と媒体通過領域における通路方向の下流側に向けた延長線とが交差しないように形成されている。したがって、例えば、下流側連続領域の所定の位置又は当該下流側連続領域に沿った領域であって当該下流側連続領域の所定の位置よりも下流側に不正具を配置できたとしても、媒体通過領域に対して不正具の出力部などを対向させようとしてもそれが行いづらくなり、不正具から磁束を生じさせたとしても、当該磁束が媒体通過領域を通過しづらくなる。
【０５５７】
以上より、上記不正具を用いて払出検知手段に誤検知させて遊技媒体の払い出しを不正に受けようとする行為を阻止することが可能となる。
【０５５８】
特徴Ａ７．前記通路方向相違領域は、前記下流側連続領域との連続箇所の全体が、前記媒体通過領域の出口部分を当該媒体通過領域の通路方向下流側に延長させた範囲と重ならないように形成されていることを特徴とする特徴Ａ６に記載の遊技機。
【０５５９】
特徴Ａ７によれば、通路方向相違領域と下流側連続領域との連続箇所の全体が、媒体通過領域の出口部分を当該媒体通過領域の通路方向下流側に延長させた範囲と重ならない構成であるとともに、下流側連続領域は通路方向が、当該通路方向の上流側に向けた延長線と媒体通過領域における通路方向の下流側に向けた延長線とが交差しないように形成されている。したがって、例えば、下流側連続領域の所定の位置又は当該下流側連続領域に沿った領域であって当該下流側連続領域の所定の位置よりも下流側に不正具を配置できたとしても、媒体通過領域に対して不正具の通過部を対向させようとしてもそれが不可となる。
【０５６０】
特徴Ａ８．前記下流側連続領域は、その全体が、前記媒体通過領域の出口部分を当該媒体通過領域の通路方向下流側に延長させた範囲と重ならないように形成されていることを特徴とする特徴Ａ６又はＡ７に記載の遊技機。
【０５６１】
特徴Ａ８によれば、下流側連続領域の全体が、媒体通過領域の出口部分を当該媒体通過領域の通路方向下流側に延長させた範囲と重ならない構成であるとともに、下流側連続領域は通路方向が、当該通路方向の上流側に向けた延長線と媒体通過領域における通路方向の下流側に向けた延長線とが交差しないように形成されている。したがって、例えば、下流側連続領域の所定の位置又は当該下流側連続領域に沿った領域であって当該下流側連続領域の所定の位置よりも下流側に不正具を配置できたとしても、媒体通過領域に対して不正具の通過部を対向させようとしてもそれが不可となる。
【０５６２】
特徴Ａ９．前記媒体通過領域は通路方向が遊技機上下方向となるように形成されており、
前記下流側連続領域は通路方向が遊技機上下方向となるように形成されていることを特徴とする特徴Ａ６乃至Ａ８のいずれか１に記載の遊技機。
【０５６３】
特徴Ａ９によれば、媒体通過領域及び下流側連続領域における遊技媒体の通過速度を速めつつ、上記優れた効果を奏することができる。
【０５６４】
特徴Ａ１０．前記遊技媒体通路部は、前記媒体通過領域から少なくとも前記下流側連続領域の前記所定の位置に亘る領域の通路幅が、遊技媒体の通過を阻止しない範囲において、前記不正具が通過することができない程度で一定の通路幅又は一定と同様の通路幅となるように形成されていることを特徴とする特徴Ａ６乃至Ａ９のいずれか１に記載の遊技機。
【０５６５】
特徴Ａ１０によれば、媒体通過領域から少なくとも下流側連続領域の所定の位置に亘る領域の通路幅を、不正具が通過することができない程度で一定の通路幅又は一定と同様の通路幅となるように設定するという比較的簡素な構成により、上記優れた効果を奏することができる。
【０５６６】
また、上記のように通路幅によって不正具の挿入を規制する構成において、媒体通過領域から少なくとも下流側連続領域の所定の位置に亘る領域の通路幅が一定の通路幅又は一定と同様の通路幅となっているため、当該領域における球詰まりの発生を抑えながら上記優れた効果を奏することができる。
【０５６７】
なお、遊技媒体として遊技球が用いられる構成においては、前記媒体通過領域から少なくとも前記下流側連続領域の前記所定の位置に亘る領域の通路方向に対して直交する方向の断面を円形とするとよい。これにより、当該領域を区画する通路壁と当該領域を通過する遊技球の隙間とを少なくすることが可能となり、上記不正具を払出検知手段の直下流側に配置しようとする行為がより行いづらくなる。
【０５６８】
また、上記のように断面を円形とした場合、その孔径を遊技球の直径と同一又はそれよりも若干大きい程度とするとよい。これにより、当該領域を区画する通路壁と当該領域を通過する遊技球の隙間とを少なくすることが可能となり、上記不正具を払出検知手段の直下流側に配置しようとする行為がより行いづらくなる。
【０５６９】
特徴Ａ１１．前記遊技媒体通路部は、前記下流側連続領域の前記所定の位置又は当該所定の位置よりも下流側に、それよりも上流側に比べ通路空間を狭める空間規制部（縮径部３０４、板バネ部３１１又は羽根車３２１）を備えており、
当該空間規制部は、遊技媒体の通過を阻止しない範囲内において前記不正具の当該空間規制部が設けられた部位よりも上流側への挿入が規制される程度に前記通路空間を狭めるように形成されていることを特徴とする特徴Ａ６乃至Ａ９のいずれか１に記載の遊技機。
【０５７０】
特徴Ａ１１によれば、空間規制部が設けられていることにより、上記優れた効果を奏することができる。
【０５７１】
特徴Ａ１２．前記払出検知手段は、前記媒体通過領域における磁界の変化を検知することによって、当該媒体通過領域の遊技媒体の通過を検知するものであり、
前記遊技媒体通路部は、前記不正具の挿入が規制された位置よりも下流側に、当該規制された位置よりも通路幅が広く設定された幅広領域（幅広領域２７５）を備えており、
当該幅広領域は、前記媒体通過領域の出口部分を当該媒体通過領域の通路方向下流側に延長させた範囲の少なくとも全体とは重ならないように形成されていることを特徴とする特徴Ａ４〜Ａ５，Ａ１１〜Ａ１２のいずれか１に記載の遊技機。
【０５７２】
特徴Ａ１２によれば、幅広領域が形成されていることにより、上記のように不正具の挿入を規制するようにした構成において、遊技媒体通路部において貯留部側の領域において通路幅にゆとりを持たせることができるため、球詰まりなどの発生を好適に抑えることが可能となる。
【０５７３】
この場合に、幅広領域が、媒体通過領域の出口部分を媒体通過領域の通路方向下流側に延長させた範囲の少なくとも全体とは重なっていないため、幅広領域において媒体通過領域の出口部分をその通路方向の下流側に延長させた範囲にて媒体通過領域に対して不正具を対向させようとしてもそれが行いづらくなる。そして、このように対向させづらくすることにより、不正具から磁束を生じさせたとしても、当該磁束が媒体通過領域を通過しづらくなる。よって、幅広領域を備えた構成であっても、上記不正具を用いて払出検知手段に誤検知させようとする行為を行いづらくさせることが可能となる。
【０５７４】
特徴Ａ１３．前記貯留部として上皿（上皿８１）と下皿（下皿８２）とを備えており、
前記幅広領域は、前記払出実行手段から払い出された遊技媒体を前記上皿又は前記下皿に分配する媒体分配部（遊技球分配部１２８）を備えていることを特徴とする特徴Ａ１２に記載の遊技機。
【０５７５】
特徴Ａ１３によれば、幅広領域が形成されていることにより、上皿又は下皿への遊技媒体の分配を良好に行いつつ、上記優れた効果を奏することができる。
【０５７６】
特徴Ａ１４．前記払出検知手段は、前記媒体通過領域における磁界の変化を検知することによって、当該媒体通過領域の遊技媒体の通過を検知するものであり、
前記通路方向相違領域は、前記所定の位置よりも上流側に、前記媒体通過領域の出口部分を当該媒体通過領域の通路方向下流側に延長させた範囲と重なる部位を有しているとともに、少なくとも当該重なる部位に対して電磁シールド手段（金属板２８６）が付与されていることを特徴とする特徴Ａ１乃至Ａ１３のいずれか１に記載の遊技機。
【０５７７】
特徴Ａ１４によれば、貯留部側から不正具を挿入して通路方向相違領域を挟んで媒体通過領域と対向する位置に不正具を配置したとしても、媒体通過領域と不正具との間には電磁シールド手段が存在しているため、媒体通過領域は上記不正具から生じさせた磁界の影響を受けにくくなる。さらにまた、貯留部側からではなく遊技媒体通路部の外部から、通路方向相違領域を挟んで媒体通過領域と対向する位置に不正具を配置したとしても、同様に磁界の影響を受けにくくなる。
【０５７８】
特徴Ｂ１．遊技機前面部に設けられた貯留部（上皿８１、下皿８２）に向けて遊技媒体を導く遊技媒体通路部（払出通路３５１、連通用通路３４１、遊技球分配部１２８など）と、
当該遊技媒体通路部を通じて前記貯留部に向けて遊技媒体を払い出す払出実行手段（回転体３５２）と、
前記遊技媒体通路部の途中位置に設定された媒体通過領域（貫通孔３５４）の遊技媒体の通過を検知する検知手段（払出球検知センサ３５３）と、
を備え、当該検知手段の検知結果に基づいて遊技媒体の払い出しが特定される遊技機において、
前記遊技媒体通路部における前記媒体通過領域よりも下流側の下流側領域（連通用通路３４１）を区画形成する区画部（通路壁３４５）は、臨む方向に遊技媒体の流下方向の下流側に向けた成分を含むとともに、流下方向の下流側から上流側に向けて挿入された異物が当接した場合に当該異物を前記媒体通過領域側とは異なる側に向けてガイドするガイド面（外側傾斜面３９４，４１２、第１傾斜面４３３）を備えていることを特徴とする遊技機。
【０５７９】
特徴Ｂ１によれば、検知手段に不正を施すための不正具を貯留部から挿入して検知手段の直下流側に配置しようとしても、当該不正具がガイド面に当接した場合には、当該不正具がガイド面によって媒体通過領域側とは異なる側に向けてガイドされる。これにより、貯留部側から検知手段の直下流側に不正具を配置しようとしても、それが行いづらくなる。よって、上記不正具を用いて検知手段に誤検知させて遊技媒体の払い出しを不正に受けようとする行為を阻止することが可能となる。
【０５８０】
特徴Ｂ２．遊技機前面部に設けられた貯留部（上皿８１、下皿８２）に向けて遊技媒体を導く遊技媒体通路部（払出通路３５１、連通用通路３４１、遊技球分配部１２８など）と、
当該遊技媒体通路部を通じて前記貯留部に向けて遊技媒体を払い出す払出実行手段（回転体３５２）と、
前記遊技媒体通路部の途中位置に設定された媒体通過領域（貫通孔３５４）の遊技媒体の通過を検知する検知手段（払出球検知センサ３５３）と、
を備え、当該検知手段の検知結果に基づいて遊技媒体の払い出しが特定される遊技機において、
前記遊技媒体通路部における前記媒体通過領域よりも下流側の下流側領域（連通用通路３４１）を区画形成する区画部（通路壁３４５）には、臨む方向に遊技媒体の流下方向の下流側に向けた成分を含み、且つ遊技媒体が通過する側から外側に向けて形成されているとともに、遊技媒体が通過する側から外側に向かうほど遊技媒体の流下方向とは逆方向に向かうガイド面（外側傾斜面３９４，４１２、第１傾斜面４３３）が設けられていることを特徴とする遊技機。
【０５８１】
特徴Ｂ２によれば、検知手段に不正を施すための不正具を貯留部から挿入して検知手段の直下流側に配置しようとしても、当該不正具がガイド面に当接した場合には、当該不正具がガイド面によって媒体通過領域側とは異なる側に向けてガイドされる。これにより、貯留部側から検知手段の直下流側に不正具を配置しようとしても、それが行いづらくなる。よって、上記不正具を用いて検知手段に誤検知させて遊技媒体の払い出しを不正に受けようとする行為を阻止することが可能となる。
【０５８２】
特徴Ｂ３．前記ガイド面は、遊技媒体の通過領域をその軸線周りに区画する区画部に対して当該軸線周りに連続させて又は断続させて形成されていることを特徴とする特徴Ｂ１又はＢ２に記載の遊技機。
【０５８３】
特徴Ｂ３によれば、区画部により区画された通過領域に対してその下流側から不正具を通過させるには、当該通過領域の下流側において軸線周りのいずれの位置に不正具が偏倚していたとしても、当該不正具がガイド面に当接し易くなる。よって、ガイド面を通じた不正抑制効果が高められる。
【０５８４】
特徴Ｂ４．前記ガイド面よりも下流側の通過領域の天井部分を規定するとともに、上流側から下流側に向けて下り傾斜させて形成された天井傾斜部（天井部４１８ａ，４３６ａ）を備えており、
前記ガイド面は、前記天井傾斜部の上流側への延長先側を含むように形成されていることを特徴とする特徴Ｂ１乃至Ｂ３のいずれか１に記載の遊技機。
【０５８５】
下流側から不正具を挿入した場合、当該不正具は遊技媒体の通過領域の天井部分に接しながら上流側へと進むものと考えられる。この場合に、特徴Ｂ４によれば、ガイド面よりも下流側に天井傾斜部が設けられているとともに、当該天井傾斜部の上流側への延長先側にガイド面が含まれていることにより、下流側から挿入された不正具は天井傾斜部の傾斜に沿ってガイド面側へ向かい、当該ガイド面に当接することで媒体通過領域とは異なる側へガイドされることとなる。よって、ガイド面を通じた不正抑制効果が高められる。
【０５８６】
特徴Ｂ５．前記ガイド面又は当該ガイド面に対してガイド先側において連続する連続面のうち少なくとも一方の面と、当該面と対向する対向面と、を含む各面により区画形成され、前記ガイド面よりも下流側の領域に対して連通された凹み空間（凹部３９５、溝部４１７，４２９）をさらに備えていることを特徴とする特徴Ｂ１乃至Ｂ４のいずれか１に記載の遊技機。
【０５８７】
特徴Ｂ５によれば、ガイド面に当接し当該ガイド面に沿って移動した不正具は凹み空間内に入り込むこととなる。そして、不正具が凹み空間に入り込んだ場合、不正行為者がその入り込んだ状態を解除しづらいと考えられるため、不正行為者にとってリトライしづらくなる。
【０５８８】
特徴Ｂ６．前記ガイド面は、遊技媒体の通過領域をその軸線周りに区画する区画部に対して当該軸線周りに連続させて又は断続させて形成されており、
さらに、前記凹み空間は、前記区画部により規定された通過領域の外側において、前記ガイド面の全周に対して隣接させて形成されていることを特徴とする特徴Ｂ５に記載の遊技機。
【０５８９】
特徴Ｂ６によれば、下流側から挿入された不正具がガイド面に当接し易くなるとともに、当該ガイド面に当接した場合には高い確率で凹み空間に入り込むこととなる。よって、不正抑制効果が高められる。
【０５９０】
特徴Ｂ７．前記凹み空間を区画形成する面は、向く方向に当該凹み空間の奥側に向けた成分を有する段差面（第２傾斜面４３５）を備えていることを特徴とする特徴Ｂ５又はＢ６に記載の遊技機。
【０５９１】
特徴Ｂ７によれば、不正具が凹み空間に入り込んだ場合、当該不正具が凹み空間を区画形成する面のうち段差面に当たることで、不正具を凹み空間から引き抜こうとしてもそれが行いづらくなる。よって、不正行為者にとってリトライしづらくなる。
【０５９２】
特徴Ｂ８．前記ガイド面は、遊技媒体の通過領域を区画する区画部に対して形成されているとともに、当該区画部により区画される通過領域内に入り込まないようにして形成されていることを特徴とする特徴Ｂ１乃至Ｂ７のいずれか１に記載の遊技機。
【０５９３】
特徴Ｂ８によれば、ガイド面が形成された構成において、区画部により区画された通過領域を通過する遊技媒体がガイド面に当接しづらくなる。よって、遊技媒体の正規の通過を阻害しないようにしながら、ガイド面を形成したことによる上記効果を奏することができる。
【０５９４】
特徴Ｂ９．前記ガイド面が形成された区画部において当該区画部を挟んで前記ガイド面の反対側に形成された内側の面（内周側の面３９２，４０８，４３２）は、当該区画部により区画形成された通過領域に対して上流側にて連続する通過領域の区画面に対して面一となるように形成されていることを特徴とする特徴Ｂ８に記載の遊技機。
【０５９５】
特徴Ｂ９によれば、遊技媒体の正規の通過に対するガイド面の影響が低減される。
【０５９６】
特徴Ｂ１０．前記ガイド面のガイド先側に設けられ、当該ガイド面によってガイド先側にガイドされた異物のガイド元側への移動を規制する構造を備えていることを特徴とする特徴Ｂ１乃至Ｂ９のいずれか１に記載の遊技機。
【０５９７】
特徴Ｂ１０によれば、ガイド面により媒体通過領域側とは異なる側へ不正具がガイドされた後に、不正行為者が不正具をガイド面によりガイドされるよりも前の位置に戻そうととした場合に、それを規制することが可能となる。よって、不正行為者にとってリトライしづらくなる。
【０５９８】
特徴Ｂ１１．前記ガイド面は、遊技媒体の通過領域を区画する区画部において当該通過領域を臨む面に対して当該区画部の反対側に形成されており、
前記区画部において前記ガイド面に対してガイド先側にて連続する連続面（第２傾斜面４３５）は、前記ガイド面のガイド先側の端部よりも前記通過領域側に配置された偏倚箇所を備えていることを特徴とする特徴Ｂ１乃至Ｂ１０のいずれか１に記載の遊技機。
【０５９９】
特徴Ｂ１１によれば、不正具がガイド面によりガイドされてガイド先側に入り込んだ場合には、不正行為者が当該不正具をガイド元側の位置に戻そうとしても、偏倚箇所よりも通過領域の外側に張り出した部位に不正具が引っ掛かることが期待される。よって、不正行為者にとってリトライしづらくなる。
【０６００】
特徴Ｂ１２．前記連続面は、前記ガイド面との連続箇所側から前記偏倚箇所に向けて、前記区画部により区画された通過領域の外側から内側へと向かう段差面を備えていることを特徴とする特徴Ｂ１１に記載の遊技機。
【０６０１】
特徴Ｂ１２によれば、不正具がガイド面によりガイドされてガイド先側に入り込んだ場合には、当該不正具が段差面に当たることで、不正具をガイド元側の位置に戻そうとしてもそれが行いづらくなる。よって、不正行為者にとってリトライしづらくなる。
【０６０２】
特徴Ｂ１３．前記ガイド面よりも遊技媒体の流下方向の下流側において遊技媒体の通過領域を区画する下流側の区画部を基準として当該通過領域の外側に形成され、当該通過領域の内側から外側に向けた下流側段差面（下流側傾斜面４５４）をさらに備えていることを特徴とする特徴Ｂ１乃至Ｂ１２のいずれか１に記載の遊技機。
【０６０３】
特徴Ｂ１３によれば、不正具がガイド面によりガイドされてガイド先側に入り込んだ場合には、不正行為者が当該不正具を挿入元側に引き戻そうとしても、当該不正具が下流側段差面に当接することで、引き戻しづらくなる。そうすると、不正行為者にとっては遊技媒体通路部内から不正具を除去しづらくなり、遊技ホールの管理者にとっては不正具を用いた不正が行われようとした事実を認識し易くなる。
【０６０４】
特徴Ｂ１４．前記下流側段差面は、前記通過領域の内側から外側に向かうほど遊技媒体の流下方向の下流側に向かうように形成されていることを特徴とする特徴Ｂ１３に記載の遊技機。
【０６０５】
特徴Ｂ１４によれば、不正行為者が不正具を挿入元側に引き戻そうとした場合に当該不正具が下流側段差面に当接すると、挿入元側とは異なる側へと不正具がガイドされることとなる。そうすると、不正行為者にとっては遊技媒体通路部内から不正具を除去しづらくなる。
【０６０６】
特徴Ｂ１５．前記ガイド面よりも遊技媒体の流下方向の下流側において遊技媒体の通過領域を区画する下流側の区画部には、上流側へと突出する下流側突出部（下流側突起部４５２）を備えていることを特徴とする特徴Ｂ１乃至Ｂ１４のいずれか１に記載の遊技機。
【０６０７】
特徴Ｂ１５によれば、不正具がガイド面によりガイドされてガイド先側に入り込んだ場合には、不正行為者が当該不正具を挿入元側に引き戻そうとしても、当該不正具が下流側突出部に当接することで当該不正具が引っ掛かり、引き戻しづらくなる。そうすると、不正行為者にとっては遊技媒体通路部内から不正具を除去しづらくなり、遊技ホールの管理者にとっては不正具を用いた不正が行われようとした事実を認識し易くなる。
【０６０８】
特徴Ｂ１６．前記下流側突出部は複数形成されているとともに、それら複数の下流側突出部は軸線周りに所定の間隔を置いて配置されていることを特徴とする特徴Ｂ１５に記載の遊技機。
【０６０９】
特徴Ｂ１６によれば、不正行為者が不正具を挿入元側に引き戻そうとした場合に、当該不正具が複数の下流側突出部間に入り込むことが期待される。つまり、不正具が引っ掛かった状態になる可能性が高められる。
【０６１０】
特徴Ｂ１７．前記ガイド面よりも遊技媒体の流下方向の下流側において遊技媒体の通過領域を区画する下流側の区画部を基準として当該通過領域の外側に形成され、遊技媒体の流下方向の下流側に凹ませて形成された下流側凹み空間（下流側溝部４５１）をさらに備えていることを特徴とする特徴Ｂ１乃至Ｂ１６のいずれか１に記載の遊技機。
【０６１１】
特徴Ｂ１７によれば、不正具がガイド面によりガイドされてガイド先側に入り込んだ場合には、不正行為者が当該不正具を挿入元側に引き戻そうとしても、当該不正具が下流側凹み空間内に入り込むことで当該不正具が引っ掛かり、引き戻しづらくなる。そうすると、不正行為者にとっては遊技媒体通路部内から不正具を除去しづらくなり、遊技ホールの管理者にとっては不正具を用いた不正が行われようとした事実を認識し易くなる。
【０６１２】
特徴Ｂ１８．前記遊技媒体通路部における前記媒体通過領域よりも下流側の下流側領域は、当該下流側領域を区画形成する区画部に遊技媒体通路部の外側に向けた段差部が設けられていることにより、通路幅が下流側に向けて第１の通路幅から第２の通路幅に拡張される領域（第３領域３６５，４０２，４２２から幅広領域３６２，４１１，４２７に亘る領域）を備えており、
前記ガイド面は、前記段差部において前記第２の通路幅の領域側を臨む面であるとともに、前記第１の通路幅の領域（第３領域３６５，４０２，４２２）における前記第２の通路幅の領域（幅広領域３６２，４１１，４２７）に向けた出口の周縁部側からそれとは反対側に向かうほど遊技媒体の流下方向とは逆側に向かう面であることを特徴とする特徴Ｂ１乃至Ｂ１７のいずれか１に記載の遊技機。
【０６１３】
特徴Ｂ１８によれば、第２の通路幅の領域よりも第１の通路幅の領域は通路幅が縮小されているため、不正具を貯留部側から挿入し第２の通路幅の領域から第１の通路幅の領域側へ侵入させようとしてもそれが行いづらくなる。また、第２の通路幅の領域から第１の通路幅の領域側へ侵入させようとした場合には段差部に不正具が当接することが期待され、この点からも第１の通路幅の領域側へ侵入させようとしてもそれが行いづらくなる。特に、段差部にガイド面が形成されているため、段差部に不正具が当接した場合には、当該不正具が媒体通過領域側に侵入してしまうことを抑制する効果が高められる。
【０６１４】
特徴Ｂ１９．前記第１の通路幅の領域における出口の周縁部から前記第２の通路幅の領域に向けて突出する突出部（通路形成部品３４４，４０５，４２５において突起部３９１，４０７，４２６が形成された領域）を備え、当該突出部において遊技媒体が通過する通過領域を区画する面に対して当該突出部を挟んで反対側の面に前記ガイド面が形成されていることを特徴とする特徴Ｂ１８に記載の遊技機。
【０６１５】
特徴Ｂ１９によれば、第２の通路幅の領域を区画する区画面に沿って下流側から不正具を挿入した場合、当該不正具が突出部に当接することが期待され、当該不正具が突出部に当接した状態ではそれ以上の不正具の侵入を阻止することができる。一方、第２の通路幅の領域を区画する区画面に沿わせることなく下流側から不正具が挿入された場合であっても、当該不正具がガイド面に当接することで、媒体通過領域側とは異なる側に不正具がガイドされる。よって、不正具が媒体通過領域側に挿入されてしまうことを抑制することができる。
【０６１６】
特徴Ｂ２０．前記突出部は、前記第１の通路幅の領域における出口部分の軸線周りに形成されていることを特徴とする特徴Ｂ１９に記載の遊技機。
【０６１７】
特徴Ｂ２０によれば、第２の通路幅の領域を区画する区画面に沿って下流側から不正具を挿入した場合には、第２の通路幅の領域において軸線周りのいずれの位置に不正具が偏倚していたとしても、当該不正具が突出部又はガイド面に当接し易くなる。よって、突出部を通じた不正抑制効果が高められる。
【０６１８】
特徴Ｂ２１．前記突出部は突出方向の先端側に複数の突起部（突起部３９１，４０７，４２６）を備えているとともに、それら複数の突起部は軸線周りに所定の間隔を置いて配置されていることを特徴とする特徴Ｂ１９又はＢ２０に記載の遊技機。
【０６１９】
特徴Ｂ２１によれば、不正具を第２の通路幅の領域側から第１の通路幅の領域側へ侵入させようとした場合に、当該不正具が複数の突起部間に入り込むことが期待される。つまり、不正具が引っ掛かった状態になる可能性が高められる。そうすると、不正具をそれ以上侵入させようとしてもそれが行いづらくなるという効果を奏するだけでなく、かかる状態を解除しづらくもなる。
【０６２０】
特徴Ｂ２２．前記突出部は、前記第１の通路幅の領域における出口部分を当該出口部分の通路方向下流側に延長させた範囲に入り込まないように形成されていることを特徴とする特徴Ｂ１９乃至Ｂ２１のいずれか１に記載の遊技機。
【０６２１】
特徴Ｂ２２によれば、突出部が形成された構成において、第１の通路幅の領域から第２の通路幅の領域側へ導出される遊技媒体が突出部に当接しづらくなる。よって、遊技媒体の正規の通過を阻害しないようにしながら、突出部を形成したことによる上記効果を奏することができる。
【０６２２】
特徴Ｂ２３．前記突出部において当該突出部よりも上流側の通過領域に連続する通過領域を区画する面（内周側の面３９２，４０８，４３２）は、当該上流側の通過領域を区画する面に対して面一となるように形成されていることを特徴とする特徴Ｂ１９乃至Ｂ２２のいずれか１に記載の遊技機。
【０６２３】
特徴Ｂ２３によれば、遊技媒体の正規の通過に対する突出部の影響が低減される。
【０６２４】
特徴Ｂ２４．前記突出部において当該突出部よりも上流側の通過領域に連続する通過領域を区画する面に対して突出部を挟んで反対側の面と、当該面と対向する対向面と、を含む各面により区画形成され、前記第２の通路幅の領域側から凹ませるようにして形成された凹み空間（凹部３９５、溝部４１７，４２９）をさらに備えており、
前記ガイド面は、前記突出部の突出先側に形成されていることを特徴とする特徴Ｂ１９乃至Ｂ２３のいずれか１に記載の遊技機。
【０６２５】
特徴Ｂ２４によれば、第２の通路幅の領域を区画する区画面に沿って挿入されたが突出部によりそれ以上の媒体通過領域側への侵入が規制された不正具や、ガイド面に当接することで媒体通過領域側への侵入が規制された不正具は、凹み空間内に入り込むこととなる。そして、不正具が凹み空間に入り込んだ場合、不正行為者がその入り込んだ状態を解除しづらいと考えられるため、不正行為者にとってリトライしづらくなる。
【０６２６】
特徴Ｂ２５．前記突出部は、前記第１の通路幅の領域における出口部分の軸線周りに形成されているとともに、前記ガイド面は当該軸線周りに連続させて又は断続させて形成されており、
さらに、前記凹み空間は、前記突出部により区画された通過領域の外側において、前記ガイド面の全周に対して隣接させて形成されていることを特徴とする特徴Ｂ２４に記載の遊技機。
【０６２７】
特徴Ｂ２５によれば、下流側から挿入された不正具が突出部やガイド面に当接し易くなるとともに、突出部やガイド面に当接した場合には高い確率で凹み空間に入り込むこととなる。よって、不正抑制効果が高められる。
【０６２８】
特徴Ｂ２６．遊技機前面部に設けられた貯留部（上皿８１、下皿８２）に向けて遊技媒体を導く遊技媒体通路部（払出通路３５１、連通用通路３４１、遊技球分配部１２８など）と、
当該遊技媒体通路部を通じて前記貯留部に向けて遊技媒体を払い出す払出実行手段（回転体３５２）と、
前記遊技媒体通路部の途中位置に設定された媒体通過領域（貫通孔３５４）の遊技媒体の通過を検知する検知手段（払出球検知センサ３５３）と、
を備え、当該検知手段の検知結果に基づいて遊技媒体の払い出しが特定される遊技機において、
前記遊技媒体通路部における前記媒体通過領域よりも下流側の下流側領域（連通用通路３４１）は、当該下流側領域を区画形成する区画部に遊技媒体通路部の外側に向けた段差部が設けられていることにより、通路幅が下流側に向けて第１の通路幅から第２の通路幅に拡張される領域（第３領域３６５，４０２，４２２から幅広領域３６２，４１１，４２７に亘る領域）を備えており、
さらに、前記段差部において前記第２の通路幅の領域側を臨む面は、前記第１の通路幅の領域（第３領域３６５，４０２，４２２）における前記第２の通路幅の領域（幅広領域３６２，４１１，４２７）に向けた出口の周縁部側からそれとは反対側に向かうほど遊技媒体の流下方向とは逆側に向かうガイド面（外側傾斜面３９４，４１２，４３３）を備えていることを特徴とする遊技機。
【０６２９】
特徴Ｂ２６によれば、第２の通路幅の領域よりも第１の通路幅の領域は通路幅が縮小されているため、不正具を貯留部側から挿入し第２の通路幅の領域から第１の通路幅の領域側へ侵入させようとしてもそれが行いづらくなる。また、第２の通路幅の領域から第１の通路幅の領域側へ侵入させようとした場合には段差部に不正具が当接することが期待され、この点からも第１の通路幅の領域側へ侵入させようとしてもそれが行いづらくなる。特に、段差部にガイド面が形成されているため、段差部に不正具が当接した場合には、当該不正具が媒体通過領域側に侵入してしまうことを抑制する効果が高められる。
【０６３０】
なお、上記特徴Ｂ１乃至Ｂ２６のいずれか１において、「通路幅」を「通路断面積」として言い換えて適用してもよい。
【０６３１】
特徴Ｃ１．遊技機前面部に設けられた貯留部（上皿８１、下皿８２）に向けて遊技媒体を導く遊技媒体通路部（払出通路３５１、連通用通路３４１、遊技球分配部１２８など）と、
当該遊技媒体通路部を通じて前記貯留部に向けて遊技媒体を払い出す払出実行手段（回転体３５２）と、
前記遊技媒体通路部の途中位置に設定された媒体通過領域（貫通孔３５４）の遊技媒体の通過を検知する検知手段（払出球検知センサ３５３）と、
を備え、当該検知手段の検知結果に基づいて遊技媒体の払い出しが特定される遊技機において、
前記遊技媒体通路部における前記媒体通過領域よりも下流側の下流側領域（連通用通路３４１）は、通路幅が下流側に向けて第１の通路幅から第２の通路幅に拡張される領域（第３領域３６５，４０２，４２２から幅広領域３６２，４１１，４２７に亘る領域）を備えており、
さらに、前記第１の通路幅の領域（第３領域３６５，４０２，４２２）における前記第２の通路幅の領域（幅広領域３６２，４１１，４２７）に向けた出口から前記第２の通路幅の領域に向けて突出する突出部（通路形成部品３４４，４０５，４２５において突起部３９１，４０７，４２６が形成された領域）を備えていることを特徴とする遊技機。
【０６３２】
特徴Ｃ１によれば、第２の通路幅の領域を区画する区画面に沿って下流側から不正具を挿入した場合、当該不正具が突出部に当接することが期待され、当該不正具が突出部に当接した状態ではそれ以上の不正具の侵入を阻止することができる。これにより、貯留部側から検知手段の直下流側に不正具を配置しようとしても、それが行いづらくなる。よって、上記不正具を用いて検知手段に誤検知させて遊技媒体の払い出しを不正に受けようとする行為を阻止することが可能となる。
【０６３３】
特徴Ｃ２．前記突出部は、前記第１の通路幅の領域における出口部分の軸線周りに形成されていることを特徴とする特徴Ｃ１に記載の遊技機。
【０６３４】
特徴Ｃ２によれば、第２の通路幅の領域を区画する区画面に沿って下流側から不正具を挿入した場合には、第２の通路幅の領域において軸線周りのいずれの位置に不正具が偏倚していたとしても、当該不正具が突出部に当接し易くなる。よって、突出部を通じた不正抑制効果が高められる。
【０６３５】
特徴Ｃ３．前記突出部は突出方向の先端側に複数の突起部（突起部３９１，４０７，４２６）を備えているとともに、それら複数の突起部は軸線周りに所定の間隔を置いて配置されていることを特徴とする特徴Ｃ１又はＣ２に記載の遊技機。
【０６３６】
特徴Ｃ３によれば、不正具を第２の通路幅の領域側から第１の通路幅の領域側へ侵入させようとした場合に、当該不正具が複数の突起部間に入り込むことが期待される。つまり、不正具が引っ掛かった状態になる可能性が高められる。そうすると、不正具をそれ以上侵入させようとしてもそれが行いづらくなるという効果を奏するだけでなく、かかる状態を解除しづらくなる。
【０６３７】
特徴Ｃ４．前記突出部は、前記第１の通路幅の領域における出口部分を当該出口部分の通路方向下流側に延長させた範囲に入り込まないように形成されていることを特徴とする特徴Ｃ１乃至Ｃ３のいずれか１に記載の遊技機。
【０６３８】
特徴Ｃ４によれば、突出部が形成された構成において、第１の通路幅の領域から第２の通路幅の領域側へ導出される遊技媒体が突出部に当接しづらくなる。よって、遊技媒体の正規の通過を阻害しないようにしながら、突出部を形成したことによる上記効果を奏することができる。
【０６３９】
特徴Ｃ５．前記突出部において当該突出部よりも上流側の通過領域に連続する通過領域を区画する面（内周側の面３９２，４０８，４３２）は、当該上流側の通過領域を区画する面に対して面一となるように形成されていることを特徴とする特徴Ｃ１乃至Ｃ４のいずれか１に記載の遊技機。
【０６４０】
特徴Ｃ５によれば、遊技媒体の正規の通過に対する突出部の影響が低減される。
【０６４１】
特徴Ｃ６．前記突出部において遊技媒体が通過する通過領域を区画する面に対して当該突出部を挟んで反対側の面と、当該面と対向する対向面と、を含む各面により区画形成され、前記第２の通路幅の領域側から凹ませるようにして形成された凹み空間（凹部３９５、溝部４１７，４２９）をさらに備えていることを特徴とする特徴Ｃ１乃至Ｃ５のいずれか１に記載の遊技機。
【０６４２】
特徴Ｃ６によれば、第２の通路幅の領域を区画する区画面に沿って挿入されたが突出部によりそれ以上の媒体通過領域側への侵入が規制された不正具は、凹み空間内に入り込むこととなる。そして、不正具が凹み空間に入り込んだ場合、不正行為者がその入り込んだ状態を解除しづらいと考えられるため、不正行為者にとってリトライしづらくなる。
【０６４３】
特徴Ｃ７．前記突出部よりも下流側の通過領域の天井部分を規定するとともに、上流側から下流側に向けて下り傾斜させて形成された天井傾斜部（天井部４１８ａ，４３６ａ）を備えており、
前記凹み空間は、前記天井傾斜部の上流側への延長先側を含むように形成されていることを特徴とする特徴Ｃ６に記載の遊技機。
【０６４４】
下流側から不正具を挿入した場合、当該不正具は遊技媒体の通過領域の天井部分に接しながら上流側へと進むものと考えられる。この場合に、特徴Ｃ７によれば、突出部よりも下流側に天井傾斜部が設けられているとともに、当該天井傾斜部の上流側への延長先側に凹み空間が含まれていることにより、下流側から挿入された不正具は天井傾斜部の傾斜に沿って凹み空間側へ向かい、凹み空間内に入り込むこととなる。よって、凹み空間を通じた不正抑制効果が高められる。
【０６４５】
特徴Ｃ８．前記突出部は、前記第１の通路幅の領域における出口部分の軸線周りに連続させて又は断続させて形成されており、
前記凹み空間は、前記突出部により区画された通過領域の外側において、前記突出部の全周に対して隣接させて形成されていることを特徴とする特徴Ｃ６又はＣ７に記載の遊技機。
【０６４６】
特徴Ｃ８によれば、下流側から挿入された不正具が突出部に当接し易くなるとともに、突出部に当接した場合には高い確率で凹み空間に入り込むこととなる。よって、不正抑制効果が高められる。
【０６４７】
特徴Ｃ９．前記凹み空間に入り込んだ異物が当該凹み空間から抜け出るのを規制する構造を備えていることを特徴とする特徴Ｃ６乃至Ｃ８のいずれか１に記載の遊技機。
【０６４８】
特徴Ｃ９によれば、凹み空間に不正具が入り込んだ場合に、不正行為者が不正具を凹み空間から引き抜こうとした場合に、それを規制することが可能となる。よって、不正行為者にとってリトライしづらくなる。
【０６４９】
特徴Ｃ１０．前記凹み空間を区画形成する面は、向く方向に当該凹み空間の奥側に向けた成分を有する段差面（第２傾斜面４３５）を備えていることを特徴とする特徴Ｃ６乃至Ｃ９のいずれか１に記載の遊技機。
【０６５０】
特徴Ｃ１０によれば、不正具が凹み空間に入り込んだ場合、当該不正具が凹み空間を区画形成する面のうち段差面に当たることで、不正具を凹み空間から引き抜こうとしてもそれが行いづらくなる。よって、不正行為者にとってリトライしづらくなる。
【０６５１】
特徴Ｃ１１．前記突出部の突出先側には、前記第２の通路幅の領域側を臨む面であるとともに、前記第１の通路幅の領域における前記第２の通路幅の領域に向けた出口の周縁部側からそれとは反対側に向かうほど遊技媒体の流下方向とは逆側に向かう面として形成されたガイド面（外側傾斜面３９４，４１２，４３３）を備えていることを特徴とする特徴Ｃ１乃至Ｃ１０のいずれか１に記載の遊技機。
【０６５２】
特徴Ｃ１１によれば、第２の通路幅の領域を区画する区画面に沿わせることなく下流側から不正具が挿入された場合であっても、当該不正具がガイド面に当接することで、媒体通過領域側とは異なる側に不正具がガイドされる。よって、不正具が媒体通過領域側に挿入されてしまうことを抑制する効果が高められる。
【０６５３】
特徴Ｃ１２．前記突出部において遊技媒体が通過する通過領域を区画する面に対して当該突出部を挟んで反対側の面と、当該面と対向する対向面と、を含む各面により区画形成され、前記第２の通路幅の領域側から凹ませるようにして形成された凹み空間（凹部３９５、溝部４１７，４２９）をさらに備え
前記突出部は、前記第１の通路幅の領域における出口部分の軸線周りに形成されているとともに、前記ガイド面は当該軸線周りに連続させて又は断続させて形成されており、
さらに、前記凹み空間は、前記突出部により区画された通過領域の外側において、前記ガイド面の全周に対して隣接させて形成されていることを特徴とする特徴Ｃ１１に記載の遊技機。
【０６５４】
特徴Ｃ１２によれば、下流側から挿入された不正具が突出部やガイド面に当接し易くなるとともに、突出部やガイド部に当接した場合には高い確率で凹み空間に入り込むこととなる。よって、不正抑制効果が高められる。
【０６５５】
特徴Ｃ１３．前記突出部において前記ガイド面に対してガイド先側にて連続する連続面（第２傾斜面４３５）は、前記ガイド面のガイド先側の端部よりも前記通過領域側に配置された偏倚箇所を備えていることを特徴とする特徴Ｃ１１又はＣ１２に記載の遊技機。
【０６５６】
特徴Ｃ１３によれば、不正具がガイド面によりガイドされてガイド先側に入り込んだ場合には、不正行為者が当該不正具をガイド元側の位置に戻そうとしても、偏倚箇所よりも通過領域の外側に張り出した部位に不正具が引っ掛かることが期待される。よって、不正行為者にとってリトライしづらくなる。
【０６５７】
特徴Ｃ１４．前記連続面は、前記ガイド面との連続箇所側から前記偏倚箇所に向けて、前記突出部により区画された通路領域の外側から内側へと向かう段差面を備えていることを特徴とする特徴Ｃ１３に記載の遊技機。
【０６５８】
特徴Ｃ１４によれば、不正具がガイド面によりガイドされてガイド先側に入り込んだ場合には、当該不正具が段差面に当たることで、不正具をガイド元側の位置に戻そうとしてもそれが行いづらくなる。よって、不正行為者にとってリトライしづらくなる。
【０６５９】
特徴Ｃ１５．前記突出部よりも遊技媒体の流下方向の下流側において遊技媒体の通過領域を区画する下流側の区画部を基準として当該通過領域の外側に形成され、当該通過領域の内側から外側に向けた下流側段差面（下流側傾斜面４５４）をさらに備えていることを特徴とする特徴Ｃ１乃至Ｃ１４のいずれか１に記載の遊技機。
【０６６０】
特徴Ｃ１５によれば、不正具が突出部に当接してそれ以上の侵入が阻止された場合には、不正行為者が当該不正具を挿入元側に引き戻そうとしても、当該不正具が下流側段差面に当接することで、引き戻しづらくなる。そうすると、不正行為者にとっては遊技媒体通路部内から不正具を除去しづらくなり、遊技ホールの管理者にとっては不正具を用いた不正が行われようとした事実を認識し易くなる。
【０６６１】
特徴Ｃ１６．前記下流側段差面は、前記通過領域の内側から外側に向かうほど遊技媒体の流下方向の下流側に向かうように形成されていることを特徴とする特徴Ｃ１５に記載の遊技機。
【０６６２】
特徴Ｃ１６によれば、不正行為者が不正具を挿入元側に引き戻そうとした場合に当該不正具が下流側段差面に当接すると、挿入元側とは異なる側へと不正具がガイドされることとなる。そうすると、不正行為者にとっては遊技媒体通路部内から不正具を除去しづらくなる。
【０６６３】
特徴Ｃ１７．前記突出部よりも遊技媒体の流下方向の下流側において遊技媒体の通過領域を区画する下流側の区画部には、上流側へと突出する下流側突出部（下流側突起部４５２）を備えていることを特徴とする特徴Ｃ１乃至Ｃ１６のいずれか１に記載の遊技機。
【０６６４】
特徴Ｃ１７によれば、不正具が突出部に当接してそれ以上の侵入が阻止された場合には、不正行為者が当該不正具を挿入元側に引き戻そうとしても、当該不正具が下流側突出部に当接することで当該不正具が引っ掛かり、引き戻しづらくなる。そうすると、不正行為者にとっては遊技媒体通路部内から不正具を除去しづらくなり、遊技ホールの管理者にとっては不正具を用いた不正が行われようとした事実を認識し易くなる。
【０６６５】
特徴Ｃ１８．前記下流側突出部は複数形成されているとともに、それら複数の下流側突出部は軸線周りに所定の間隔を置いて配置されていることを特徴とする特徴Ｃ１７に記載の遊技機。
【０６６６】
特徴Ｃ１８によれば、不正行為者が不正具を挿入元側に引き戻そうとした場合に、当該不正具が複数の下流側突出部間に入り込むことが期待される。つまり、不正具が引っ掛かった状態になる可能性が高められる。
【０６６７】
特徴Ｃ１９．前記突出部よりも遊技媒体の流下方向の下流側において遊技媒体の通過領域を区画する下流側の区画部を基準として当該通過領域の外側に形成され、遊技媒体の流下方向の下流側に凹ませて形成された下流側凹み空間（下流側溝部４５１）をさらに備えていることを特徴とする特徴Ｃ１乃至Ｃ１８のいずれか１に記載の遊技機。
【０６６８】
特徴Ｃ１９によれば、不正具が突出部に当接してそれ以上の侵入が阻止された場合には、不正行為者が当該不正具を挿入元側に引き戻そうとしても、当該不正具が下流側凹み空間内に入り込むことで当該不正具が引っ掛かり、引き戻しづらくなる。そうすると、不正行為者にとっては遊技媒体通路部内から不正具を除去しづらくなり、遊技ホールの管理者にとっては不正具を用いた不正が行われたようとした事実を認識し易くなる。
【０６６９】
特徴Ｃ２０．遊技機前面部に設けられた貯留部（上皿８１、下皿８２）に向けて遊技媒体を導く遊技媒体通路部（払出通路３５１、連通用通路３４１、遊技球分配部１２８など）と、
当該遊技媒体通路部を通じて前記貯留部に向けて遊技媒体を払い出す払出実行手段（回転体３５２）と、
前記遊技媒体通路部の途中位置に設定された媒体通過領域（貫通孔３５４）の遊技媒体の通過を検知する検知手段（払出球検知センサ３５３）と、
を備え、当該検知手段の検知結果に基づいて遊技媒体の払い出しが特定される遊技機において、
前記遊技媒体通路部における前記媒体通過領域よりも下流側の下流側領域（連通用通路３４１）を区画形成する区画部に、遊技媒体が通過する側から遊技媒体が通過しない側に凹んだ凹み空間（凹部３９５、溝部４１７，４２９）を備えていることを特徴とする遊技機。
【０６７０】
特徴Ｃ２０によれば、検知手段に不正を施すための不正具が凹み空間に入り込んだ場合には、不正行為者にとっては当該状態を解除しづらくなる。例えば、不正具を媒体通過領域側に配置しようとした際に不正具が凹み空間に入り込んだ場合には、検知手段の直下流側に不正具を配置しようとしても、それが行いづらくなる。これにより、上記不正具を用いて検知手段に誤検知させて遊技媒体の払い出しを不正に受けようとする行為を阻止することが可能となる。また、例えば、不正具を遊技媒体通路から除去しようとした際に不正具が凹み空間に入り込んだ場合には、不正具を除去しようとしても、それが行いづらくなる。これにより、遊技ホールの管理者にとっては不正具を用いた不正が行われようとした事実又は不正具を用いた不正が行われた事実を認識し易くなる。
【０６７１】
なお、上記特徴Ｃ１乃至Ｃ２０のいずれか１において、「通路幅」を「通路断面積」として言い換えて適用してもよい。
【０６７２】
特徴Ｄ１．遊技機前面部に設けられた貯留部（上皿８１、下皿８２）に向けて遊技媒体を導く遊技媒体通路部（払出通路３５１、連通用通路３４１、遊技球分配部１２８など）と、
当該遊技媒体通路部を通じて前記貯留部に向けて遊技媒体を払い出す払出実行手段（回転体３５２）と、
前記遊技媒体通路部の途中位置に設定された媒体通過領域（貫通孔３５４）の遊技媒体の通過を検知する検知手段（払出球検知センサ３５３）と、
を備え、当該検知手段の検知結果に基づいて遊技媒体の払い出しが特定される遊技機において、
前記遊技媒体通路部における前記媒体通過領域よりも下流側には、当該媒体通過領域の通路幅よりも幅広に形成された拡張領域（第１領域３６３，４６１）を備えていることを特徴とする遊技機。
【０６７３】
特徴Ｄ１によれば、媒体通過領域の下流側に当該媒体通過領域の通路幅よりも幅広の拡張領域が形成されていることにより、例えば、拡張領域を区画する区画面に当接させて不正具を配置した場合には、媒体通過領域をその通路方向の下流側に延長させた領域において媒体通過領域に対して不正具の不正用の出力部を対向させようとしてもそれが行いづらくなる。よって、上記不正具を用いて検知手段に誤検知させて遊技媒体の払い出しを不正に受けようとする行為を阻止することが可能となる。
【０６７４】
特徴Ｄ２．遊技機前面部に設けられた貯留部（上皿８１、下皿８２）に向けて遊技媒体を導く遊技媒体通路部（払出通路３５１、連通用通路３４１、遊技球分配部１２８など）と、
当該遊技媒体通路部を通じて前記貯留部に向けて遊技媒体を払い出す払出実行手段（回転体３５２）と、
前記遊技媒体通路部の途中位置に設定された媒体通過領域（貫通孔３５４）の遊技媒体の通過を検知する検知手段（払出球検知センサ３５３）と、
を備え、当該検知手段の検知結果に基づいて遊技媒体の払い出しが特定される遊技機において、
前記遊技媒体通路部は、前記媒体通過領域に対してその下流側にて連続するとともに、当該媒体通過領域の通路方向と同一方向又は略同一方向に延びるように形成された下流側通過領域（下流側払出領域３５８、第１領域３６３，４６１）を備えており、
当該下流側通過領域は、当該下流側通過領域を区画する区画部において当該下流側通過領域の軸線側から外側に向けて延び、向く方向として遊技媒体の流下方向の下流側に向けた成分を有する段差部（底面３５５ａ）を介して、通路幅が前記媒体通過領域よりも拡張された拡張領域（第１領域３６３，４６１）を備えていることを特徴とする遊技機。
【０６７５】
特徴Ｄ２によれば、媒体通過領域の通路方向と同一方向又は略同一方向に延びるように形成された下流側通過領域を備えていることにより、媒体通過領域を通過した遊技媒体の下流側への導出が良好に行われる。
【０６７６】
この場合に、下流側通過領域を区画する区画部には段差部が形成されていることにより、貯留部側から下流側通過領域内に不正具が挿入されたとしても、当該不正具が段差部に下流側から当接することで、それ以上の侵入が阻止される。そして、段差部を介して拡張領域が形成されていることにより、段差部に下流側から不正具が当接した場合には、媒体通過領域をその通路方向の下流側に延長させた領域において媒体通過領域に対して不正具の不正用の出力部を対向させようとしてもそれが行いづらくなる。
【０６７７】
以上より、上記不正具を用いて検知手段に誤検知させて遊技媒体の払い出しを不正に受けようとする行為を阻止することが可能となる。
【０６７８】
特徴Ｄ３．遊技機前面部に設けられた貯留部（上皿８１、下皿８２）に向けて遊技媒体を導く遊技媒体通路部（払出通路３５１、連通用通路３４１、遊技球分配部１２８など）と、
当該遊技媒体通路部を通じて前記貯留部に向けて遊技媒体を払い出す払出実行手段（回転体３５２）と、
前記遊技媒体通路部の途中位置に設定された媒体通過領域（貫通孔３５４）の遊技媒体の通過を検知する検知手段（払出球検知センサ３５３）と、
を備え、当該検知手段の検知結果に基づいて遊技媒体の払い出しが特定される遊技機において、
前記遊技媒体通路部における前記媒体通過領域よりも下流側には、
下流側の領域よりも通路幅が縮小された縮小領域（第３領域３６５）と、
当該縮小領域の上流側に設けられ、前記媒体通過領域よりも通路幅が拡張された拡張領域（第１領域３６３，４６１）と、
を備えていることを特徴とする遊技機。
【０６７９】
特徴Ｄ３によれば、下流側通過領域に縮小領域が形成されていることにより、貯留部側から不正具が挿入されたとしても、当該不正具が縮小領域の出口部分の周縁部に下流側から当接したりすることにより、それ以上の侵入が阻止される。これにより、媒体通過領域の直下流側に不正具が配置されてしまうことを抑制することが可能となる。
【０６８０】
また、仮に縮小領域内に不正具が挿入されたとしても、拡張領域が形成されていることにより、例えば拡張領域を区画する区画面に当接させて不正具を配置した場合には、媒体通過領域をその通路方向の下流側に延長させた領域において媒体通過領域に対して不正具の不正用の出力部を対向させようとしてもそれが行いづらくなる。
【０６８１】
以上より、上記不正具を用いて検知手段に誤検知させて遊技媒体の払い出しを不正に受けようとする行為を阻止することが可能となる。
【０６８２】
特徴Ｄ４．前記媒体通過領域に対してその下流側にて連続するとともに、当該媒体通過領域の通路方向と同一方向又は略同一方向に延びるように形成された下流側通過領域を備えており、
前記拡張領域は、前記下流側通過領域を区画する区画部において当該下流側通過領域の軸線側から外側に向けて延び、向く方向として遊技媒体の流下方向の下流側に向けた成分を有する段差部（底面３５５ａ）を介して、通路幅が前記媒体通過領域よりも拡張されていることを特徴とする特徴Ｄ３に記載の遊技機。
【０６８３】
特徴Ｄ４によれば、媒体通過領域の通路方向と同一方向又は略同一方向に延びるように形成された下流側通過領域を備えていることにより、媒体通過領域を通過した遊技媒体の下流側への導出が良好に行われる。
【０６８４】
この場合に、下流側通過領域を区画する区画部には段差部が形成されていることにより、貯留部側から下流側通過領域内に不正具が挿入されたとしても、当該不正具が段差部に下流側から当接することで、それ以上の侵入が阻止される。そして、段差部を介して拡張領域が形成されていることにより、段差部に下流側から不正具が当接した場合には、媒体通過領域をその通路方向の下流側に延長させた領域において媒体通過領域に対して不正具の不正用の出力部を対向させようとしてもそれが行いづらくなる。
【０６８５】
特徴Ｄ５．前記拡張領域は、前記媒体通過領域をその通路方向の下流側に投影させた範囲から外れる外れ空間を有していることを特徴とする特徴Ｄ１乃至Ｄ４のいずれか１に記載の遊技機。
【０６８６】
特徴Ｄ５によれば、外れ空間に不正具が入り込むことで、媒体通過領域をその通路方向の下流側に延長させた領域において媒体通過領域に対して不正具の不正用の出力部を対向させようとしてもそれが行いづらくなる。
【０６８７】
特徴Ｄ６．前記拡張領域よりも下流側の通過領域の天井部分を規定するとともに、上流側から下流側に向けて下り傾斜させて形成された天井傾斜部（天井部３６４ａ，４６４ａ）を備えており、
前記外れ空間は、前記天井傾斜部の上流側への延長先側を含むように形成されていることを特徴とする特徴Ｄ５に記載の遊技機。
【０６８８】
下流側から不正具を挿入した場合、当該不正具は遊技媒体の通過領域の天井部分に接しながら上流側へと進むものと考えられる。この場合に、特徴Ｄ６によれば、拡張領域よりも下流側に天井傾斜部が設けられているとともに、当該天井傾斜部の上流側への延長先側に外れ空間が含まれていることにより、下流側から挿入された不正具は天井傾斜部の傾斜に沿って外れ空間側へ向かい、外れ空間内に入り込むこととなる。よって、外れ空間を通じた不正抑制効果が高められる。
【０６８９】
特徴Ｄ７．前記外れ空間は、前記拡張領域の軸線周りに連続させて又は断続させて形成されていることを特徴とする特徴Ｄ５又はＤ６に記載の遊技機。
【０６９０】
特徴Ｄ７によれば、拡張領域を区画する区画面に沿って不正具を上流側へと侵入させた場合には、当該区画面において軸線周りのいずれの位置に不正具が偏倚していたとしても、当該不正具が外れ空間内に入り込むこととなる。よって、外れ空間を通じた不正抑制効果が高められる。
【０６９１】
特徴Ｄ８．前記遊技媒体通路部を通過する遊技媒体は遊技球であり、
前記外れ空間は、前記媒体通過領域を投影させた範囲の周縁部から外れた側の限界位置が遊技球１個分以下となるように形成されていることを特徴とする特徴Ｄ５乃至Ｄ７のいずれか１に記載の遊技機。
【０６９２】
不正具を用いた不正に際して遊技球の流れを阻害しないようにするために、遊技球の通過を阻止しない通過部を有する不正具が用いられることが考えられる。この場合に、特徴Ｄ８によれば、外れ空間は媒体通過領域を投影させた範囲の周縁部から外れた側の限界位置が遊技球１個分以下となるように設定されていることにより、不正具が外れ空間に入り込んだ状態では遊技球の通過領域内に不正具の通過部以外の箇所が配置されることとなる。そうすると、不正具により通過領域内の遊技球の通過が阻害されることとなり、仮に不正具によって検知手段に対して誤検知させることができたとしても、遊技球の払い出しは阻害される。
【０６９３】
特徴Ｄ９．前記遊技媒体通路部を通過する遊技媒体は遊技球であり、
前記外れ空間は、前記媒体通過領域を投影させた範囲の周縁部から外れた側の限界位置が遊技球１個分又は略１個分となるように形成されていることを特徴とする特徴Ｄ５乃至Ｄ７のいずれか１に記載の遊技機。
【０６９４】
不正具を用いた不正に際して遊技球の流れを阻害しないようにするために、遊技球の通過を阻止しない通過部を有する不正具が用いられることが考えられる。また、かかる不正具においては通過部の周縁部に不正用の出力部を備えていることが考えられる。この場合に、特徴Ｄ９によれば、外れ空間は媒体通過領域を投影させた範囲の周縁部から外れた側の限界位置が遊技球１個分又は略１個分となるように設定されている。これにより、不正具が外れ空間に入り込んだ状態では不正具の不正用の出力部が媒体通過領域に対して対向しづらくなるため、検知手段に対して誤検知を発生させようとしてもそれが行いづらくなる。さらにまた、不正具が外れ空間に入り込んだ状態では遊技球の通過領域内に不正具の通過部以外の箇所が配置されることとなる。そうすると、不正具により通過領域内の遊技球の通過が阻害されることとなり、仮に不正具によって検知手段に対して誤検知させることができたとしても、遊技球の払い出しは阻害される。
【０６９５】
特徴Ｄ１０．前記拡張領域は、上流側に向けて通路幅が広くなるように形成されていることを特徴とする特徴Ｄ１乃至Ｄ９のいずれか１に記載の遊技機。
【０６９６】
特徴Ｄ１０によれば、拡張領域が上流側に向けて通路幅が広くなるように形成されていることにより、拡張領域を区画する区画面に沿って不正具を上流側へと挿入させた場合には、媒体通過領域の投影範囲から外れた領域へと不正具が自ずと導かれることとなる。これにより、拡張領域を通じた不正抑制効果が高められる。
【０６９７】
特徴Ｄ１１．前記拡張領域を区画する区画面は、当該拡張領域が上流側に向けて通路幅が広くなるように軸線方向に対して傾斜させて形成された傾斜面を備えていることを特徴とする特徴Ｄ１乃至Ｄ１０のいずれか１に記載の遊技機。
【０６９８】
特徴Ｄ１１によれば、拡張領域の傾斜面に不正具が下流側から当接した場合には、当該不正具が傾斜面に沿って移動することで、媒体通過領域の投影範囲から外れた領域へと不正具が自ずと導かれることとなる。これにより、拡張領域を通じた不正抑制効果が高められる。
【０６９９】
なお、上記特徴Ｄ１乃至Ｄ１１のいずれか１において、「通路幅」を「通路断面積」として言い換えて適用してもよい。
【０７００】
特徴Ｅ１．遊技機前面部に設けられた貯留部（上皿８１、下皿８２）に向けて遊技媒体を導く遊技媒体通路部（払出通路３５１、連通用通路３４１、遊技球分配部１２８など）と、
当該遊技媒体通路部を通じて前記貯留部に向けて遊技媒体を払い出す払出実行手段（回転体３５２）と、
前記遊技媒体通路部の途中位置に設定された媒体通過領域（貫通孔３５４）の遊技媒体の通過を検知する検知手段（払出球検知センサ３５３）と、
を備え、当該検知手段の検知結果に基づいて遊技媒体の払い出しが特定される遊技機において、
前記遊技媒体通路部における前記媒体通過領域よりも下流側の下流側領域（連通用通路３４１）には、通路幅が変更される変更領域（第２領域３６４から第３領域３６５に亘る領域、第３領域３６５から幅広領域３６２に亘る領域）を備えていることを特徴とする遊技機。
【０７０１】
特徴Ｅ１によれば、下流側領域における変更領域では通路幅が変更されているため、通路幅が変更される境界位置における区画面に不正具が当接し、上流側への不正具の挿入又は不正具の引き抜きが円滑に行えなくなることが期待される。これにより、貯留部側から検知手段の直下流側に不正具を配置しようとする行為又は不正具を遊技媒体通路部から取り外す行為が行いづらくなる。
【０７０２】
特徴Ｅ２．前記遊技媒体通路部を通過する遊技媒体は遊技球であり、
前記変更領域は、断面角形の通過領域（第２領域３６４又は幅広領域３６２）に対して上流側又は下流側にて連続させて、断面円形であって断面角形の通過領域よりも断面積が狭い通過領域（第３領域３６５）が配置されていることにより形成されていることを特徴とする特徴Ｅ１に記載の遊技機。
【０７０３】
特徴Ｅ２によれば、変更領域において通路幅が単に変更されるだけでなく、断面形状も断面角形と断面円形との間で変更されることとなる。そして、断面円形の通過領域の直径を遊技球の直径に近づけることで、例えば遊技球が通過可能な通過部を備えた不正具を断面円形の通過領域内に挿入しようとしても、それが行いづらくなる。
【０７０４】
特徴Ｅ３．前記変更領域において通路幅が広い通過領域を形成する形成部材（ケース部材３４２ａ，３４２ｂ）とは別体で設けられた別部品（通路形成部品３４４）に対して前記変更領域において通路幅が狭い通過領域が形成されていることを特徴とする特徴Ｅ１又はＥ２に記載の遊技機。
【０７０５】
通路幅が狭い通過領域を区画する区画面は通路幅が広い通過領域に比べ磨耗し易いと考えられる。これに対して、特徴Ｅ３によれば、通路幅が広い通過領域を形成する形成部材とは別体で設けられた別部品に、通路幅が狭い通過領域が形成されていることにより、通路幅が狭い通過領域を区画する区画面が磨耗した場合にはそれに対して良好に対処することができる。
【０７０６】
特徴Ｅ４．前記変更領域は、第１変更領域（第１領域３６３）と、当該第１変更領域に対して下流側にて連続するとともに当該第１変更領域よりも幅狭に形成された第２変更領域（第３領域３６５）と、当該第２変更領域に対して下流側にて連続するとともに当該第２変更領域よりも幅広に形成された第３変更領域（幅広領域３６２）と、を備えていること特徴とする特徴Ｅ１乃至Ｅ３のいずれか１に記載の遊技機。
【０７０７】
特徴Ｅ４によれば、下流側から不正具が挿入された場合には、第２変更領域と第３変更領域との境界部分における段差に不正具が下流側から当接することで、それ以上の不正具の侵入が阻止される。これにより、検知手段の直下流側に不正具を配置しづらくなる。また、仮に不正具が第２変更領域を通過して第１変更領域内に入り込んだとしても、不正具を遊技媒体通路部から除去する際に、第１変更領域と第２変更領域との境界部分における段差に不正具が上流側から当接することで、それ以上の不正具の移動が阻止される。これにより、遊技ホールの管理者にとっては不正具を用いた不正が行われようとした事実又は不正が行われた事実を認識し易くなる。
【０７０８】
特徴Ｅ５．前記貯留部として、第１貯留部（上皿８１）と、当該第１貯留部が満タン状態となり当該第１貯留部において余剰となった遊技媒体を貯留する第２貯留部（下皿８２）と、を備えており、
前記遊技媒体通路部は、前記変更領域よりも下流側に、前記第１貯留部に連通される第１連通部（第１分岐通路領域３８３）と前記第２貯留部に連通される第２連通部（第２分岐通路領域３８４）とに仕切部（仕切部３８１）を介して仕切られた振分部（遊技球分配部１２８）を備えており、
前記変更領域の出口部分を含めた下流側は、前記第１連通部を区画する区画面において前記仕切部と対向する側の対向面に向けて形成されていることを特徴とする特徴Ｅ１乃至Ｅ４のいずれか１に記載の遊技機。
【０７０９】
変更領域が設けられた構成においては、遊技媒体が正規に通過する場合にその通過挙動が乱れ、第１貯留部へと通じる第１連通部に向けて遊技媒体が導出されるべきであるにも関わらず、第２貯留部へと通じる第２連通部に向けて遊技媒体が導出されることが想定される。これに対して、特徴Ｅ５によれば、変更領域の出口部分を含めた下流側は、第１連通部を区画する区画面において仕切部と対向する側の対向面に向けて形成されているため、遊技媒体の通過挙動が乱れたとしても、第１連通部側へと導出され易くなる。
【０７１０】
特徴Ｅ６．前記対向面及び当該対向面から前記変更領域の出口部分へと続く面は、当該出口部分をその通路方向の下流側に投影させた範囲内に含まれないように形成されていることを特徴とする特徴Ｅ５に記載の遊技機。
【０７１１】
特徴Ｅ６によれば、変更領域から下流側へと排出された遊技媒体が区画面に当たって跳ね返り第２連通部側へ排出されてしまう可能性が低減される。
【０７１２】
特徴Ｆ１．遊技機前面部に設けられた貯留部（上皿８１、下皿８２）に向けて遊技球を導く遊技球通路部（払出通路３５１、連通用通路３４１、遊技球分配部１２８など）と、
当該遊技球通路部を通じて前記貯留部に向けて遊技球を払い出す払出実行手段（回転体３５２）と、
前記遊技球通路部の途中位置に設定された遊技球通過領域（貫通孔３５４）の遊技球の通過を検知する検知手段（払出球検知センサ３５３）と、
を備え、当該検知手段の検知結果に基づいて遊技球の払い出しが特定される遊技機において、
前記遊技球通路部における前記遊技球通過領域よりも下流側の領域は、断面角形の通過領域（第２領域３６４又は幅広領域３６２）に対して上流側又は下流側にて連続させて、断面円形の通過領域（第３領域３６５）が配置された変更領域を備えていることを特徴とする遊技機。
【０７１３】
特徴Ｆ１によれば、下流側領域における変更領域では通路幅が変更されているため、通路幅が変更される境界位置における区画面に不正具が当接し、上流側への不正具の挿入又は不正具の引き抜きが円滑に行えなくなることが期待される。これにより、貯留部側から検知手段の直下流側に不正具を配置しようとする行為又は不正具を遊技球通路部から取り外す行為が行いづらくなる。
【０７１４】
また、断面円形の通過領域の直径を遊技球の直径に近づけることで、例えば遊技球が通過可能な通過部を備えた不正具を断面円形の通過領域内に挿入しようとしても、それが行いづらくなる。
【０７１５】
特徴Ｆ２．前記断面角形の通過領域を形成する形成部材（ケース部材３４２ａ，３４２ｂ）とは別体で設けられた別部品（通路形成部品３４４）に対して前記断面円形の通過領域が形成されていることを特徴とする特徴Ｆ１に記載の遊技機。
【０７１６】
通路幅が狭い通過領域を区画する区画面は通路幅が広い通過領域に比べ磨耗し易いと考えられる。これに対して、特徴Ｆ２によれば、通路幅が広い通過領域を形成する形成部材とは別体で設けられた別部品に、通路幅が狭い通過領域が形成されていることにより、通路幅が狭い通過領域を区画する区画面が磨耗した場合にはそれに対して良好に対処することができる。
【０７１７】
特徴Ｆ３．前記貯留部として、第１貯留部（上皿８１）と、当該第１貯留部が満タン状態となり当該第１貯留部において余剰となった遊技球を貯留する第２貯留部（下皿８２）と、を備えており、
前記遊技球通路部は、前記変更領域よりも下流側に、前記第１貯留部に連通される第１連通部（第１分岐通路領域３８３）と前記第２貯留部に連通される第２連通部（第２分岐通路領域３８４）とに仕切部（仕切部３８１）を介して仕切られた振分部（遊技球分配部１２８）を備えており、
前記変更領域の出口部分を含めた下流側は、前記第１連通部を区画する区画面において前記仕切部と対向する側の対向面に向けて形成されていることを特徴とする特徴Ｆ１又はＦ２に記載の遊技機。
【０７１８】
変更領域が設けられた構成においては、遊技球が正規に通過する場合にその通過挙動が乱れ、第１貯留部へと通じる第１連通部に向けて遊技球が導出されるべきであるにも関わらず、第２貯留部へと通じる第２連通部に向けて遊技球が導出されることが想定される。これに対して、特徴Ｆ３によれば、変更領域の出口部分を含めた下流側は、第１連通部を区画する区画面において仕切部と対向する側の対向面に向けて形成されているため、遊技球の通過挙動が乱れたとしても、第１連通部側へと導出され易くなる。
【０７１９】
特徴Ｆ４．前記対向面及び当該対向面から前記変更領域の出口部分へと続く面は、当該出口部分をその通路方向の下流側に投影させた範囲内に含まれないように形成されていることを特徴とする特徴Ｆ３に記載の遊技機。
【０７２０】
特徴Ｆ４によれば、変更領域から下流側へと排出された遊技球が区画面に当たって跳ね返り第２連通部側へ排出されてしまう可能性が低減される。
【０７２１】
上記各特徴によれば以下の課題を解決することが可能である。
【０７２２】
遊技機の一種であるパチンコ遊技機は、例えばパチンコ遊技機内部にて遊技球を貯留するための貯留タンクを備えている。貯留タンクに貯留されている遊技球は、誘導通路部を通じて、遊技機前面部の球受け皿へ誘導される。また、誘導通路部の途中位置には回転体などの払出実行手段が設けられており、誘導通路部により誘導される遊技球は払出実行手段により一旦停止される。
【０７２３】
払出実行手段は制御装置と電気的に接続されている。そして、遊技領域に設けられた入球部へ遊技球が入球したこと又はＣＲユニットといった貸球装置が設けられた構成においては当該貸球装置に対して貸出操作が行われたことに基づいて、制御装置に払出数情報が記憶され、払出動作を実行するように制御装置により払出実行手段が駆動制御されることで、上記一旦停止されていた遊技球は球受け皿に払い出される。
【０７２４】
また、払出実行手段よりも下流側に払出球検知センサ（払出検知手段）が設けられており、払出実行手段の払出動作により下流側へ導出された遊技球は払出球検知センサにて検知される。制御装置では当該払出球検知センサの検知結果に基づいて、払い出された遊技球の個数を把握し、上記払出数情報に対応した数の遊技球が払い出された場合に払出実行手段の払出動作を終了させる。
【０７２５】
ここで、上記パチンコ遊技機においては、払出実行手段の払出動作が行われる際に又は行われている状況で、払出球検知センサにて遊技球の検知を正常に行えないようにすることで、制御装置に記憶されている払出数情報に対応した個数よりも多くの遊技球の払出を行わせる不正行為が想定される。
【０７２６】
当該不正行為について、検知部を遊技球が通過したことによる磁界の変化を電気信号に変換して出力する近接センサが、払出球検知センサとして用いられている場合を例に挙げて説明する。本不正行為では、例えば球受け皿側などから払出球検知センサの位置に不正具を配置する。不正具は磁界を発生させることができるものであり、不正具にて磁界が発生させられることにより、検知部を遊技球が通過しているにも関わらず検知部に遊技球が留まっていると又は通過していないと払出球検知センサが誤検知することとなる。
【０７２７】
これに対して、制御装置が、払出球検知センサにて遊技球の検知を開始したタイミングの電気信号の変化（例えば電気信号の立ち上がり）又は払出球検知センサにて遊技球の検知を終了したタイミングの電気信号の変化（例えば電気信号の立ち下り）によって１個の遊技球が払い出されたと特定する構成においては、払出球検知センサの検知状態が不正具により上記のように設定されてしまうと、実際に検知部を多数の遊技球が通過しているにも関わらず制御装置ではそれら多数の遊技球の通過を把握することができず、払出実行手段の払出動作が継続されることとなる。
【０７２８】
なお、以上の課題は、パチンコ遊技機に限定されることはなく、払出実行手段を通じて遊技媒体の払出が行われるとともにその遊技媒体が払出検知手段により検知される他の遊技機においても同様のものである。
【０７２９】
以下に、以上の各特徴を適用し得る各種遊技機の基本構成を示す。
【０７３０】
パチンコ遊技機：遊技者が操作する操作手段と、その操作手段の操作に基づいて遊技球を発射する遊技球発射手段と、その発射された遊技球を所定の遊技領域に導く球通路と、遊技領域内に配置された各遊技部品とを備え、それら各遊技部品のうち所定の通過部を遊技球が通過した場合に遊技者に特典を付与する遊技機。
【０７３１】
スロットマシン等の回胴式遊技機：複数の絵柄を可変表示させる絵柄表示装置を備え、始動操作手段の操作に起因して前記複数の絵柄の可変表示が開始され、停止操作手段の操作に起因して又は所定時間経過することにより前記複数の絵柄の可変表示が停止され、その停止後の絵柄に応じて遊技者に特典を付与する遊技機。
【図面の簡単な説明】
【０７３２】
【図１】第１の実施の形態におけるパチンコ機を示す正面図。
【図２】パチンコ機の主要な構成を展開して示す斜視図。
【図３】パチンコ機の主要な構成を展開して示す斜視図。
【図４】遊技盤の構成を示す正面図。
【図５】前扉枠の構成を示す背面図。
【図６】裏パックユニットの構成を示す正面図。
【図７】払出装置内部に形成された通路構造を示す縦断面図。
【図８】パチンコ機の電気的構成を示すブロック図。
【図９】遊技制御に用いる各種カウンタの概要を示す説明図。
【図１０】主制御基板のＭＰＵによるＮＭＩ割込み処理を示すフローチャート。
【図１１】タイマ割込み処理を示すフローチャート。
【図１２】始動入賞処理を示すフローチャート。
【図１３】メイン処理を示すフローチャート。
【図１４】通常処理を示すフローチャート。
【図１５】遊技球の払出に関する電気的構成を示すブロック図。
【図１６】入力状態監視処理を示すフローチャート。
【図１７】前扉枠開放信号監視処理を示すフローチャート。
【図１８】賞球許可信号監視処理を示すフローチャート。
【図１９】払出用出力処理を示すフローチャート。
【図２０】賞球コマンド出力処理を示すフローチャート。
【図２１】払出制御基板のＭＰＵによるメイン処理を示すフローチャート。
【図２２】タイマ割込み処理を示すフローチャート。
【図２３】コマンド判定処理を示すフローチャート。
【図２４】満タン用処理を示すフローチャート。
【図２５】賞球設定処理を示すフローチャート。
【図２６】貸球設定処理を示すフローチャート。
【図２７】払出個数設定処理を示すフローチャート。
【図２８】払出制御処理を示すフローチャート。
【図２９】払出状態設定処理を示すフローチャート。
【図３０】駆動信号出力処理を示すフローチャート。
【図３１】賞球許可信号設定処理を示すフローチャート。
【図３２】賞球許可信号に対する賞球コマンドの出力の様子を説明するためのタイムチャート。
【図３３】下皿が満タン状態で電源が投入された場合の賞球情報の取り扱いを説明するためのタイムチャート。
【図３４】前扉枠が開放状態で電源が投入された場合の賞球情報の取り扱いを説明するためのタイムチャート。
【図３５】（ａ）払出装置の下流側の通路構成を説明するための縦断面図、（ｂ）払出球検知センサの構成を示す平面図、（ｃ）払出装置の下流側の通路におけるＡ―Ａ線部分の断面図、（ｄ）払出装置の下流側の通路におけるＢ−Ｂ線部分の断面図。
【図３６】（ａ）従来のパチンコ機における払出装置の下流側部分の構成を示す縦断面図、（ｂ）本パチンコ機における払出装置の下流側部分の構成を示す縦断面図。
【図３７】第２の実施の形態における払出装置の下流側部分の構成を説明するための縦断面図。
【図３８】第３の実施の形態における払出装置の下流側部分の構成を説明するための縦断面図。
【図３９】第４の実施の形態における払出装置の下流側部分の構成を説明するための縦断面図。
【図４０】第５の実施の形態における払出装置の下流側部分の構成を説明するための縦断面図。
【図４１】第６の実施の形態における裏パックユニットの一部を分解して示す斜視図。
【図４２】通路形成ユニットの構成を示す分解斜視図。
【図４３】（ａ）連通用通路及びその周辺の構成を説明するための説明図、（ｂ）払出球検知センサの構成を示す平面図、（ｃ）図４３（ａ）においてＡ―Ａ線にて示す部分の横断面図、（ｄ）図４３（ａ）においてＢ―Ｂ線にて示す部分の横断面図、（ｅ）図４３（ａ）においてＣ―Ｃ線にて示す部分の横断面図、（ｆ）図４３（ａ）においてＤ―Ｄ線にて示す部分の横断面図。
【図４４】図４３（ａ）においてＥ―Ｅ線にて示す部分の縦断面図。
【図４５】図４３（ａ）において幅狭領域の出口部分及びその周辺を拡大して示す説明図。
【図４６】図４３（ａ）において第１領域及びその周辺を拡大して示す説明図。
【図４７】第７の実施の形態における幅狭領域の出口部分及びその周辺を拡大して示す縦断面図。
【図４８】第８の実施の形態における幅狭領域の出口部分及びその周辺を拡大して示す縦断面図。
【図４９】第９の実施の形態における幅狭領域の出口部分及びその周辺を拡大して示す縦断面図。
【図５０】第１０の実施の形態における第１領域及びその周辺を拡大して示す縦断面図。
【図５１】（ａ），（ｂ）別の実施の形態における連通用通路の構成を示す縦断面図。
【符号の説明】
【０７３３】
１０…遊技機としてのパチンコ機、１４…前扉枠、８１…上皿、８２…下皿、１２２…払出通路、１２４…回転体、１２６…払出球検知センサ、１２７ａ…貫通孔、１２８…遊技球分配部、２７３…連通用通路、２７４…幅狭領域、２７５…幅広領域、２８２…通路方向相違領域としての傾斜領域、２８３…下流側連続領域としての下流側鉛直領域、２８６…電磁シールド手段としての金属板、３０４…空間規制部としての縮径部、３１１…空間規制部としての板バネ部、３２１…空間規制部としての羽根車、３４１…連通用通路、３４４…通路形成部品、３４５…通路壁、３５１…払出通路、３５２…回転体、３５３…払出球検知センサ、３５４…貫通孔、３６２…幅広領域、３６３…第１領域、３６５…第３領域、３９１…突起部、３９４…ガイド面としての外側傾斜面、３９５…凹み空間としての凹部、４０２…第３領域、４０５…通路形成部品、４０７…突起部、４１１…幅広領域、４１２…ガイド面としての外側傾斜面、４１７…凹み空間としての溝部、４２２…第３領域、４２５…通路形成部品、４２６…突起部、４２７…幅広領域、４２９…凹み空間としての溝部、４３３…ガイド面としての外側傾斜面、４３５…第２傾斜面、４５１…下流側溝部、４５２…下流側突起部、４５４…下流側傾斜面、４６１…第１領域。
【図１】
0005412806.tif 000002
【図２】
0005412806.tif 000003
【図３】
0005412806.tif 000004
【図４】
0005412806.tif 000005
【図５】
0005412806.tif 000006
【図６】
0005412806.tif 000007
【図７】
0005412806.tif 000008
【図８】
0005412806.tif 000009
【図９】
0005412806.tif 000010
【図１０】
0005412806.tif 000011
【図１１】
0005412806.tif 000012
【図１２】
0005412806.tif 000013
【図１３】
0005412806.tif 000014
【図１４】
0005412806.tif 000015
【図１５】
0005412806.tif 000016
【図１６】
0005412806.tif 000017
【図１７】
0005412806.tif 000018
【図１８】
0005412806.tif 000019
【図１９】
0005412806.tif 000020
【図２０】
0005412806.tif 000021
【図２１】
0005412806.tif 000022
【図２２】
0005412806.tif 000023
【図２３】
0005412806.tif 000024
【図２４】
0005412806.tif 000025
【図２５】
0005412806.tif 000026
【図２６】
0005412806.tif 000027
【図２７】
0005412806.tif 000028
【図２８】
0005412806.tif 000029
【図２９】
0005412806.tif 000030
【図３０】
0005412806.tif 000031
【図３１】
0005412806.tif 000032
【図３２】
0005412806.tif 000033
【図３３】
0005412806.tif 000034
【図３４】
0005412806.tif 000035
【図３５】
0005412806.tif 000036
【図３６】
0005412806.tif 000037
【図３７】
0005412806.tif 000038
【図３８】
0005412806.tif 000039
【図３９】
0005412806.tif 000040
【図４０】
0005412806.tif 000041
【図４１】
0005412806.tif 000042
【図４２】
0005412806.tif 000043
【図４３】
0005412806.tif 000044
【図４４】
0005412806.tif 000045
【図４５】
0005412806.tif 000046
【図４６】
0005412806.tif 000047
【図４７】
0005412806.tif 000048
【図４８】
0005412806.tif 000049
【図４９】
0005412806.tif 000050
【図５０】
0005412806.tif 000051
【図５１】
0005412806.tif 000052